(57)【特許請求の範囲】
【請求項１】
核分裂原子炉のための反応度制御組立品であって、
中性子を吸収するように構成された中性子吸収物質（１４）を含んでいる反応度制御棒（１２）であって、該中性子吸収物質（１４）の少なくとも一部が、中性子吸収毒（２２）、および、核分裂性同位体に転換可能な核分裂燃料物質（１６）を含んでいる、反応度制御棒であって、上記核分裂燃料物質（１６）および中性子吸収毒（２２）の楔（３６，３８）が、その側断面が三角形であり、互いにその斜辺（４０）に沿って隣接するようになっている、反応度制御棒と、
上記反応度制御棒に物理的に関連した少なくとも一つのセンサであって、少なくとも一つの該センサが、上記反応度制御棒に関連した少なくとも一つの反応度パラメータの状態を検知するように構成されている、センサとを備えたことを特徴とする組立品。
【請求項２】
核分裂原子炉のための反応度制御組立品であって、
中性子を吸収するように構成された中性子吸収物質（１４）を含んでいる反応度制御棒（１２）であって、該中性子吸収物質（１４）の少なくとも一部が、中性子吸収毒（２２）、および、核分裂性同位体に転換可能な核分裂燃料物質（１６）を含んでいる、反応度制御棒であって、上記核分裂燃料物質（１６）および中性子吸収毒（２２）の対を成す裁頭円錐部分（４２，４４）が、その側断面が三角形である、反応度制御棒と、
上記反応度制御棒に物理的に関連した少なくとも一つのセンサであって、少なくとも一つの該センサが、上記反応度制御棒に関連した少なくとも一つの反応度パラメータの状態を検知するように構成されている、センサとを備えたことを特徴とする組立品。
【請求項３】
上記中性子吸収物質が、高速スペクトル中性子を吸収するように構成されていることを特徴とする請求項１または２に記載の組立品。
【請求項４】
少なくとも一つの上記センサを校正するように構成された校正装置をさらに備えていることを特徴とする請求項１または２に記載の組立品。
【請求項５】
少なくとも一つのセンサに対して動作可能なように結合された少なくとも一つの通信装置をさらに備えていることを特徴とする請求項１または２に記載の組立品。
【請求項６】
高速中性子スペクトルを有する核分裂原子炉のための反応度制御システムであって、
高速スペクトル中性子を吸収するように構成された中性子吸収物質（１４）を有する反応度制御棒（１２）であって、該中性子吸収物質（１４）の少なくとも一部が、中性子吸収毒（２２）、および、核分裂性同位体に転換可能な核分裂燃料物質（１６）を含んでいる、反応度制御棒であって、上記核分裂燃料物質（１６）および中性子吸収毒（２２）の楔（３６，３８）が、その側断面が三角形であり、互いにその斜辺（４０）に沿って隣接するようになっている、反応度制御棒と、
少なくとも一つの反応度パラメータに対応して、上記反応度制御棒に動作可能に結合している駆動部とを備えたことを特徴とするシステム。
【請求項７】
高速中性子スペクトルを有する核分裂原子炉のための反応度制御システムであって、
高速スペクトル中性子を吸収するように構成された中性子吸収物質（１４）を有する反応度制御棒（１２）であって、該中性子吸収物質（１４）の少なくとも一部が、中性子吸収毒（２２）、および、核分裂性同位体に転換可能な核分裂燃料物質（１６）を含んでいる、反応度制御棒であって、上記核分裂燃料物質（１６）および中性子吸収毒（２２）の対を成す裁頭円錐部分（４２，４４）が、その側断面が三角形である、反応度制御棒と、
少なくとも一つの反応度パラメータに対応して、上記反応度制御棒に動作可能に結合している駆動部とを備えたことを特徴とするシステム。
【請求項８】
少なくとも一つの上記反応度パラメータが、上記核分裂原子炉の少なくとも一つの反応度パラメータを含んでいることを特徴とする請求項６または７に記載のシステム。
【請求項９】
少なくとも一つの上記反応度パラメータが、上記反応度制御棒の少なくとも一つの反応度パラメータを含んでいることを特徴とする請求項６または７に記載のシステム。
【請求項１０】
上記反応度パラメータが、中性子フルエンス、中性子束、中性子分裂、中性子生成物、放射性崩壊事象、温度、圧力、出力、同位体濃度、燃焼度および中性子スペクトルから選ばれる少なくとも一つのパラメータを含んでいることを特徴とする請求項６または７に記載のシステム。
【請求項１１】
少なくとも一つの反応度パラメータを決定するように構成された装置をさらに備えたことを特徴とする請求項６または７に記載のシステム。
【請求項１２】
上記装置が、少なくとも一つのセンサを含んでいることを特徴とする請求項１１に記載のシステム。
【請求項１３】
少なくとも一つの上記センサが、上記反応度制御棒と物理的に関連していることを特徴とする請求項１２に記載のシステム。
【請求項１４】
少なくとも一つの上記センサが、少なくとも一つの反応度パラメータの状態を検知するように構成されていることを特徴とする請求項１２に記載のシステム。
【請求項１５】
少なくとも一つの上記センサを校正するように構成された校正装置をさらに備えていることを特徴とする請求項１２に記載のシステム。
【請求項１６】
上記装置が、少なくとも一つの反応度パラメータを決定するように構成された電気回路を含んでいることを特徴とする請求項１１に記載のシステム。
【請求項１７】
高速中性子スペクトルを有する核分裂進行波原子炉であって、
高速中性子スペクトルを有する核分裂進行波をそこで伝搬するように構成された核分裂燃料物質を含む核分裂進行波原子炉コアと、
反応度制御システムとを備え、
上記反応度制御システムが、
複数の反応度制御棒（１２）であって、該反応度制御棒のそれぞれが、核分裂進行波高速スペクトル中性子を吸収するように構成された中性子吸収物質（１４）を含んでおり、該中性子吸収物質（１４）の少なくとも一部が、中性子吸収毒（２２）、および、核分裂性同位体に転換可能な核分裂燃料物質（１６）を含んでいる、反応度制御棒であって、上記核分裂燃料物質（１６）および中性子吸収毒（２２）の楔（３６，３８）が、その側断面が三角形であり、互いにその斜辺（４０）に沿って隣接するようになっている、反応度制御棒と、
複数の駆動部であって、該駆動部のそれぞれが、少なくとも一つの反応度パラメータに対応して、複数の上記反応度制御棒の少なくとも一つに動作可能に結合している駆動部とを含んでいることを特徴とする原子炉。
【請求項１８】
高速中性子スペクトルを有する核分裂進行波原子炉であって、
高速中性子スペクトルを有する核分裂進行波をそこで伝搬するように構成された核分裂燃料物質を含む核分裂進行波原子炉コアと、
反応度制御システムとを備え、
上記反応度制御システムが、
複数の反応度制御棒（１２）であって、該反応度制御棒のそれぞれが、中性子吸収毒（２２）、および、核分裂進行波高速スペクトル中性子を吸収するように構成された中性子吸収物質（１４）を含んでおり、該中性子吸収物質（１４）の少なくとも一部が、核分裂性同位体に転換可能な核分裂燃料物質（１６）を含んでいる、反応度制御棒であって、上記核分裂燃料物質（１６）および中性子吸収毒（２２）の対を成す裁頭円錐部分（４２，４４）が、その側断面が三角形である、反応度制御棒と、
複数の駆動部であって、該駆動部のそれぞれが、少なくとも一つの反応度パラメータに対応して、複数の上記反応度制御棒の少なくとも一つに動作可能に結合している駆動部とを含んでいることを特徴とする原子炉。
【請求項１９】
少なくとも一つの反応度パラメータが、上記核分裂進行波原子炉の少なくとも一つの反応度パラメータを含んでいることを特徴とする請求項１７または１８に記載の原子炉。
【請求項２０】
少なくとも一つの反応度パラメータが、複数の上記反応度制御棒の少なくとも一つの、少なくとも一つの反応度パラメータを含んでいることを特徴とする請求項１７または１８に記載の原子炉。
【請求項２１】
上記反応度パラメータが、中性子フルエンス、中性子束、中性子分裂、中性子生成物、放射性崩壊事象、温度、圧力、出力、同位体濃度、燃焼度および中性子スペクトルから選ばれる少なくとも一つのパラメータを含んでいることを特徴とする請求項１７または１８に記載の原子炉。
【請求項２２】
少なくとも一つの反応度パラメータを決定するように構成された少なくとも一つの装置をさらに備えたことを特徴とする請求項１７または１８に記載の原子炉。
【請求項２３】
少なくとも一つの上記装置が、少なくとも一つのセンサを含んでいることを特徴とする請求項２２に記載の原子炉。
【請求項２４】
少なくとも一つの上記センサが、関連する反応度制御棒と物理的に関連していることを特徴とする請求項２３に記載の原子炉。
【請求項２５】
少なくとも一つの上記センサが、少なくとも一つの反応度パラメータの状態を検知するように構成されていることを特徴とする請求項２３に記載の原子炉。
【請求項２６】
少なくとも一つの上記センサを校正するように構成された校正装置をさらに備えていることを特徴とする請求項２３に記載の原子炉。
【請求項２７】
少なくとも一つの上記装置が、少なくとも一つの反応度パラメータを決定するように構成された少なくとも一つの電気回路を含んでいることを特徴とする請求項２２に記載の原子炉。
【請求項２８】
上記電気回路がさらに、少なくとも一つの反応度パラメータをモデリングするように構成されていることを特徴とする請求項２７に記載の原子炉。
【請求項２９】
上記電気回路がさらに、少なくとも一つの反応度パラメータを予測するように構成されていることを特徴とする請求項２７に記載の原子炉。
【請求項３０】
上記電気回路がさらに、少なくとも一つの所定の反応度パラメータを選択するように構成されていることを特徴とする請求項２７に記載の原子炉。
【請求項３１】
ロッド制御信号を生成するように構成された駆動制御部であって、駆動部が、上記ロッド制御信号に対応してそこに動作可能に結合された上記反応度制御棒を移動させるように構成された、駆動制御部をさらに備えたことを特徴とする請求項１７または１８に記載の原子炉。
【請求項３２】
上記ロッド制御信号を上記駆動制御部から上記駆動部へ伝達するように構成された通信装置をさらに備えたことを特徴とする請求項３１に記載の原子炉。
【請求項３３】
上記駆動制御部が、操作者とのインターフェースを含んでいることを特徴とする請求項３１に記載の原子炉。
【請求項３４】
上記駆動制御部が、少なくとも一つの反応度パラメータに基づいて上記ロッド制御信号を自動的に生成するように構成された電気回路を含んでいることを特徴とする請求項３１に記載の原子炉。
【請求項３５】
上記中性子吸収物質がさらに、中性子の減速を減少させるように構成されていることを特徴とする請求項３に記載の組立品。
【請求項３６】
上記高速スペクトル中性子が、核分裂進行波の一部であることを特徴とする請求項３に記載の組立品。
【請求項３７】
上記核分裂性同位体に転換可能な核分裂燃料物質が、ウランおよびトリウムから選ばれる少なくとも一つの元素を含んでいることを特徴とする請求項１または２に記載の組立品。
【請求項３８】
上記反応度制御棒がさらに、中性子減速物質を含んでいることを特徴とする請求項１または２に記載の組立品。
【請求項３９】
上記中性子減速物質が、水素、重水素、ヘリウム、リチウム、ホウ素、炭素、グラファイト、ナトリウムおよび鉛から選ばれる少なくとも一つの中性子減速材を含んでいることを特徴とする請求項３８に記載の組立品。
【請求項４０】
上記中性子減速物質が、上記反応度制御棒の内部に、不均一に分布していることを特徴とする請求項３８に記載の組立品。
【請求項４１】
上記中性子減速物質が、上記反応度制御棒の内部に、均一に分布していることを特徴とする請求項３８に記載の組立品。
【請求項４２】
上記中性子吸収毒が、銀、インジウム、カドミウム、ガドリニウム、ハフニウム、リチウム、３Ｈｅ、分裂生成物、プロトアクチニウム、ネプツニウムおよびホウ素から選ばれる少なくとも一つの毒を含んでいることを特徴とする請求項１または２に記載の組立品。
【請求項４３】
上記中性子吸収毒が、上記反応度制御棒の内部に、不均一に分布していることを特徴とする請求項１または２に記載の組立品。
【請求項４４】
上記中性子吸収毒が、上記反応度制御棒の内部に、均一に分布していることを特徴とする請求項１または２に記載の組立品。
【請求項４５】
上記核分裂性同位体に転換可能な核分裂燃料物質により達成可能な反応度への効果が、上記中性子吸収毒により達成可能な反応度への効果と等しいことを特徴とする請求項１または２に記載の組立品。
【請求項４６】
上記反応度制御棒が、第１領域と第２領域とを有し、
上記反応度制御棒の上記第１領域に第１濃度の上記中性子吸収毒が配置され、上記反応度制御棒の上記第２領域に第２濃度の上記中性子吸収毒が配置され、
上記反応度制御棒の上記第１領域に第３濃度の上記核分裂性同位体に転換可能な核分裂燃料物質が配置され、上記反応度制御棒の上記第２領域に第４濃度の上記核分裂性同位体に転換可能な核分裂燃料物質が配置されていることを特徴とする請求項１または２に記載の組立品。
【請求項４７】
上記第２濃度の上記中性子吸収毒の反応度効果が、上記第３濃度の上記核分裂性同位体に転換可能な核分裂燃料物質の反応度効果と等しいことを特徴とする請求項４６に記載の組立品。
【請求項４８】
上記第１濃度の上記中性子吸収毒の反応度効果が、上記第４濃度の上記核分裂性同位体に転換可能な核分裂燃料物質の反応度効果と等しいことを特徴とする請求項４６に記載の組立品。
【請求項４９】
上記第２濃度の上記中性子吸収毒の反応度効果が、上記第３濃度の上記核分裂性同位体に転換可能な核分裂燃料物質の反応度効果と異なることを特徴とする請求項４６に記載の組立品。
【請求項５０】
上記第１濃度の上記中性子吸収毒の反応度効果が、上記第４濃度の上記核分裂性同位体に転換可能な核分裂燃料物質の反応度効果と異なることを特徴とする請求項４６に記載の組立品。
【請求項５１】
上記第１濃度と上記第３濃度との反応度効果の和が、上記第２濃度と上記第４濃度との反応度効果の和と等しいことを特徴とする請求項４６に記載の組立品。
【請求項５２】
上記第１領域と上記第２領域との間で、反応度効果が一定であることを特徴とする請求項４６に記載の組立品。
【請求項５３】
上記核分裂性同位体に転換可能な核分裂燃料物質および上記中性子吸収毒のうちの少なくとも一方が、粉末形態で提供されることを特徴とする請求項１または２に記載の組立品。
【請求項５４】
上記核分裂性同位体に転換可能な核分裂燃料物質および上記中性子吸収毒のうちの少なくとも一方が、離散型粒子の形態で提供されることを特徴とする請求項１または２に記載の組立品。
【請求項５５】
上記核分裂性同位体に転換可能な核分裂燃料物質および上記中性子吸収毒が、互いと相対的に、空間的に固定されていることを特徴とする請求項１または２に記載の組立品。
【請求項５６】
上記核分裂性同位体に転換可能な核分裂燃料物質および上記中性子吸収毒が、互いと相対的に、空間的に移動可能であることを特徴とする請求項１または２に記載の組立品。
【請求項５７】
物理的関連が、上記反応度制御棒の内側に位置すること、および、上記反応度制御棒の外側に取り付けられること、から選ばれる少なくとも一つの関連を含んでいることを特徴とする請求項１または２に記載の組立品。
【請求項５８】
上記反応度パラメータが、中性子フルエンス、中性子束、中性子分裂、中性子生成物、放射性崩壊事象、温度、圧力、出力、同位体濃度、燃焼度および中性子スペクトルから選ばれる少なくとも一つのパラメータを含んでいることを特徴とする請求項１または２に記載の組立品。
【請求項５９】
上記センサが、分裂検出器、中性子束監視装置、中性子フルエンスセンサ、分裂生成物検出器、温度センサ、圧力センサおよび出力センサから選ばれる少なくとも一つのセンサを含んでいることを特徴とする請求項１または２に記載の組立品。
【請求項６０】
少なくとも一つのセンサが、交換式であることを特徴とする請求項１または２に記載の組立品。
【請求項６１】
上記反応度制御棒が、分裂生成物を蓄積するように構成された少なくとも一つのチャンバを規定することを特徴とする請求項１または２に記載の組立品。
【請求項６２】
上記チャンバがプレナムを含んでいることを特徴とする請求項６１に記載の組立品。
【請求項６３】
上記プレナムが、上記核分裂性同位体に転換可能な核分裂燃料物質から分裂誘導中性子のための少なくとも一つの平均自由行路に位置することを特徴とする請求項６２に記載の組立品。
【請求項６４】
上記反応度制御棒が、上記駆動部に電磁気学的に結合されていることを特徴とする請求項６または７に記載のシステム。
【請求項６５】
上記反応度制御棒が、上記駆動部に機械的に連結されていることを特徴とする請求項６または７に記載のシステム。
【請求項６６】
ロッド制御信号を生成するように構成された駆動制御部であって、
駆動部が、上記ロッド制御信号に対応してそこに動作可能に結合された上記反応度制御棒を移動させるように構成された、駆動制御部をさらに備えたことを特徴とする請求項６または７に記載のシステム。
【請求項６７】
上記ロッド制御信号を上記駆動制御部から上記駆動部へ伝達するように構成された通信装置をさらに備えたことを特徴とする請求項６６に記載のシステム。
【請求項６８】
上記駆動制御部が、操作者とのインターフェースを含んでいることを特徴とする請求項６６に記載のシステム。
【請求項６９】
上記駆動制御部が、少なくとも一つの反応度パラメータに基づいて上記ロッド制御信号を自動的に生成するように構成された電気回路を含んでいることを特徴とする請求項６６に記載のシステム。
【請求項７０】
上記駆動部が、上記反応度制御棒を双方向に駆動するように構成されていることを特徴とする請求項６または７に記載のシステム。
【請求項７１】
上記駆動部がさらに、第１停止位置と第２停止位置との間の少なくとも一つの中間位置で、上記反応度制御棒の駆動を停止するように構成されていることを特徴とする請求項７０に記載のシステム。
【請求項７２】
上記駆動部が、反応度制御棒駆動機構を含んでいることを特徴とする請求項６または７に記載のシステム。
【請求項７３】
反応度パラメータの状態を上記センサによって検知することによって、
または、動作パラメータを用いたルックアップテーブルから検索することによって、
または、モデリングソフトウェアを実行することによって、
特定の適用にとって望ましい所望の反応度パラメータを決定する反応度パラメータ決定装置を備えたことを特徴とする請求項１または２に記載の組立品。
【請求項７４】
反応度パラメータの状態をセンサによって検知することによって、
または、動作パラメータを用いたルックアップテーブルから検索することによって、
または、モデリングソフトウェアを実行することによって、
特定の適用にとって望ましい所望の反応度パラメータを決定する反応度パラメータ決定装置を備えていることを特徴とする請求項６または７に記載のシステム。
【請求項７５】
上記反応度制御システムが、
複数の反応度パラメータ決定装置であって、該反応度パラメータ決定装置のそれぞれが、
反応度パラメータの状態をセンサによって検知することによって、
または、動作パラメータを用いたルックアップテーブルから検索することによって、
または、モデリングソフトウェアを実行することによって、
特定の適用にとって望ましい所望の反応度パラメータを決定する反応度パラメータ決定装置を備えていることを特徴とする請求項１７または１８に記載の原子炉。
【発明の詳細な説明】
【発明の詳細な説明】
【０００１】
〔技術分野〕
本発明は、核分裂原子炉における反応度の制御に関する。
【０００２】
〔関連出願との相互参照〕
本願は、以下のリストの出願（「関連出願」）に関連し、それらからの最も早く利用可能な有効な出願日の利益を主張する（例えば、仮出願以外の最も早い利用可能な優先日を主張する。または、関連出願の仮出願、任意のかつすべての特許、祖父母、曾祖父母などの出願の３５ＵＳＣ１１９条（ｅ）下の利益を主張する）。関連出願のおよび関連出願の仮出願、任意のかつすべての特許、祖父母、曾祖父母などの出願の主題は、主題がここと矛盾しない範囲において参照によりここに盛り込まれる。
【０００３】
〔関連出願〕
ＵＳＰＴＯの特別な法令上の要求の目的のために、本願は、米国特許出願12/590,447、発明の名称「核分裂原子炉における反応度を制御するためのシステムおよび方法」、発明者Charles E. Ahlfeld, Ehud Greenspan, Roderick A. Hyde, Nathan P. Myhrvold, Joshua C. Walter, Kevan D. Weaver, Thomas Allan Weaver, Lowell L. Wood, Jr., and George B. Zimmerman、２００９年１１月６日出願、現在庁に係属中、の一部継続出願を構成する、または、現在係属中の出願が出願日の利益を与えた出願である。
【０００４】
ＵＳＰＴＯの特別な法令上の要求の目的のために、本願は、米国特許出願12/657,736、発明の名称「核分裂原子炉における反応度を制御するためのシステムおよび方法」、発明者Charles E. Ahlfeld, Ehud Greenspan, Roderick A. Hyde, Nathan P. Myhrvold, Robert R. Richardson, Joshua C. Walter, Kevan D. Weaver, Thomas Allan Weaver, Lowell L. Wood, Jr., and George B. Zimmerman、２０１０年１月２５日出願、現在庁に係属中、の一部継続出願を構成する、または、現在係属中の出願が出願日の利益を与えた出願である。
【０００５】
ＵＳＰＴＯの特別な法令上の要求の目的のために、本願は、米国特許出願12/657,734、発明の名称「核分裂原子炉における反応度を制御するためのシステムおよび方法」、発明者Charles E. Ahlfeld, Ehud Greenspan, Roderick A. Hyde, Nathan P. Myhrvold, Joshua C. Walter, Kevan D. Weaver, Thomas Allan Weaver, Lowell L. Wood, Jr., and George B. Zimmerman、２０１０年１月２５日出願、現在庁に係属中、の一部継続出願を構成する、または、現在係属中の出願が出願日の利益を与えた出願である。
【０００６】
米国特許庁（ＵＳＰＴＯ）は、特許出願はシリアル番号を述べるとともに出願が親出願の継続出願または一部継続出願または分割出願であることを示すことをＵＳＰＴＯのコンピュータプログラムが要求するという通知を公開した。Stephen G. Kunin、先願の利益、ＵＳＰＴＯオフィシャルガゼット、２００３年３月１８日である。本願の出願実体（以下、「出願人」）は、法規により列挙される通り優先権が主張される出願を特に参照する。出願人は、法令が、特定の参照言語において明瞭であることを理解し、米国特許出願への優先権を主張するにあたりシリアル番号または「継続出願」または「一部継続出願」などの任意の特徴のどちらも必要としないことを理解する。これにかかわらず、出願人は、ＵＳＰＴＯのコンピュータプログラムがあるデータ入力を要求することを理解し、ここから、出願人は、上記の親出願の一部継続出願として本願を表す。しかし、このような表示が、親出願の事項に追加される新規事項を本願が含むか否かについて、いかなる形のコメントおよび／または認知であるとは、いかなる様態であっても解釈されないということを明白に示す。
【０００７】
〔発明の要約〕
説明のための実施形態は、
核分裂原子炉のための反応度制御組立品、
高速中性子スペクトルを有する核分裂原子炉のための反応度制御システム、
高速中性子スペクトルを有する核分裂進行波原子炉、
高速中性子スペクトルを有する核分裂原子炉において反応度を制御する方法、
高速中性子スペクトルを有する核分裂進行波原子炉を稼働する方法、
高速中性子スペクトルを有する核分裂原子炉において反応度を制御するシステム、
制御可能可動棒の適用を決定する方法、
制御可能可動棒の適用を決定するシステム、および、
制御可能可動棒の適用を決定するコンピュータプログラム製品を提供する。
【０００８】
この要約は説明のためのものであるだけで、いかなる制限をも意味していない。上述の説明、実施形態および特徴に加えて、さらなる特徴や実施形態が、図面と後述の詳細な説明を参照することによって明らかになるだろう。
【０００９】
〔図面の簡単な説明〕
図１Ａないし図１Ｕは、核分裂原子炉のための説明のための反応度制御組立品の部分的概略形状を示す図である。
【００１０】
図２Ａないし図２ＡＰは、高速中性子スペクトルを有する核分裂原子炉のための説明のための反応度制御システムの部分的概略形状を示す図である。
【００１１】
図３は、高速中性子スペクトルを有する説明のための核分裂進行波原子炉の部分的概略形状を示す図である。
【００１２】
図４Ａは、高速中性子スペクトルを有する核分裂原子炉における反応度を制御する説明のための方法のフローチャートである。
【００１３】
図４Ｂないし図４Ｗは、図４Ａの方法の説明のための詳細のフローチャートである。
【００１４】
図５Ａは、高速中性子スペクトルを有する核分裂進行波原子炉を稼働する説明のための方法のフローチャートである。
【００１５】
図５Ｂないし図５Ｘは、図５Ａの方法の説明のための詳細のフローチャートである。
【００１６】
図６Ａは、高速中性子スペクトルを有する核分裂原子炉における反応度を制御する説明のためのシステムのブロックダイヤグラムである。
【００１７】
図６Ｂないし図６Ｐは、図６Ａのシステムの説明のための詳細のブロックダイヤグラムである。
【００１８】
図７Ａは、制御可能可動棒の適用を決定する説明のための方法のフローチャートである。
【００１９】
図７Ｂないし図７Ｇは、図７Ａの方法の説明のための詳細のフローチャートである。
【００２０】
図８Ａは、制御可能可動棒の適用を決定する説明のためのシステムのブロックダイヤグラムである。
【００２１】
図８Ｂないし図８Ｉは、図８Ａのシステムの説明のための詳細のブロックダイヤグラムである。
【００２２】
図９Ａは、核分裂進行波原子炉を稼働する説明のための方法のフローチャートである。
【００２３】
図９Ｂないし図９Ｇは、図９Ａの方法の説明のための詳細のフローチャートである。
【００２４】
〔発明の詳細な実施形態〕
以下の詳細な説明では、その一部を形成する、付随の図面も参照する。図面では、文脈で他のことを述べていない限り、典型的には、同様の部材番号は同様の組成を特定する。詳細な説明に記載の実施形態、図面および請求項は、限定であることを意図しない。ここで挙げた主題の精神または範囲から離れることなく他の実施形態を用いる、または他の変更を行うこともできる。
【００２５】
本願は、表示の明瞭化のために形式的な概略見出しを用いている。しかしながら、本願全体を通じて、概略見出しは表示目的のものであり、別のタイプの主題を議論してもよい（例えば、装置／構造を処理／操作見出しの下に記載し、および／または、処理／操作を処理／操作見出しの下に議論する、および／または、単一の話題の記述が２つまたはそれより多い話題の見出しに渡ってもよい）ことが理解されるだろう。ここから、形式的な概略見出しの使用は、限定であることを意図しない。
【００２６】
〔反応度制御組立品の説明〕
図１Ａを参照し、外観のために、核分裂原子炉（図示せず）のための、説明のための反応度制御組立品１０を示す。反応度制御棒１２は、中性子（図示せず）を吸収するように構成された中性子吸収物質１４を含んでいる。反応度制御棒１２には、少なくとも一つのセンサ１８が物理的に関連している。センサ１８は、反応度制御棒１２と関連した少なくとも一つの反応度パラメータの状態を検知するように構成されている。説明のための詳細は、非限定の例を用いて以下に述べる。
【００２７】
反応度制御棒１２は、任意のタイプの適切な反応度制御棒であってよいことが理解されるであろう。いくつかの実施形態では、反応度制御棒１２は、スタンドアローンの反応度制御棒であってよい。すなわち、このような形態では、反応度制御棒１２は、核分裂燃料棒および／または他の反応度制御棒などの他の棒とともに組立品へグループ化されない。いくつかの実施形態では、反応度制御棒１２は、核分裂燃料棒および／または他の反応度制御棒を含んだ組立品の一部であってよい。
【００２８】
反応度制御棒１２は、特定の適用のために所望される任意の物理的形状を有していてよいことも理解されるであろう。非限定の例を用いれば、種々の実施形態において、反応度制御棒１２は、正方形、長方形、円、卵形その他所望の任意の形状である断面形状を有していてよい。種々の実施形態において、反応度制御棒１２は、刃として具体化されてよく、また、長方形、「Ｘ」、「＋」その他任意の形状である断面形状を有していてよい。反応度制御棒１２は、反応度制御棒１２が用いられる核分裂原子炉として適した任意の形状を有していてよい。反応度制御棒１２の形状に関しては限定を意図しないし、誰も推論すべきでない。
【００２９】
いくつかの実施形態では、中性子吸収物質１４は、高速スペクトル中性子を吸収するように構成されてよい。例えば、中性子吸収物質１４は、高速スペクトル中性子の吸収を許可する吸収断面を有してよい。すなわち、少なくともおよそ０．１１ＭｅＶのオーダーでのエネルギーレベルを有する中性子である。非限定の例を用いれば、中性子吸収物質１４は、およそ１０バーンまたはそれより少ないオーダーの吸収断面を有してよい。いくつかの実施形態では、核分裂性同位体に転換可能（ｆｅｒｔｉｌｅ）な核分裂燃料物質１６は、高速中性子を吸収する中性子吸収物質１４の構成要素として機能してよい。いくつかの実施形態では、中性子吸収物質１４の他の構成要素も、（核分裂性同位体に転換可能な核分裂燃料物質１６に加えて、）高速中性子を吸収する中性子吸収物質１４の追加構成要素として機能してよい。以下に、核分裂性同位体に転換可能な核分裂燃料物質１６および、中性子吸収物質１４の他の構成要素に関する説明のための詳細を示す。
【００３０】
いくつかの適用では、高速スペクトル中性子の内部の核分裂原子炉の中性子スペクトルを維持することが望ましいことがある。非限定の例を用いれば、反応度制御組立品は、高速核分裂原子炉における反応度を制御するのを助けるのに用いてもよい。これは、限定されないが、例えば、進行波原子炉または高速増殖炉、例えば、液体金属高速増殖炉やガス冷却高速増殖炉などである。そのためには、他のいくつかの実施形態では、中性子吸収物質１４は、中性子の減速を減少させるように構成されてよい。例えば、中性子吸収物質１４は、高速スペクトル中性子のスローダウンの量を減少させるのに役立つことができる適した大きさの原子量を有してよい。したがって、高速中性子スペクトルから、エピサーマル中性子スペクトルまたは熱中性子スペクトルなどの、およそ０．１ＭｅＶより少ない中性子エネルギーレベルを有する中性子スペクトルに向かっての中性子スペクトルの軟化において減少させてもよい。非限定の例を用いれば、限定しないが、ウラン、トリウムなどのアクチニド系列の元素は、中性子の減速を減少させるのに役立つ十分大きな原子量を示すことが理解されるであろう。
【００３１】
いくつかの実施形態では、高速スペクトル中性子は、核分裂進行波の一部であってよい。核分裂進行波は、核分裂デフラグレーション波とも呼ばれる。核分裂進行波の開始および伝搬の非限定の例として、
米国特許出願No. 11/605,943、発明の名称AUTOMATED NUCLEAR POWER REACTOR FOR LONG-TERM OPERATION、発明者RODERICK A. HYDE, MURIEL Y. ISHIKAWA, NATHAN P. MYHRVOLD, LOWELLL. WOOD, JR.、２００６年１１月２８日出願、
米国特許出願No. 11/605,848、発明の名称METHOD AND SYSTEM FOR PROVIDING FUEL IN A NUCLEAR REACTOR、発明者RODERICK A. HYDE, MURIEL Y. ISHIKAWA, NATHAN P. MYHRVOLD, LOWELL L. WOOD, JR、２００６年１１月２８日出願、および、
米国特許出願No. 11/605,933、発明の名称CONTROLLABLE LONG TERM OPERATION OF A NUCLEAR REACTOR、発明者RODERICK A. HYDE, MURIEL Y. ISHIKAWA, NATHAN P. MYHRVOLD, LOWELLL. WOOD, JR.、２００６年１１月２８日出願
があり、それらの内容全体を参照してここに導入する。
【００３２】
核分裂性同位体に転換可能な核分裂燃料物質１６は、中性子吸収物質１４に含まれ、特定の適用のために所望される任意のタイプの核分裂性同位体に転換可能な核分裂燃料物質を含むことができる。例えば、いくつかの実施形態では、核分裂性同位体に転換可能な核分裂燃料物質１６は、ウラン、例えば２３８Ｕを含んでよい。２３８Ｕの高速中性子に対する吸収クロススペクトルはおよそ０．２バーンのオーダーにあることが理解されるであろう。いくつかの実施形態では、核分裂性同位体に転換可能な核分裂燃料物質１６は、トリウム、例えば２３２Ｔｈを含んでよい。２３２Ｔｈの高速中性子に対する吸収クロススペクトルはおよそ０．２バーンのオーダーにあることが理解されるであろう。核分裂性同位体に転換可能な核分裂燃料物質１６は、限定されないが、粉末形態、ビーズやペレットのような離散粒子形態または所望されるその他の任意の形態のような、所望の任意の適切な形状で提供することができる。
【００３３】
いくつかの適用では、高速中性子スペクトルから、エピサーマル中性子スペクトルまたは熱中性子スペクトルなどの、およそ０．１ＭｅＶより少ない中性子エネルギーレベルを有する中性子スペクトルに向かって中性子スペクトルを軟化させることが望ましい。例えば、このような適用では、反応度制御組立品１０は、限定されないが、圧力水原子炉のような熱核分裂原子炉において反応度の制御を助けるのに用いてもよい。他の例として、他のいくつかの適用において、反応度制御組立品１０は、照射ダメージを減少させるために中性子スペクトルを軟化させることが望ましいような高速核分裂原子炉の反応度の制御を助けるのに用いてもよい。そのために、図１Ｂないし図１Ｇを参照して、いくつかの実施形態では、反応度制御棒１２はまた、核分裂性同位体に転換可能な核分裂燃料物質１６に加えて、中性子減速物質２０を含んでもよい。中性子減速物質２０は、特定の適用のために所望される任意の適切な中性子減速物質を含んでもよい。非限定の例を用いれば、中性子減速物質２０は、水素、重水素、ヘリウム、リチウム、ホウ素、炭素、グラファイト、ナトリウム、鉛などのうちの任意の一つまたはそれより多いものを含んでもよい。
【００３４】
中性子減速物質２０が提供される場合、中性子減速物質２０は、特定の適用のために所望される任意のやり方で、反応度制御棒１２の内部に分布されてよい。例えば、また限定されないが説明のために図１Ｂないし図１Ｆに示すように、いくつかの実施形態では、中性子減速物質２０は、反応度制御棒１２の内部に不均一に分布されてよい。非限定の例を用いれば、中性子減速物質２０は、ディスク２１（図１Ｂおよび図１Ｃ）に不均一に分布されてよい。ディスク２１は、反応度制御棒１２の軸方向に実質的に同軸に向いており（図１Ｂ参照）、あるいは、反応度制御棒１２の軸方向に対し実質的に横断している（図１Ｃ参照）。さらに非限定の例を用いれば、中性子減速物質２０は、（図１Ｄに示すように）反応度制御棒１２の端に向かって、あるいは、（図１Ｅに示すように）反応度制御棒１２の中央に向かって、不均一に分布されてもよい。さらに非限定の例を用いれば、中性子減速物質２０は、（図１Ｆに示すように）ロッドフォロア２３として提供されてもよい。任意の不均一な分布が、所望のように用いられてもよいことが理解されるであろう。特定の不均一な分布は、説明の目的で含まれないし、誰も推論すべきでない。他のいくつかの実施形態では、また図１Ｇに示すように、中性子減速物質２０は、反応度制御棒１２の内部に実質的に均一に分布されてもよい。
【００３５】
図１Ｈないし図１Ｍを参照して、いくつかの実施形態では、中性子吸収物質１４はまた、核分裂性同位体に転換可能な核分裂燃料物質１６に加えて、中性子吸収毒２２を含んでもよい。中性子吸収毒２２は、所望される任意の適切な中性子吸収毒を含んでもよい。例えば、また非限定の例を用いれば、中性子吸収毒２２は、銀、インジウム、カドミウム、ガドリニウム、ハフニウム、リチウム、３Ｈｅ、分裂生成物、プロトアクチニウム、ネプツニウム、ホウ素などのうちの任意の一つまたはそれより多いものを含んでもよい。中性子吸収毒２２は、限定されないが、粉末形態、ビーズやペレットのような離散粒子形態または所望されるその他の任意の形態のような、所望の任意の適切な形状で提供することができる。
【００３６】
中性子吸収毒２２が提供される場合、中性子吸収毒２２は、特定の適用のために所望される任意のやり方で、反応度制御棒１２の内部に分布されてよい。例えば、また限定されないが説明のために図１Ｈないし図１Ｌに示すように、いくつかの実施形態では、中性子吸収毒２２は、反応度制御棒１２の内部に不均一に分布されてよい。非限定の例を用いれば、中性子吸収毒２２は、ディスク２５（図１Ｈおよび図１Ｉ）に不均一に分布されてよい。ディスク２５は、反応度制御棒１２の軸方向に実質的に同軸に向いており（図１Ｈ参照）、あるいは、反応度制御棒１２の軸方向に対し実質的に横断している（図１Ｉ参照）。さらに非限定の例を用いれば、中性子吸収毒２２は、（図１Ｊに示すように）反応度制御棒１２の端に向かって、あるいは、（図１Ｋに示すように）反応度制御棒１２の中央に向かって、不均一に分布されてもよい。さらに非限定の例を用いれば、中性子吸収毒２２は、（図１Ｌに示すように）ロッドフォロア２７として提供されてもよい。任意の不均一な分布が、所望のように用いられてもよいことが理解されるであろう。特定の不均一な分布は、説明の目的で含まれないし、誰も推論すべきでない。他のいくつかの実施形態では、また図１Ｍに示すように、中性子吸収毒２２は、反応度制御棒１２の内部に実質的に均一に分布されてもよい。
【００３７】
いくつかの実施形態では、また図１Ｈないし図１Ｐを参照して、核分裂性同位体に転換可能な核分裂燃料物質１６により達成可能な反応度への効果は、中性子吸収毒２２の部分により達成可能な反応度への効果に向かって同等化されてもよい。例えば、このような同等化は、局所的なフラックスピークを和らげるのに望ましいことがある。核分裂性同位体に転換可能な核分裂燃料物質１６が不均一または均一に分布されるかにかかわらず、また、中性子吸収毒２２が不均一（図１Ｈないし図１Ｌおよび図１Ｏおよび図１Ｐ）または均一（図１Ｍ）に分布されるか、にかかわらず、このような同等化が効果を有してもよいことが理解されるであろう。
【００３８】
他のいくつかの実施形態では、また図１Ｈないし図１Ｐを参照して、核分裂性同位体に転換可能な核分裂燃料物質１６の反応度効果および中性子吸収毒２２の反応度効果は、特定の適用に対して所望されるように、局所的にあつらえられてもよい。例えば、いくつかの実施形態では、また一般に図１Ｎに示すように、反応度制御棒１２は、領域２４および領域２６を有する。領域２４および領域２６は、所望のように、反応度制御棒１２の内部のどこに配置してもよいことが理解されるであろう。説明目的のみのために提供される図面の様子によって限定は意図しておらず、推論すべきでない。ある濃度２８の中性子吸収毒２２が領域２４に配置され、ある濃度３０の中性子吸収毒２２が領域２６に配置される。ある濃度３２の核分裂性同位体に転換可能な核分裂燃料物質１６が領域２４に配置され、ある濃度３４の核分裂性同位体に転換可能な核分裂燃料物質１６が領域２６に配置される。濃度は、所望のように、体積ベース、面積ベース、または長さベースで決定してよいことが理解されるであろう。
【００３９】
濃度２８および３０の中性子吸収毒２２の反応度効果および濃度３２および３４の核分裂性同位体に転換可能な核分裂燃料物質１６の反応度効果は、特定の適用に対して所望されるようにあつらえられてもよい。例えば、いくつかの実施形態では、また図１Ｈないし図１Ｐを参照して、濃度３０の中性子吸収毒２２の反応度効果は、濃度３２の核分裂性同位体に転換可能な核分裂燃料物質１６の反応度効果と実質的に同等化されてもよい。他のいくつかの実施形態では、また図１Ｈないし図１Ｐを参照して、濃度２８の中性子吸収毒２２の反応度効果は、濃度３４の核分裂性同位体に転換可能な核分裂燃料物質１６の反応度効果と実質的に同等化されてもよい。
【００４０】
他のいくつかの実施形態では、また図１Ｈないし図１Ｐを参照して、濃度３０の中性子吸収毒２２の反応度効果は、濃度３２の核分裂性同位体に転換可能な核分裂燃料物質１６の反応度効果とは異なってもよい。他の実施形態では、濃度２８の中性子吸収毒２２の反応度効果は、濃度３４の核分裂性同位体に転換可能な核分裂燃料物質１６の反応度効果とは異なってもよい。
【００４１】
所望に応じて、他の反応度効果が効果を有してもよい。例えば、また図１Ｈないし図１Ｐに示すように、いくつかの実施形態では、濃度２８の中性子吸収毒２２の反応度効果と、濃度３２の核分裂性同位体に転換可能な核分裂燃料物質１６の反応度効果との和は、濃度３０の中性子吸収毒２２の反応度効果と、濃度３４の核分裂性同位体に転換可能な核分裂燃料物質１６の反応度効果との和と、実質的に同等化されてもよい。他のいくつかの実施形態では、反応度効果は、領域２４と領域２６との間で実質的に一定である。
【００４２】
もし望むのであれば、核分裂性同位体に転換可能な核分裂燃料物質１６の濃度および／または中性子吸収毒２２の濃度は、変化させてもよい。例えば、また図１Ｏおよび図１Ｐを参照して、いくつかの実施形態では、核分裂性同位体に転換可能な核分裂燃料物質１６の濃度および／または中性子吸収毒２２の濃度は、連続的な勾配に沿って変化させてもよい。非限定の例を用いれば、また図１Ｏに示すように、核分裂性同位体に転換可能な核分裂燃料物質１６および中性子吸収毒２２は、楔３６および３８にて提供し、互いにその斜辺４０に沿ってそれぞれ隣接するようにしてもよい。非限定の例を用いれば、また図１Ｐに示すように、核分裂性同位体に転換可能な核分裂燃料物質１６および中性子吸収毒２２は、それぞれ、対を成す裁頭円錐部分（ｍａｔｅｄ ｆｒｕｓｔｏｃｏｎｉｃａｌ ｓｅｃｔｉｏｎ）４２および４４にて提供してもよい。核分裂性同位体に転換可能な核分裂燃料物質１６および中性子吸収毒２２は、連続的な勾配に沿って濃度が変化するような他の適切な構成にて提供されてもよく、また、構成は、説明のためのものであって限定のためのものではない図１Ｇおよび図１Ｈに示すものには限定されない。
【００４３】
いくつかの実施形態では、核分裂性同位体に転換可能な核分裂燃料物質１６および／または中性子吸収毒２２の濃度は、非連続的な勾配に沿って変化してもよい。例えば、核分裂性同位体に転換可能な核分裂燃料物質１６および／または中性子吸収毒２２の濃度は、図１Ｈないし図１Ｌに示すように、不均一な分布の結果として、非連続的な勾配に沿って変化してもよい。このような場合には、中性子吸収毒２２が、（均一な分布とは対照的に）離散的な配置で提供されているので、中性子吸収毒２２の濃度は、非連続的な勾配に沿って変化することができる。このような場合にはまた、核分裂性同位体に転換可能な核分裂燃料物質１６が、中性子吸収毒２２の離散的な配置によって互いに分離される離散的な配置で提供されているので、核分裂性同位体に転換可能な核分裂燃料物質１６の濃度は、非連続的な勾配に沿って変化することができる。
【００４４】
いくつかの実施形態では、核分裂性同位体に転換可能な核分裂燃料物質１６および中性子吸収毒２２は、互いに相対的に空間的に固定されてもよい。すなわち、このような構成では、核分裂性同位体に転換可能な核分裂燃料物質１６および中性子吸収毒２２は、互いに相対的に物理的に動かない。しかしながら、他のいくつかの実施形態では、核分裂性同位体に転換可能な核分裂燃料物質１６および中性子吸収毒２２は、互いに相対的に空間的に動くことができてもよい。非限定の例を用いれば、また、図１Ｈないし図１Ｌおよび図１Ｏおよび図１Ｐを手短に参照すると、中性子吸収毒２２の離散的な配置の任意の一つまたはそれより多くは、限定されないがディスク２５のように、制御棒駆動機構（図示せず）などの適切な機構によって、所望のように、反応度制御棒１２でスライド可能なように受けられてよく、また、反応度制御棒１２の中へまたその外へ移動してもよい。
【００４５】
センサ１８は、所望の任意の適切な物理的な関連において反応度制御棒１２に物理的に関連してよい。例えば、図１Ａないし図１Ｐおよび図１Ｑも参照して、いくつかの実施形態では、物理的関連は、反応度制御棒１２の内側４６の内部に配置されるセンサ１８を含んでもよい。例えば、センサ１８は、反応度制御棒１２のクラッディング壁５０の内側表面４８に、任意の適切な装着方法を介して配置されてもよい。さらなる例として、また、図１Ａおよび図１Ｐおよび図１Ｒも参照して、他のいくつかの実施形態では、物理的関連は、反応度制御棒１２の外側５２の近傍に配置されるセンサ１８を含んでもよい。例えば、センサ１８は、クラッディング壁５０の外側表面５４に、任意の適切な装着方法を介して配置されてもよい。
【００４６】
反応度制御棒１２と関連する任意の一つまたはそれより多くの種々の反応度パラメータが、センサ１８で検知されてもよい。非限定の例を用いれば、検知された反応度パラメータは、中性子フルエンス、中性子束、中性子分裂、中性子生成物、放射性崩壊事象、温度、圧力、出力、同位体濃度、燃焼度および中性子スペクトルのような任意の一つまたはそれより多くの反応度パラメータを含んでもよい。
【００４７】
センサ１８は、検知されるのが望ましい反応度パラメータを検知するように構成された任意の適切なセンサを含んでもよい。非限定の例を用いれば、いくつかの実施形態では、センサ１８は、限定されないが、マイクロポケット分裂検出器のような少なくとも一つの分裂検出器を含んでもよい。他のいくつかの実施形態では、センサ１８は、限定されないが、分裂チャンバおよび／またはイオンチャンバのような中性子束監視装置を含んでもよい。いくつかの実施形態では、センサ１８は、限定されないが、積算ダイヤモンドセンサのような中性子フルエンスセンサを含んでもよい。いくつかの実施形態では、センサ１８は、限定されないが、ガス検出器、β検出器および／またはγ検出器のような分裂生成物検出器を含んでもよい。いくつかの実施形態では、提供されるとき、分裂生成物検出器は、分裂生成物ガスにおける同位体のタイプの比を測定するように構成されてもよい。いくつかの実施形態では、センサ１８は、温度センサを含んでもよい。いくつかの実施形態では、センサ１８は、圧力センサを含んでもよい。いくつかの実施形態では、センサ１８は、限定されないが、出力範囲核器具などの出力センサを含んでもよい。いくつかの実施形態では、センサもし望むのであれば、センサ１８は交換式であってよい。
【００４８】
いくつかの適用において、分裂生成物ガスのような分裂生成物によって働く反応度制御棒１２の内部で内圧の効果を緩和することが望ましいこともある。このような場合、および図１Ｓを参照して、いくつかの実施形態では、反応度制御棒１２は、分裂生成物を蓄積するように構成された少なくとも一つのチャンバ５６を規定してもよい。例えば、提供される場合、チャンバ５６はプレナム５８を含んでもよい。いくつかの実施形態では、プレナム５８は、核分裂性同位体に転換可能な核分裂燃料物質１６から、分裂誘導中性子のための少なくとも１平均自由行路λＴ分の位置に配置されてもよい。いくつかの実施形態では、反応度制御棒１２からガス抜けした分裂生成物ガスが反応度制御棒１２へ再侵入するのを防ぐのに役立たせるために、ボールチェックバルブのようなチェックバルブなどの逆流防止装置６０を設けてもよい。
【００４９】
図１Ｔを参照して、いくつかの実施形態では、センサ１８を校正するように構成された校正装置６２を設けてもよい。提供される場合、校正装置６２は、適切に、センサ１８によって検知される、上述の反応度パラメータの公知の特性または属性を有するソースである。
【００５０】
図１Ｕを参照して、いくつかの実施形態では、６６で一般に示されるように、少なくとも一つの通信装置６４が、センサ１８に動作可能に結合されてよい。通信装置１８は、適切には、６８で一般に示されるように、適切な受信装置（図示せず）との信号伝達においてセンサ１８を動作可能に結合できる、任意の受け入れられる装置である。非限定の例を用いれば、通信装置６４は、電気ケーブル、光ファイバーケーブル、テレメトリートランスミッタ、無線周波数トランスミッタ、光トランスミッタなどを含んでもよい。
【００５１】
〔説明のための反応度制御システム〕
図２Ａを参照して、高速中性子スペクトルを有する核分裂原子炉（図示せず）には、説明のための反応度制御システム２１０が提供されている。非限定の例を用いれば、反応度制御システム２１０は、反応度制御棒２１２を含んでいる。反応度制御棒２１２は、高速スペクトル中性子を吸収するように構成された中性子吸収物質２１４を含んでいる。中性子吸収物質２１４の少なくとも一部は、核分裂性同位体に転換可能な核分裂燃料物質２１６を含んでいる。駆動部２１７は、少なくとも一つの反応度パラメータに対応し、また、一般に２１９で示されるように、反応度制御棒２１２に、動作可能に結合されている。非限定の例を用いて、説明のための詳細を以下に示す。
【００５２】
駆動部２１７は、特定の適用にとって望ましい、任意の一つまたはそれより多い種々の反応度パラメータに対応してもよい。いくつかの実施形態では、反応度パラメータは、任意の一つまたはそれより多い、核分裂原子炉の反応度パラメータを含んでもよい。いくつかの実施形態では、反応度パラメータは、任意の一つまたはそれより多い、反応度制御棒２１２の反応度パラメータを含んでもよい。非限定の例を用いれば、反応度パラメータは、中性子フルエンス、中性子束、中性子分裂、中性子生成物、放射性崩壊事象、温度、圧力、出力、同位体濃度、燃焼度および中性子スペクトルのような任意の一つまたはそれより多くの反応度パラメータを含んでもよい。
【００５３】
上述のように、核分裂原子炉（図示せず）は、高速中性子スペクトルを有する。いくつかの実施形態では、核分裂原子炉は、進行波原子炉を含んでもよく、この場合、高速スペクトル中性子は、核分裂進行波の一部であってもよい。いくつかの実施形態では、核分裂原子炉は、液体金属高速増殖炉やガス冷却高速増殖炉などのような高速増殖炉を含んでもよい。
【００５４】
いくつかの実施形態では、中性子吸収物質２１４は、中性子の減速を減少させるように構成されていてもよい。例えば、中性子吸収物質１４は、高速スペクトル中性子のスローダウンの量を減少させるのに役立つことができる適した大きさの原子量を有してよい。したがって、高速中性子スペクトルから、エピサーマル中性子スペクトルまたは熱中性子スペクトルなどの、およそ０．１ＭｅＶより少ない中性子エネルギーレベルを有する中性子スペクトルに向かっての中性子スペクトルの軟化において減少させてもよい。非限定の例を用いれば、限定しないが、ウラン、トリウムなどのアクチニド系列の元素は、中性子の減速を減少させるのに役立つ十分大きな原子量を示すことが理解されるであろう。
【００５５】
核分裂性同位体に転換可能な核分裂燃料物質２１６は、中性子吸収物質２１４に含まれ、特定の適用のために所望される任意のタイプの核分裂性同位体に転換可能な核分裂燃料物質を含むことができる。例えば、いくつかの実施形態では、核分裂性同位体に転換可能な核分裂燃料物質２１６は、ウラン、例えば２３８Ｕを含んでよい。いくつかの実施形態では、核分裂性同位体に転換可能な核分裂燃料物質１６は、トリウム、例えば２３２Ｔｈを含んでよい。核分裂性同位体に転換可能な核分裂燃料物質１６は、限定されないが、粉末形態、ビーズやペレットのような離散粒子形態または所望されるその他の任意の形態のような、所望の任意の適切な形状で提供することができる。
【００５６】
いくつかの適用では、高速中性子スペクトルの内部の中性子スペクトルを、少なくともおよそ０．１ＭｅＶの高速中性子スペクトルの内部にいまなおある、より柔らかい中性子スペクトルに向かって軟化させることが望ましい。例えば、いくつかの適用では、照射ダメージを減少させるために中性子スペクトルを軟化させることが望ましい。そのために、図２Ｂないし図２Ｇを参照して、いくつかの実施形態では、反応度制御棒２１２はまた、核分裂性同位体に転換可能な核分裂燃料物質２１６に加えて、中性子減速物質２２０を含んでもよい。中性子減速物質２２０は、特定の適用のために所望される任意の適切な中性子減速物質を含んでもよい。非限定の例を用いれば、中性子減速物質２２０は、水素、重水素、ヘリウム、リチウム、ホウ素、炭素、グラファイト、ナトリウム、鉛などのうちの任意の一つまたはそれより多いものを含んでもよい。
【００５７】
中性子減速物質２２０が提供される場合、中性子減速物質２２０は、特定の適用のために所望される任意のやり方で、反応度制御棒２１２の内部に分布されてよい。例えば、また限定されないが説明のために図２Ｂないし図２Ｆに示すように、いくつかの実施形態では、中性子減速物質２２０は、反応度制御棒２１２の内部に不均一に分布されてよい。非限定の例を用いれば、中性子減速物質２２０は、ディスク２２１（図２Ｂおよび図２Ｃ）に不均一に分布されてよい。ディスク２２１は、反応度制御棒２１２の軸方向に実質的に同軸に向いており（図２Ｂ参照）、あるいは、反応度制御棒２１２の軸方向に対し実質的に横断している（図２Ｃ参照）。さらに非限定の例を用いれば、中性子減速物質２２０は、（図２Ｄに示すように）反応度制御棒２１２の端に向かって、あるいは、（図２Ｅに示すように）反応度制御棒２１２の中央に向かって、不均一に分布されてもよい。さらに非限定の例を用いれば、中性子減速物質２２０は、（図２Ｆに示すように）ロッドフォロア２２３として提供されてもよい。任意の不均一な分布が、所望のように用いられてもよいことが理解されるであろう。特定の不均一な分布は、説明の目的で含まれないし、誰も推論すべきでない。他のいくつかの実施形態では、また図２Ｇに示すように、中性子減速物質２２０は、反応度制御棒２１２の内部に実質的に均一に分布されてもよい。
【００５８】
図２Ｈないし図２Ｍを参照して、いくつかの実施形態では、中性子吸収物質２１４はまた、核分裂性同位体に転換可能な核分裂燃料物質２１６に加えて、中性子吸収毒２２２を含んでもよい。中性子吸収毒２２２は、所望される任意の適切な中性子吸収毒を含んでもよい。例えば、また非限定の例を用いれば、中性子吸収毒２２２は、銀、インジウム、カドミウム、ガドリニウム、ハフニウム、リチウム、３Ｈｅ、分裂生成物、プロトアクチニウム、ネプツニウム、ホウ素などのうちの任意の一つまたはそれより多いものを含んでもよい。中性子吸収毒２２２は、限定されないが、粉末形態、ビーズやペレットのような離散粒子形態または所望されるその他の任意の形態のような、所望の任意の適切な形状で提供することができる。
【００５９】
中性子吸収毒２２２が提供される場合、中性子吸収毒２２２は、特定の適用のために所望される任意のやり方で、反応度制御棒２１２の内部に分布されてよい。例えば、また限定されないが説明のために図２Ｈないし図２Ｌに示すように、いくつかの実施形態では、中性子吸収毒２２２は、反応度制御棒２１２の内部に不均一に分布されてよい。非限定の例を用いれば、中性子吸収毒２２２は、ディスク２２５（図２Ｈおよび図２Ｉ）に不均一に分布されてよい。ディスク２２５は、反応度制御棒２１２の軸方向に実質的に同軸に向いており（図２Ｈ参照）、あるいは、反応度制御棒２１２の軸方向に対し実質的に横断している（図２Ｉ参照）。さらに非限定の例を用いれば、中性子吸収毒２２２は、（図２Ｊに示すように）反応度制御棒２１２の端に向かって、あるいは、（図２Ｋに示すように）反応度制御棒２１２の中央に向かって、不均一に分布されてもよい。さらに非限定の例を用いれば、中性子吸収毒２２２は、（図２Ｌに示すように）ロッドフォロア２２７として提供されてもよい。任意の不均一な分布が、所望のように用いられてもよいことが理解されるであろう。特定の不均一な分布は、説明の目的で含まれないし、誰も推論すべきでない。他のいくつかの実施形態では、また図２Ｍに示すように、中性子吸収毒２２２は、反応度制御棒２１２の内部に実質的に均一に分布されてもよい。
【００６０】
いくつかの実施形態では、また図２Ｈないし図２Ｐを参照して、核分裂性同位体に転換可能な核分裂燃料物質２１６により達成可能な反応度への効果は、中性子吸収毒２２２の部分により達成可能な反応度への効果に向かって同等化されてもよい。例えば、このような同等化は、局所的なフラックスピークを和らげるのに望ましいことがある。核分裂性同位体に転換可能な核分裂燃料物質２１６が不均一または均一に分布されるかにかかわらず、また、中性子吸収毒２２２が不均一（図２Ｈないし図２Ｌおよび図２Ｏおよび図２Ｐ）または均一（図２Ｍ）に分布されるか、にかかわらず、このような同等化が効果を有してもよいことが理解されるであろう。
【００６１】
他のいくつかの実施形態では、また図２Ｈないし図２Ｐを参照して、核分裂性同位体に転換可能な核分裂燃料物質２１６の反応度効果および中性子吸収毒２２２の反応度効果は、特定の適用に対して所望されるように、局所的にあつらえられてもよい。例えば、いくつかの実施形態では、また一般に図２Ｎに示すように、反応度制御棒２１２は、領域２２４および領域２２６を有する。領域２２４および領域２２６は、所望のように、反応度制御棒２１２の内部のどこに配置してもよいことが理解されるであろう。説明目的のみのために提供される図面の様子によって限定は意図しておらず、推論すべきでない。ある濃度２２８の中性子吸収毒２２２が領域２２４に配置され、ある濃度２３０の中性子吸収毒２２２が領域２２６に配置される。ある濃度２３２の核分裂性同位体に転換可能な核分裂燃料物質２１６が領域２２４に配置され、ある濃度２３４の核分裂性同位体に転換可能な核分裂燃料物質２１６が領域２２６に配置される。濃度は、所望のように、体積ベース、面積ベース、または長さベースで決定してよいことが理解されるであろう。
【００６２】
濃度２２８および２３０の中性子吸収毒２２２の反応度効果および濃度２３２および２３４の核分裂性同位体に転換可能な核分裂燃料物質２１６の反応度効果は、特定の適用に対して所望されるようにあつらえられてもよい。例えば、いくつかの実施形態では、また図２Ｈないし図２Ｐを参照して、濃度２３０の中性子吸収毒２２２の反応度効果は、濃度２３２の核分裂性同位体に転換可能な核分裂燃料物質２１６の反応度効果と実質的に同等化されてもよい。他のいくつかの実施形態では、また図２Ｈないし図２Ｐを参照して、濃度２２８の中性子吸収毒２２２の反応度効果は、濃度２３４の核分裂性同位体に転換可能な核分裂燃料物質２１６の反応度効果と実質的に同等化されてもよい。
【００６３】
他のいくつかの実施形態では、また図２Ｈないし図２Ｐを参照して、濃度２３０の中性子吸収毒２２２の反応度効果は、濃度２３２の核分裂性同位体に転換可能な核分裂燃料物質２１６の反応度効果とは異なってもよい。他の実施形態では、濃度２２８の中性子吸収毒２２２の反応度効果は、濃度２３４の核分裂性同位体に転換可能な核分裂燃料物質２１６の反応度効果とは異なってもよい。
【００６４】
所望に応じて、他の反応度効果が効果を有してもよい。例えば、また図２Ｈないし図２Ｐに示すように、いくつかの実施形態では、濃度２２８の中性子吸収毒２２２の反応度効果と、濃度２３２の核分裂性同位体に転換可能な核分裂燃料物質２１６の反応度効果との和は、濃度２３０の中性子吸収毒２２２の反応度効果と、濃度２３４の核分裂性同位体に転換可能な核分裂燃料物質２１６の反応度効果との和と、実質的に同等化されてもよい。他のいくつかの実施形態では、反応度効果は、領域２２４と領域２２６との間で実質的に一定である。
【００６５】
もし望むのであれば、核分裂性同位体に転換可能な核分裂燃料物質２１６の濃度および／または中性子吸収毒２２２の濃度は、変化させてもよい。例えば、また図２Ｏおよび図２Ｐを参照して、いくつかの実施形態では、核分裂性同位体に転換可能な核分裂燃料物質２１６の濃度および／または中性子吸収毒２２２の濃度は、連続的な勾配に沿って変化させてもよい。非限定の例を用いれば、また図２Ｏに示すように、核分裂性同位体に転換可能な核分裂燃料物質２１６および中性子吸収毒２２２は、楔２３６および２３８にて提供し、互いにその斜辺２４０に沿ってそれぞれ隣接するようにしてもよい。非限定の例を用いれば、また図２Ｐに示すように、核分裂性同位体に転換可能な核分裂燃料物質２１６および中性子吸収毒２２２は、それぞれ、対を成す裁頭円錐部分２４２および２４４にて提供してもよい。核分裂性同位体に転換可能な核分裂燃料物質２１６および中性子吸収毒２２２は、連続的な勾配に沿って濃度が変化するような他の適切な構成にて提供されてもよく、また、構成は、説明のためのものであって限定のためのものではない図２Ｇおよび図２Ｈに示すものには限定されない。
【００６６】
いくつかの実施形態では、核分裂性同位体に転換可能な核分裂燃料物質２１６および／または中性子吸収毒２２２の濃度は、非連続的な勾配に沿って変化してもよい。例えば、核分裂性同位体に転換可能な核分裂燃料物質２１６および／または中性子吸収毒２２２の濃度は、図２Ｈないし図２Ｌに示すように、不均一な分布の結果として、非連続的な勾配に沿って変化してもよい。このような場合には、中性子吸収毒２２２が、（均一な分布とは対照的に）離散的な配置で提供されているので、中性子吸収毒２２２の濃度は、非連続的な勾配に沿って変化することができる。このような場合にはまた、核分裂性同位体に転換可能な核分裂燃料物質２１６が、中性子吸収毒２２２の離散的な配置によって互いに分離される離散的な配置で提供されているので、核分裂性同位体に転換可能な核分裂燃料物質２１６の濃度は、非連続的な勾配に沿って変化することができる。
【００６７】
いくつかの実施形態では、核分裂性同位体に転換可能な核分裂燃料物質２１６および中性子吸収毒２２２は、互いに相対的に空間的に固定されてもよい。すなわち、このような構成では、核分裂性同位体に転換可能な核分裂燃料物質２１６および中性子吸収毒２２２は、互いに相対的に物理的に動かない。しかしながら、他のいくつかの実施形態では、核分裂性同位体に転換可能な核分裂燃料物質２１６および中性子吸収毒２２２は、互いに相対的に空間的に動くことができてもよい。非限定の例を用いれば、また、図２Ｈないし図２Ｌおよび図２Ｏおよび図２Ｐを手短に参照すると、中性子吸収毒２２２の離散的な配置の任意の一つまたはそれより多くは、限定されないがディスク２２５のように、制御棒駆動機構などの適切な機構によって、所望のように、反応度制御棒２１２でスライド可能なように受けられてよく、また、反応度制御棒２１２の中へまたその外へ移動してもよい。
【００６８】
図２Ｑを参照して、いくつかの実施形態では、反応度制御棒２１２は、分裂生成物を蓄積するように構成された少なくとも一つのチャンバ２５６を規定してもよい。例えば、提供される場合、チャンバ２５６はプレナム２５８を含んでもよい。いくつかの実施形態では、プレナム２５８は、核分裂性同位体に転換可能な核分裂燃料物質２１６から、分裂誘導中性子のための少なくとも１平均自由行路λＴ分の位置に配置されてもよい。いくつかの実施形態では、反応度制御棒２１２からガス抜けした分裂生成物ガスが反応度制御棒２１２へ再侵入するのを防ぐのに役立たせるために、ボールチェックバルブのようなチェックバルブなどの逆流防止装置２６０を設けてもよい。
【００６９】
上述のように、駆動部２１７は、少なくとも一つの反応度パラメータに対応している。いくつかの実施形態では、非限定の例を用いれば、反応度制御システム２１０は、反応度パラメータを決定するように構成された装置を含んでもよい。非限定の例を用いれば、また図２Ｒないし図２ＡＬを参照して、装置は、少なくとも一つのセンサ２１８を含んでもよい。
【００７０】
図２Ｒないし図２ＡＬに示すように、いくつかの実施形態では、センサ２１８は、反応度制御棒２１０に物理的に関連してよい。非限定の例を用いれば、図２Ｒないし図２ＡＨにおいて、センサ２１８は、図２Ａないし図２Ｑを参照して示し説明される実施形態の反応度制御棒２１０に物理的に関連してよい。このような場合、図２Ａないし図２Ｑを参照して反応度制御棒２１０の実施形態に関して詳細をすでに述べたので、理解のために繰り返す必要はない。
【００７１】
このような実施形態では、センサ２１８は、所望の任意の適切な物理的な関連において反応度制御棒２１２に物理的に関連してよい。例えば、図２ＡＩを参照して、いくつかの実施形態では、物理的関連は、反応度制御棒２１２の内側２４６の内部に配置されるセンサ２１８を含んでもよい。例えば、センサ２１８は、反応度制御棒２１２のクラッディング壁２５０の内側表面２４８に、任意の適切な装着方法を介して配置されてもよい。さらなる例として、また、図２ＡＪを参照して、他のいくつかの実施形態では、物理的関連は、反応度制御棒２１２の外側２５２の近傍に配置されるセンサ２１８を含んでもよい。例えば、センサ２１８は、クラッディング壁２５０の外側表面２５４に、任意の適切な装着方法を介して配置されてもよい。
【００７２】
センサ２１８は、反応度制御棒２１２に物理的に関連する必要はないことが理解されるであろう。これを受けて、いくつかの実施形態では、センサ２１８は、反応度制御棒２１２に物理的に関連しない。例えば、いくつかの実施形態では、センサ２１８は、反応度制御棒２１２から離れた位置であって、しかしながら検知を所望する反応度パラメータをセンサ２１８が検知できるような位置に配置されてもよい。非限定の例を用いれば、センサ２１８は、反応度制御棒２１２から離れた位置ではあるが、分裂誘導中性子のための１平均自由行路λＴより多くない位置に配置されてもよい。
【００７３】
反応度制御棒２１２と関連する任意の一つまたはそれより多くの種々の反応度パラメータが、センサ２１８で検知されてもよい。非限定の例を用いれば、検知された反応度パラメータは、中性子フルエンス、中性子束、中性子分裂、中性子生成物、放射性崩壊事象、温度、圧力、出力、同位体濃度、燃焼度および／または中性子スペクトルのような任意の一つまたはそれより多くの反応度パラメータを含んでもよい。
【００７４】
センサ２１８は、検知されるのが望ましい反応度パラメータを検知するように構成された任意の適切なセンサを含んでもよい。非限定の例を用いれば、いくつかの実施形態では、センサ２１８は、限定されないが、マイクロポケット分裂検出器のような少なくとも一つの分裂検出器を含んでもよい。他のいくつかの実施形態では、センサ２１８は、限定されないが、分裂チャンバおよび／またはイオンチャンバのような中性子束監視装置を含んでもよい。いくつかの実施形態では、センサ２１８は、限定されないが、積算ダイヤモンドセンサのような中性子フルエンスセンサを含んでもよい。いくつかの実施形態では、センサ２１８は、限定されないが、ガス検出器、β検出器および／またはγ検出器のような分裂生成物検出器を含んでもよい。いくつかの実施形態では、提供されるとき、分裂生成物検出器は、分裂生成物ガスにおける同位体のタイプの比を測定するように構成されてもよい。いくつかの実施形態では、センサ１８は、温度センサを含んでもよい。いくつかの実施形態では、センサ２１８は、圧力センサを含んでもよい。いくつかの実施形態では、センサ２１８は、限定されないが、出力範囲核器具などの出力センサを含んでもよい。いくつかの実施形態では、センサもし望むのであれば、センサ２１８は交換式であってよい。
【００７５】
他のいくつかの実施形態では、反応度パラメータは、センサによって検知されずに決定されてもよい。非限定の例を用いれば、いくつかの実施形態では、装置は、（上述の）少なくとも一つの反応度パラメータを決定するように構成された電気回路（図示せず）を含んでもよい。反応度パラメータは、任意の適切な方法で決定できる。非限定の例を用いれば、反応度パラメータは、はじめに議論したように、温度、圧力、出力レベル、コア寿命における時間（効果的なフルパワーの時間で測定）などの動作パラメータを用いたルックアップテーブルから検索されてもよい。別の非限定の例を用いれば、反応度パラメータは、適切なコンピュータ上で、適切な中性子モデリングソフトウェアを実行することなどによってモデリングされてもよい。例えば、適切な中性子モデリングソフトウェアは、ＭＣＮＰ、ＣＩＮＤＥＲ、ＲＥＢＵＳなどを含む。さらなる非限定の例を用いれば、反応度パラメータは、従来の知識や経験に基づいて原子炉オペレータや任意の他の当業者によって決定されてもよい。
【００７６】
一般的な意味で、当業者は、ここに記載する各種態様（少なくとも一つの反応度パラメータを決定するように構成された電気回路構成を含む）が、各種の「電気回路構成」からなっていると認識できる広範囲のハードウェア、ソフトウェア、ファームウェア、またはこれらの任意の組み合わせによって個別におよび／または集合的に実行可能であることが理解できるであろう。その結果、ここで使用しているように、「電気回路構成」は、少なくとも１つの離散型電気回路を有する電気回路構成、少なくとも１つの集積型回路を有する電気回路構成、少なくとも１つの特定用途向け集積回路を有する電気回路構成、コンピュータプログラムによって構成される汎用演算デバイスを形成する電気回路構成（例えば、ここに記載されるプロセスおよび／またはデバイスを少なくとも部分的に実装する、コンピュータプログラムによって構成される汎用コンピュータ、またはここに記載されるプロセスおよび／またはデバイスを少なくとも部分的に実装する、コンピュータプログラムによって構成されるマイクロプロセッサ）、メモリデバイスを形成する電気回路構成（例えばランダムアクセスメモリ）、および／または通信デバイスを形成する電気回路構成（例えば、モデム、通信スイッチ、または光電気的設備など）などが挙げられるが、これらに限定されるものではない。当業者であれば、ここに記載する主題が、アナログ式またはデジタル式またはこれらの組み合わせで実装されてもかまわないことは理解できるであろう。
【００７７】
図２ＡＫを参照して、いくつかの実施形態では、センサ２１８を校正するように構成された校正装置２６２を設けてもよい。提供される場合、校正装置２６２は、適切に、センサ２１８によって検知される、上述の反応度パラメータの公知の特性または属性を有するソースである。
【００７８】
図２ＡＬを参照して、いくつかの実施形態では、２６６で一般に示されるように、少なくとも一つの通信装置２６４が、センサ２１８に動作可能に結合されてよい。通信装置２１８は、適切には、２６８で一般に示されるように、適切な受信装置（図示せず）との信号伝達においてセンサ２１８を動作可能に結合できる、任意の受け入れられる装置である。非限定の例を用いれば、通信装置２６４は、電気ケーブル、光ファイバーケーブル、テレメトリートランスミッタ、無線周波数トランスミッタ、光トランスミッタなどを含んでもよい。
【００７９】
図２Ａないし図２ＡＬを参照して、反応度制御棒２１２は、一般に２１９で示されるように、所望される任意の適切な方法で、駆動部２１７に結合されている。例えば、いくつかの実施形態では、反応度制御棒２１２は、駆動部２１７に電磁気的に結合されてもよい。他のいくつかの実施形態では、反応度制御棒２１２は、駆動部２１７に機械的に連結されてもよい。
【００８０】
図２ＡＭを参照して、いくつかの実施形態では、反応度制御システム２１０は、ロッド制御信号２７２を生成するように構成された駆動制御部２７０を含んでもよい。このような実施形態においては、駆動部２１７は、ロッド制御信号２７２に対応して（一般に２１９で示すように）そこへ動作可能に結合される反応度制御棒２１７を移動させるように構成されている。
【００８１】
駆動制御部２７０は、ロッド制御信号２７２を生成し、駆動部２１７への信号伝達においてロッド制御信号２７２を伝達する。図２ＡＮを参照して、いくつかの実施形態では、通信装置２７４は、駆動制御部２７０から駆動部２１７へ、ロッド制御信号２７２を伝達するように構成されている。通信装置２７４は、適切には、駆動部２１７との信号伝達において駆動制御部２７０を動作可能に結合することができる任意の受け入れられる装置である。非限定の例を用いれば、通信装置２７４は、電気ケーブル、光ファイバーケーブル、テレメトリートランスミッタ、無線周波数トランスミッタ、光トランスミッタなどを含んでもよい。
【００８２】
駆動制御部２７０は、所望される任意の適切な方法で、ロッド制御信号２７２を生成してよい。例えば、また図２ＡＯを参照して、いくつかの実施形態では、駆動制御部２７０は、オペレータインターフェース２７６を含んでもよい。非限定の例を用いれば、いくつかの実施形態では、オペレータインターフェース２７６は、シムスイッチを含んでもよい。
【００８３】
図２ＡＰを参照して、いくつかの実施形態では、駆動制御部２７０は、（上述した）少なくとも一つの反応度パラメータに基づいて自動的にロッド制御信号２７２を生成するように構成された電気回路２７８を含んでもよい。
【００８４】
図２Ａないし図２ＡＰを参照して、駆動部２１７は、特定の適用のために所望される任意の適切な駆動部であってよい。非限定の例を用いれば、いくつかの実施形態では、駆動部２１７は、反応度制御棒駆動機構を含んでもよい。いくつかの実施形態では、駆動部２１７は、反応度制御棒２１２を双方向に駆動するように構成されていてもよい。すなわち、反応度制御棒２１２が核分裂原子炉での使用のために提供されるとき、反応度制御棒２１２は、所望の核分裂原子炉のコアの中へおよび／またはコアの外へ駆動されてもよい。他のいくつかの実施形態では、駆動部２１７はさらに、第１停止位置と第２停止位置との間の少なくとも一つの中間位置で、反応度制御棒２１７の駆動を停止するように構成されてもよい。
【００８５】
〔説明のための核分裂進行波原子炉〕
図３を参照して、いくつかの実施形態では、高速中性子スペクトルを有する説明のための核分裂進行波原子炉３００は、反応度制御システム２１０の任意の説明のための実施形態を含んでもよい（図２Ａないし図２ＡＰ）。
【００８６】
非限定の例を用いれば、核分裂進行波原子炉３００は、説明のための核分裂原子炉コア３３１を含んでいる。核分裂原子炉コア３３１は、高速中性子スペクトルを有する核分裂進行波をそこに伝搬するように構成された適切な核分裂燃料物質を含んでいる。
【００８７】
上述のように、反応度制御システム２１０は、反応度制御棒２１２を含んでいる。各反応度制御棒２１２は、核分裂進行波の高速スペクトル中性子を吸収するように構成された中性子吸収物質を含んでいる。中性子吸収物質の少なくとも一部は、核分裂性同位体に転換可能な核分裂燃料物質を含んでいる。反応度制御システム２１０はまた、駆動部２１７を含んでいる。駆動部２１７のそれぞれは、一般に２１９で示されるように、少なくとも一つの反応度パラメータに対応し、反応度制御棒２１２の少なくとも一つに動作可能に結合されている。
【００８８】
いくつかの実施形態では、反応度パラメータは、核分裂進行波原子炉の少なくとも一つの反応度パラメータを含んでもよい。しかしながら、他のいくつかの実施形態では、また上述のように、反応度パラメータは、反応度制御棒２１２の少なくとも一つの、少なくとも一つの反応度パラメータを含んでもよい。種々の実施形態において、反応度パラメータは、中性子フルエンス、中性子束、中性子分裂、中性子生成物、放射性崩壊事象、温度、圧力、出力、同位体濃度、燃焼度および／または中性子スペクトルのような一つまたはそれより多くの反応度パラメータを含んでもよい。
【００８９】
核分裂進行波原子炉に含まれる反応度制御システム２１０は、上述の通り所望の任意の方法で具体化してよいことが理解されるであろう。例えば、反応度制御システムと、その構成要素の任意のものとは、限定されないが、図２Ａないし図２ＡＰのうちの任意の一つまたはそれより多くを参照して上述の通りに具体化されてもよい。反応度制御システム２１０の実施形態は上記のように詳細に議論したので、簡潔さのため、詳細は、理解のために繰り返す必要がない。
【００９０】
核分裂進行波原子炉３００の実施形態の説明のための詳細を以下に示す。核分裂進行波原子炉３００は、説明のための目的で以下に述べる限定されない例であり、限定するものではないことが理解されるであろう。
【００９１】
核分裂原子炉コア３３３は、コアを通る垂直な冷却剤流を維持するために働く説明のための原子炉コア囲い３３５の内部に収容されている。いくつかの実施形態では、原子炉コア囲い３３５は、中性子衝撃から、熱交換器のような、プール内構成要素を保護するための放射線遮蔽として機能してもよい。反応度制御棒２１２は、上述のように、そこに発生する分裂処理を制御するための核分裂原子炉コア３３１の中へ、縦方向に延びている。
【００９２】
核分裂原子炉コア３３１は、説明のための原子炉容器３３７の内部に配置されている。いくつかの実施形態では、原子炉容器３３７は、ナトリウム、カリウム、リチウム、鉛、それらの混合物などの液体金属または鉛−ビスマスのような液体金属合金などの冷却剤３３９のプールで、核分裂原子炉コア３３１が冷却剤のプールの液中に隠れる程度にまで、（およそ９０％などのような）適切な量にまで、充填されている。適切には、ここで検討されている説明のための実施形態では、冷却剤は、液体ナトリウム（Ｎａ）金属またはナトリウム−カリウム（Ｎａ−Ｋ）などのナトリウム金属混合物である。さらに、いくつかの実施形態では、封じ込め容器３４１は、核分裂進行波原子炉３００の一部を囲んで密封する。
【００９３】
いくつかの実施形態では、核分裂原子炉コア３３１を冷却する目的で、冷却剤流蒸気または流経路３４５に沿って適切な冷却剤が核分裂原子炉コア３３１を通って流れることを許可するために、核分裂原子炉コア３３１に第１冷却剤パイプ３４３が結合されている。種々の実施形態では、第１冷却剤パイプ３４３は、限定されないが、ステンレス鋼などの物質から、また、非鉄合金、ジルコニウムに基づく合金、または他の適切な構造物質または複合物から形成してもよい。
【００９４】
いくつかの実施形態では、核分裂原子炉コア３３１によって生成される耐熱性冷却剤は、冷却剤流経路３４５に沿って、やはり冷却剤３３９のプールの液中に隠れる中間的な熱交換器３４７へ流れる。中間的な熱交換器３４７は、限定されないが、ステンレス鋼など、冷却剤（限定されないが、冷却剤３３９のプール中の液体ナトリウムなど）の熱および腐食の効果に十分耐える、任意の適切な物質から形成してもよい。冷却剤流経路３４５に沿って流れる冷却剤は、中間的な熱交換器３４７を通って、第１冷却剤パイプ３４３を通り続ける。中間的な熱交換器３４７を過ぎた冷却剤は、中間的な熱交換器３４７で起こる熱移送によって冷却されることが理解されるであろう。いくつかの実施形態では、所望に応じて、電気機械的ポンプまたは電磁気的ポンプであってよいポンプ３４９が、第１冷却剤パイプ３４３に結合される。いくつかの実施形態では、ポンプ３４９は、第１冷却剤パイプ３４３によって運ばれる冷却剤との流体伝達を行う。ポンプ３４９は、第１冷却剤パイプ３４３を通して、核分裂原子炉コア３３１を通して、冷却剤流経路３４５に沿って、そして、中間的な熱交換器３４７の中へと、冷却剤をポンプ処理する。
【００９５】
第２冷却剤パイプ３５１は、中間的な熱交換器３４７から熱を除去するために設けられている。第２冷却剤パイプ３５１は、第２熱レッグパイプセグメント３５３および第２冷レッグパイプセグメント３５５を含んでいる。第２熱レッグパイプセグメント３５３および第２冷レッグパイプセグメント３５５は、中間的な熱交換器３４７に一体的に結合されている。第２冷却剤パイプ３５１は、すでに述べた冷却剤の選択肢の任意の一つなどの流体である第２冷却剤を含んでいる。
【００９６】
第２熱レッグパイプセグメント３５３は、中間的な熱交換器３４７から、蒸気発生器３５７へと延びる。いくつかの実施形態では、所望であれば、蒸気発生器３５７は、過熱器を含んでもよい。第２ループパイプ３５１を通って蒸気発生器３５７を出る第２冷却剤流は、蒸気発生器３５７の内部で起こる熱移送により、蒸気発生器３５７を通った後は、蒸気発生器３５７に入る前よりも低温および低エンタルピーになる。蒸気発生器３５７を通った後は、第２冷却剤は、ポンプ３５９などによって、第２冷レッグパイプセグメント３５５に沿ってポンプ処理される。ポンプ３５９は、電気機械的ポンプまたは電磁気的ポンプなどであってよい。第２冷レッグパイプセグメント３５５は、前述の熱移送を行う中間的な熱交換器３４７の中へと延びる。
【００９７】
蒸気発生器３５７には、所定の温度を有する水３６１の本体が配置されている。第２熱レッグパイプセグメント３５３を通って流れる第２冷却剤は、水３６１の本体への引き込みおよび対流によってその熱を移送する。水３６１は、第２熱レッグパイプセグメント３５３を通って流れる第２冷却剤よりも低温である。第２熱レッグパイプセグメント３５３を通って流れる第２冷却剤がその熱を水３６１の本体へ移送するので、水３６１の本体の一部は、蒸気発生器３５７の内部で、所定の温度に応じて蒸気３６３へと気化する。蒸気３６３はその後蒸気ライン３６５を通って流れる。蒸気ライン３６５の一端は、蒸気３６３と蒸気を伝達し、蒸気ライン３６５の他端は、水３６１の本体と液体を伝達する。
【００９８】
回転タービン３６７が蒸気ライン３６５に結合され、タービン３６７は、蒸気３６３がそこを通るにつれて回転する。発電機３６９が、回転タービンシャフト３７１によってタービン３６７に結合されている。発電機３６９は、タービン３６７が回転するにつれて、電気を発生させる。
【００９９】
蒸気ライン３６５にはコンデンサ３７３が結合され、タービン３６７を通る蒸気３６３を受け取る。コンデンサ３７３は蒸気３６３を液体の水へと圧縮し、任意の余熱を、循環流体経路３７５および電気機械的ポンプなどの復水ポンプ３７７を介して、冷却塔などのヒートシンク３７９へ通す。ヒートシンク３７９はコンデンサ３７３と関連している。コンデンサ３７３によって圧縮された供給水は、供給水ライン３８１に沿って、コンデンサ３７３から、蒸気発生器３５７へ、供給水ポンプ３８３によってポンプ処理される。供給水ポンプ３８３は、コンデンサ３７３と蒸気発生器３５７との間に挿入される電気機械的ポンプであってよい。
【０１００】
核分裂原子炉コア３３１の実施形態は、反応度制御システム２１０を提供するために所望される任意の適切な構成を含んでもよい。この点について、いくつかの実施形態では、核分裂原子炉コア３３１は、一般に円形の横断面を得るために、一般に、円筒形状であってよい。いくつかの実施形態では、核分裂原子炉コア３３１は、一般に六角形の横断面を得るために、一般に、六角形状であってよい。いくつかの実施形態では、核分裂原子炉コア３３１は、一般に長方形の横断面を得るために、一般に、平行６面体形状であってよい。
【０１０１】
核分裂原子炉コア３３１の構成または形状にかかわらず、核分裂原子炉コア３３１は、進行波核分裂原子炉コアとして稼働される。例えば、限定されないが、Ｕ−２３３、Ｕ−２３５またはＰｕ−２３９などの核分裂可能な物質の同位体濃縮物を含む、核分裂点火装置（明瞭化のため、図示せず）は、核分裂原子炉コア３３１に適切に配置される。点火装置によって中性子が放出される。点火装置によって放出された中性子は、核分裂原子炉コア３３３の内部で核分裂性および／または核分裂性同位体に転換可能な物質によって捕捉され、核分裂連鎖反応を開始する。所望であれば、一旦分裂連鎖反応が自動的に継続するようになったら、点火装置は除去してもよい。
【０１０２】
点火装置は３次元の進行波すなわち「バーンウェーブ」を開始する。点火装置により中性子が「点火」したら、バーンウェーブは点火装置から外へ進行し、進行すなわち伝搬バーンウェーブを形成する。進行するバーンウェーブの速度は、一定または不定である。それゆえ、バーンウェーブが伝搬する速度は制御可能である。例えば、所定のまたはプログラムされたやり方における反応度制御システムの縦方向の移動は、ベント核分裂燃料モジュール３０の中性子反応度を下げるすなわち少なくすることができる。このように、バーンウェーブの後ろまたはバーンウェーブの位置で現在燃えている核燃料の中性子反応度は、バーンウェーブの前の「燃えていない」核燃料の中性子反応度に相対的に、下げられてすなわち少なくなっている。このように反応度を制御するのは、原子炉コア構造物質の許可できる分裂生成物生成および／または中性子フルエンスの量などのような、核分裂原子炉コア３３１の制限の稼働を受けるバーンウェーブの伝搬速度を最大化する。
【０１０３】
このような進行波核分裂原子炉の基本原理は、その詳細が、
米国特許出願11/605,943、発明の名称AUTOMATED NUCLEAR POWER REACTOR FOR LONG-TERM OPERATION、 発明者RODERICK A. HYDE, MURIEL Y. ISHIKAWA, NATHAN P. MYHRVOLD, LOWELLL. WOOD, JR.、出願２００６年１１月２８日、
米国特許出願11/605,848、発明の名称METHOD AND SYSTEM FOR PROVIDING FUEL IN A NUCLEAR REACTOR、 発明者RODERICK A. HYDE, MURIEL Y. ISHIKAWA, NATHAN P. MYHRVOLD, LOWELL L. WOOD, JR.、出願２００６年１１月２８日、
米国特許出願11/605,933、発明の名称CONTROLLABLE LONG TERM OPERATION OF A NUCLEAR REACTOR、 発明者RODERICK A. HYDE, MURIEL Y. ISHIKAWA, NATHAN P. MYHRVOLD, LOWELLL. WOOD, JR.、出願２００６年１１月２８日
に記載され、その内容の全体がここで参照により導入される。
【０１０４】
上述の核分裂進行波原子炉３００の実施形態は、説明のためののみの目的で述べる限定されない例であり、限定するものではないことが理解されるであろう。他のいくつかの実施形態では、核分裂進行波原子炉３００は、ヘリウムなどのガス冷却剤を含むガスで冷却される高速核分裂進行波原子炉であってよい。このような実施形態では、ガス駆動式タービン発電機が、ガス冷却剤によって駆動されてもよい。
【０１０５】
〔説明のための方法、システム、およびコンピュータソフトウェアプログラム製品〕
以下は、処理の実行を描く一連のフローチャートである。理解しやすくするため、フローチャートは、開始のフローチャートが全体の「大きな絵」の観点を介する実行を表し、その後、続くフローチャートは、一つまたはそれより多く早く示したフローチャートを構成するサブステップまたは追加ステップとして、「大きな絵」フローチャートの代替実行および／または展開を表す。当業者は、ここで用いている表示スタイル（例えば、全体の観点を表すフローチャートをまず提示し、その後、その次のフローチャートにおいて追加および／またはさらなる詳細を提供する）が、一般に、種々の処理の実行を迅速かつ容易に理解することができるものであることを理解するであろう。さらに、当業者はさらに、ここで用いている表示スタイルが、それ自身、モジュールおよび／またはオブジェクト指向プログラム設計パラダイムにも適合していることを理解するであろう。また、説明される順序で種々の動作フローが表されているが、種々の動作が、説明した以外の順序で実行できること、または、同時に実行できることも、理解されるべきである。
【０１０６】
図４Ａを参照して、高速中性子スペクトルを有する核分裂原子炉において反応度を制御する方法４００が提供される。方法４００は、ブロック４０２において開始する。ブロック４０４において、高速中性子スペクトルを有する核分裂原子炉の選択された部分の内部で所望の反応度パラメータを決定する。ブロック４０６において、高速スペクトル中性子吸収物質を有する少なくとも一つの反応度制御棒を調整し、高速スペクトル中性子吸収物質の少なくとも一部は、所望の反応度パラメータに対応して、核分裂性同位体に転換可能な核分裂燃料物質を含む。方法４００は、ブロック４０８において終了する。
【０１０７】
方法４００は、高速中性子スペクトルを有する任意の核分裂原子炉に関して実行できることが理解されるであろう。いくつかの実施形態では、方法４００は、核分裂進行波原子炉に関して実行できる。この場合、高速スペクトル中性子は、核分裂進行波の一部であってよい。他のいくつかの実施形態では、方法４００は、液体金属高速増殖炉、ガス冷却高速増殖炉などの任意の適切な高速増殖炉に関して実行できる。それゆえ、高速中性子スペクトルを有する核分裂原子炉の任意の特定のタイプに限定することは、意図されるべきでなく、推測されるべきでない。
【０１０８】
説明のための詳細は、非限定の例によって以下に示される。
【０１０９】
種々の実施形態において、所望の反応度パラメータが、所望の核分裂原子炉の任意の一部に関して決定されてもよい。例えば、図４Ｂを参照して、いくつかの実施形態では、ブロック４０４において高速中性子スペクトルを有する核分裂原子炉の選択された部分の内部で所望の反応度パラメータを決定することは、ブロック４１０において核分裂性同位体に転換可能な核分裂燃料物質の少なくとも一つの所望の反応度パラメータを決定することを含んでもよい。他のいくつかの実施形態では、図４Ｃを参照して、ブロック４０４において高速中性子スペクトルを有する核分裂原子炉の選択された部分の内部で所望の反応度パラメータを決定することは、ブロック４１２において少なくとも一つの反応度制御棒の少なくとも一つの所望の反応度パラメータを決定することを含んでもよい。他のいくつかの実施形態では、図４Ｄを参照して、ブロック４０４において高速中性子スペクトルを有する核分裂原子炉の選択された部分の内部で所望の反応度パラメータを決定することは、ブロック４１４において核分裂原子炉の少なくとも一つの所望の反応度パラメータを決定することを含んでもよい。
【０１１０】
いくつかの実施形態では、反応度制御棒は、所望の反応度パラメータと、反応度パラメータの決定との差に対応して調整されてもよい。例えば、図４Ａおよび図４Ｅを参照して、いくつかの実施形態では、ブロック４１６において、少なくとも一つの決定された反応度パラメータを決定してもよい。さらに図４Ｆを参照して、いくつかの実施形態では、ブロック４１８において、所望の反応度パラメータと、少なくとも一つの決定された反応度パラメータとの差を決定してもよい。さらに図４Ｇを参照して、いくつかの実施形態では、ブロック４０６において高速スペクトル中性子吸収物質を有する少なくとも一つの反応度制御棒を調整し、高速スペクトル中性子吸収物質の少なくとも一部は、所望の反応度パラメータに対応して、核分裂性同位体に転換可能な核分裂燃料物質を含むことは、ブロック４２０において高速スペクトル中性子吸収物質を有する少なくとも一つの反応度制御棒を調整し、中性子吸収物質の少なくとも一部は、所望の反応度パラメータと少なくとも一つの決定された反応度パラメータとの差に対応して、核分裂性同位体に転換可能な核分裂燃料物質を含む、ことを含んでもよい。
【０１１１】
決定された反応度パラメータは、所望の任意の適切な方法で決定してもよい。例えば、図４Ｅおよび図４Ｈを参照して、いくつかの実施形態では、ブロック４１６において少なくとも一つの決定された反応度パラメータを決定することは、ブロック４２２において少なくとも一つの反応度パラメータを予測することを含んでもよい。図４Ｅおよび図４Ｉを参照して、いくつかの実施形態では、ブロック４１６において少なくとも一つの決定された反応度パラメータを決定することは、ブロック４２４において少なくとも一つの反応度パラメータをモデリングすることを含んでもよい。図４Ｅおよび図４Ｊを参照して、いくつかの実施形態では、ブロック４１６において少なくとも一つの決定された反応度パラメータを決定することは、ブロック４２６において少なくとも一つの所定の反応度パラメータを選択することを含んでもよい。
【０１１２】
図４Ｅおよび図４Ｋを参照して、いくつかの実施形態では、ブロック４１６において少なくとも一つの決定された反応度パラメータを決定することは、ブロック４２８において少なくとも一つの反応度パラメータを検知することを含んでもよい。任意の所望の反応度パラメータが任意の適切な方法でブロック４２８において検知されてよいことが理解されるであろう。
【０１１３】
例えば、図４Ｋおよび図４Ｌを参照して、いくつかの実施形態では、ブロック４２８において少なくとも一つの反応度パラメータを検知することは、ブロック４３０において少なくとも一つの反応度パラメータの時間履歴を検知することを含んでもよい。時間履歴を検知することは、１回より多く、検知された反応度パラメータを検知し、および、記録または格納することなどによって、所望に実行してよい。非限定の例を用いれば、少なくとも一つの反応度パラメータの時間履歴は、限定されないが、反応度パラメータの速度、反応度パラメータの蓄積、分裂総量などを含んでもよい。図４Ｋおよび図４Ｍを参照して、いくつかの実施形態では、ブロック４２８において少なくとも一つの反応度パラメータを検知することは、ブロック４３２において少なくとも一つの放射性崩壊事象を検知することを含んでもよい。図４Ｋおよび図４Ｎを参照して、いくつかの実施形態では、ブロック４２８において少なくとも一つの反応度パラメータを検知することは、ブロック４３４において分裂を検出することを含んでもよい。図４Ｋおよび図４Ｏを参照して、いくつかの実施形態では、ブロック４２８において少なくとも一つの反応度パラメータを検知することは、ブロック４３６において中性子束を監視することを含んでもよい。図４Ｋおよび図４Ｐを参照して、いくつかの実施形態では、ブロック４２８において少なくとも一つの反応度パラメータを検知することは、ブロック４３８において中性子フルエンスを検知することを含んでもよい。図４Ｋおよび図４Ｑを参照して、いくつかの実施形態では、ブロック４２８において少なくとも一つの反応度パラメータを検知することは、ブロック４４０において分裂生成物を検出することを含んでもよい。
【０１１４】
図４Ｋおよび図４Ｒを参照して、いくつかの実施形態では、ブロック４２８において少なくとも一つの反応度パラメータを検知することは、ブロック４４２において温度を検知することを含んでもよい。図４Ｋおよび図４Ｓを参照して、いくつかの実施形態では、ブロック４２８において少なくとも一つの反応度パラメータを検知することは、ブロック４４４において圧力を検知することを含んでもよい。図４Ｋおよび図４Ｔを参照して、いくつかの実施形態では、ブロック４２８において少なくとも一つの反応度パラメータを検知することは、ブロック４４６において出力レベルを検知することを含んでもよい。
【０１１５】
図４Ａおよび図４Ｕを参照して、いくつかの実施形態では、ブロック４０６において高速スペクトル中性子吸収物質を有する少なくとも一つの反応度制御棒を調整し、高速スペクトル中性子吸収物質の少なくとも一部は、所望の反応度パラメータに対応して、核分裂性同位体に転換可能な核分裂燃料物質を含むことは、ブロック４４８において高速スペクトル中性子吸収物質を有する少なくとも一つの反応度制御棒を、２つの方向のうち少なくとも一つの方向に移動させ、中性子吸収物質の少なくとも一部は、所望の反応度パラメータに対応して、核分裂性同位体に転換可能な核分裂燃料物質を含む、ことを含んでもよい。種々の実施形態において、上記方向は、核分裂原子炉における軸方向、核分裂原子炉における半径方向、および／または、核分裂原子炉における側面方向、から選ばれる方向を含んでもよい。
【０１１６】
図４Ａおよび図４Ｖを参照して、いくつかの実施形態では、ブロック４２８において少なくとも一つの反応度パラメータを検知することは、ブロック４５０において反応度制御棒の位置の変化に関連して、反応度の差を検知することを含んでもよい。
【０１１７】
図４Ａおよび図４Ｗを参照して、いくつかの実施形態では、ブロック４５２において、少なくとも一つの反応度パラメータを検知するように構成されたセンサを校正してもよい。
【０１１８】
図５Ａを参照して、方法５００は、高速中性子スペクトルを有する核分裂進行波原子炉を稼働するために提供される。方法５００は、ブロック５０２において開始する。ブロック５０３において、核分裂進行波原子炉コアにおいて高速中性子スペクトルを有する核分裂進行波を伝搬させる。ブロック５０４において、核分裂進行波原子炉の選択された部分の内部の所望の反応度パラメータを決定する。ブロック５０６において、高速スペクトル中性子吸収物質を有する少なくとも一つの反応度制御棒を調整し、高速スペクトル中性子吸収物質の少なくとも一部は、所望の反応度パラメータに対応して、核分裂性同位体に転換可能な核分裂燃料物質を含む。方法５００は、ブロック５０８において終了する。
【０１１９】
説明のための詳細は、非限定の例によって以下に示される。
【０１２０】
図５Ａおよび図５Ｂを参照して、いくつかの実施形態では、ブロック５０９において、核分裂進行波原子炉コアにおいて高速中性子スペクトルを有する核分裂進行波を開始する。
【０１２１】
種々の実施形態において、所望の反応度パラメータが、所望の核分裂進行波原子炉の任意の一部に関して決定されてもよい。例えば、図５Ｃを参照して、いくつかの実施形態では、ブロック５０４において核分裂進行波原子炉の選択された部分の内部の所望の反応度パラメータを決定するすることは、ブロック５１０において核分裂性同位体に転換可能な核分裂燃料物質の少なくとも一つの所望の反応度パラメータを決定することを含んでもよい。他のいくつかの実施形態では、図５Ｄを参照して、ブロック５０４において核分裂進行波原子炉の選択された部分の内部の所望の反応度パラメータを決定するすることは、ブロック５１２において少なくとも一つの反応度制御棒の少なくとも一つの所望の反応度パラメータを決定することを含んでもよい。他のいくつかの実施形態では、図５Ｅを参照して、ブロック５０４において核分裂進行波原子炉の選択された部分の内部の所望の反応度パラメータを決定するすることは、ブロック５１４において核分裂進行波原子炉の少なくとも一つの所望の反応度パラメータを決定することを含んでもよい。
【０１２２】
いくつかの実施形態では、反応度制御棒は、所望の反応度パラメータと、反応度パラメータの決定との差に対応して調整されてもよい。例えば、図５Ａおよび図５Ｆを参照して、いくつかの実施形態では、ブロック５１６において、少なくとも一つの決定された反応度パラメータを決定してもよい。さらに図５Ｇを参照して、いくつかの実施形態では、ブロック５１８において、所望の反応度パラメータと、少なくとも一つの決定された反応度パラメータとの差を決定してもよい。さらに図５Ｈを参照して、いくつかの実施形態では、ブロック５０６において高速スペクトル中性子吸収物質を有する少なくとも一つの反応度制御棒を調整し、高速スペクトル中性子吸収物質の少なくとも一部は、所望の反応度パラメータに対応して、核分裂性同位体に転換可能な核分裂燃料物質を含むことは、ブロック５２０において高速スペクトル中性子吸収物質を有する少なくとも一つの反応度制御棒を調整し、中性子吸収物質の少なくとも一部は、所望の反応度パラメータと少なくとも一つの決定された反応度パラメータとの差に対応して、核分裂性同位体に転換可能な核分裂燃料物質を含む、ことを含んでもよい。
【０１２３】
決定された反応度パラメータは、所望の任意の適切な方法で決定してもよい。例えば、図５Ｆおよび図５Ｉを参照して、いくつかの実施形態では、ブロック５１６において少なくとも一つの決定された反応度パラメータを決定することは、ブロック５２２において少なくとも一つの反応度パラメータを予測することを含んでもよい。図５Ｆおよび図５Ｊを参照して、いくつかの実施形態では、ブロック５１６において少なくとも一つの決定された反応度パラメータを決定することは、ブロック５２４において少なくとも一つの反応度パラメータをモデリングすることを含んでもよい。図５Ｆおよび図５Ｋを参照して、いくつかの実施形態では、ブロック５１６において少なくとも一つの決定された反応度パラメータを決定することは、ブロック５２６において少なくとも一つの所定の反応度パラメータを選択することを含んでもよい。
【０１２４】
図５Ｆおよび図５Ｌを参照して、いくつかの実施形態では、ブロック５１６において少なくとも一つの決定された反応度パラメータを決定することは、ブロック５２８において少なくとも一つの反応度パラメータを検知することを含んでもよい。任意の所望の反応度パラメータが任意の適切な方法でブロック５２８において検知されてよいことが理解されるであろう。
【０１２５】
例えば、図５Ｌおよび図５Ｍを参照して、いくつかの実施形態では、ブロック５２８において少なくとも一つの反応度パラメータを検知することは、ブロック５３０において少なくとも一つの反応度パラメータの時間履歴を検知することを含んでもよい。時間履歴を検知することは、１回より多く、検知された反応度パラメータを検知し、および、記録または格納することなどによって、所望に実行してよい。非限定の例を用いれば、少なくとも一つの反応度パラメータの時間履歴は、限定されないが、反応度パラメータの速度、反応度パラメータの蓄積、分裂総量などを含んでもよい。図５Ｌおよび図５Ｎを参照して、いくつかの実施形態では、ブロック５２８において少なくとも一つの反応度パラメータを検知することは、ブロック５３２において少なくとも一つの放射性崩壊事象を検知することを含んでもよい。図５Ｌおよび図５Ｏを参照して、いくつかの実施形態では、ブロック５２８において少なくとも一つの反応度パラメータを検知することは、ブロック５３４において分裂を検出することを含んでもよい。図５Ｌおよび図５Ｐを参照して、いくつかの実施形態では、ブロック５２８において少なくとも一つの反応度パラメータを検知することは、ブロック５３６において中性子束を監視することを含んでもよい。図５Ｌおよび図５Ｑを参照して、いくつかの実施形態では、ブロック５２８において少なくとも一つの反応度パラメータを検知することは、ブロック５３８において中性子フルエンスを検知することを含んでもよい。図５Ｌおよび図５Ｒを参照して、いくつかの実施形態では、ブロック５２８において少なくとも一つの反応度パラメータを検知することは、ブロック５４０において分裂生成物を検出することを含んでもよい。
【０１２６】
図５Ｌおよび図５Ｓを参照して、いくつかの実施形態では、ブロック５２８において少なくとも一つの反応度パラメータを検知することは、ブロック５４２において温度を検知することを含んでもよい。図５Ｌおよび図５Ｔを参照して、いくつかの実施形態では、ブロック５２８において少なくとも一つの反応度パラメータを検知することは、ブロック５４４において圧力を検知することを含んでもよい。図５Ｌおよび図５Ｕを参照して、いくつかの実施形態では、ブロック５２８において少なくとも一つの反応度パラメータを検知することは、ブロック５４６において出力レベルを検知することを含んでもよい。
【０１２７】
図５Ａおよび図５Ｖを参照して、いくつかの実施形態では、ブロック５０６において高速スペクトル中性子吸収物質を有する少なくとも一つの反応度制御棒を調整し、高速スペクトル中性子吸収物質の少なくとも一部は、所望の反応度パラメータに対応して、核分裂性同位体に転換可能な核分裂燃料物質を含むことは、ブロック５４８において高速スペクトル中性子吸収物質を有する少なくとも一つの反応度制御棒を、２つの方向のうち少なくとも一つの方向に移動させ、中性子吸収物質の少なくとも一部は、所望の反応度パラメータに対応して、核分裂性同位体に転換可能な核分裂燃料物質を含む、ことを含んでもよい。種々の実施形態において、上記方向は、核分裂進行波原子炉における軸方向、核分裂進行波原子炉における半径方向、および／または、核分裂進行波原子炉における側面方向、から選ばれる方向を含んでもよい。
【０１２８】
図５Ａおよび図５Ｗを参照して、いくつかの実施形態では、ブロック５２８において少なくとも一つの反応度パラメータを検知することは、ブロック５５０において反応度制御棒の位置の変化に関連して、反応度の差を検知することを含んでもよい。
【０１２９】
図５Ａおよび図５Ｘを参照して、いくつかの実施形態では、ブロック５５２において、少なくとも一つの反応度パラメータを検知するように構成されたセンサを校正してもよい。
【０１３０】
図６Ａを参照して、高速中性子スペクトルを有する核分裂原子炉（図示せず）において反応度を制御するための説明のためのシステム６１０が供給されている。システム６１０は、高速中性子スペクトルを有する核分裂原子炉の選択された部分の内部で所望の反応度パラメータを決定する手段６１２を含んでいる。システム６１０はまた、高速スペクトル中性子吸収物質を有する少なくとも一つの反応度制御棒（図示せず）を調整し、高速スペクトル中性子吸収物質の少なくとも一部は、所望の反応度パラメータに対応して、核分裂性同位体に転換可能な核分裂燃料物質を含む、手段６１４を含んでいる。
【０１３１】
種々の実施形態において、決定手段６１２は、適切な電気回路を含んでもよい。上述の通り、ここで述べた各種態様（高速中性子スペクトルを有する核分裂原子炉の選択された部分の内部で所望の反応度パラメータを決定する手段６１２を含む）は、各種の「電気回路構成」からなっていると認識できる広範囲のハードウェア、ソフトウェア、ファームウェアまたはこれらの任意の組み合わせによって個別におよび／または集合的に実行可能である。その結果、ここで使用しているように、「電気回路構成」の例としては、少なくとも１つの離散型電気回路を有する電気回路構成、少なくとも１つの集積型回路を有する電気回路構成、少なくとも１つの特定用途向け集積回路を有する電気回路構成、コンピュータプログラムによって構成される汎用演算デバイスを形成する電気回路構成（例えば、ここに記載されるプロセスおよび／またはデバイスを少なくとも部分的に実装する、コンピュータプログラムによって構成される汎用コンピュータ、またはここに記載されるプロセスおよび／またはデバイスを少なくとも部分的に実装する、コンピュータプログラムによって構成されるマイクロプロセッサ）、メモリデバイスを形成する電気回路構成（例えば、各種形態のメモリ（例えばランダムアクセスメモリ））、および／または通信デバイスを形成する電気回路構成（例えば、モデム、通信スイッチ、または光電気的設備など）などが挙げられるが、これらの例に限定されるものではないことを強調しておく。当業者であれば、ここに記載する主題が、アナログ式またはデジタル式またはこれらの組み合わせで実装されてもかまわないことは理解できるであろう。
【０１３２】
種々の実施形態において、調整手段は、限定されないが、駆動部のような任意の適切な電気機械的システムを含んでもよい。説明のためであって限定されないが、駆動部の限定されない例は、制御棒駆動機構を含んでもよい。しかしながら、一般的な意味で、ここに記載する各種態様が、ハードウェア、ソフトウェア、ファームウェア、または実質的にはこれらの任意の組み合わせなどの広範囲の電気構成要素、および、剛体、バネまたはねじり体、水理学、および、電磁気的に駆動される装置、または実質的にはこれらの任意の組み合わせなどの機械的な力または動作を分け与え得る広範囲の構成要素、を有する種々のタイプの電気機械的システムによって、個別におよび／または集合的に実行可能であることが理解できるであろう。その結果、ここで使用しているように、「電気機械的システム」は、変換器と動作可能に結合した電気回路構成（例えば、駆動部、モータ、圧電性結晶など）、少なくとも１つの離散型電気回路を有する電気回路構成、少なくとも１つの集積型回路を有する電気回路構成、少なくとも１つの特定用途向け集積回路を有する電気回路構成、コンピュータプログラムによって構成される汎用演算デバイスを形成する電気回路構成（例えば、ここに記載されるプロセスおよび／またはデバイスを少なくとも部分的に実装する、コンピュータプログラムによって構成される汎用コンピュータ、またはここに記載されるプロセスおよび／またはデバイスを少なくとも部分的に実装する、コンピュータプログラムによって構成されるマイクロプロセッサ）、メモリデバイスを形成する電気回路構成（例えばランダムアクセスメモリ）、通信デバイスを形成する電気回路構成（例えば、モデム、通信スイッチ、または光電気的設備など）、および、光学または他のアナログなどの任意の非電気的アナログなどが挙げられるが、これらに限定されるものではない。電気機械的システムの例は、限定されないが、種々の消費者用電子システムや、電動運搬システムなど他のシステム、工場のオートメーションシステム、セキュリティシステム、および、通信／計算システムを含むことも、当業者は理解するであろう。ここで述べる電気機械的システムは、他で内容を具体的に述べているものを除いて、電気駆動と機械駆動の両方を有するとは限らないことを当業者は理解するであろう。
【０１３３】
いくつかの実施形態では、高速スペクトル中性子は、核分裂進行波の一部であってよい。このような場合、核分裂原子炉は、核分裂進行波原子炉を含んでもよい。しかしながら、他の実施形態では、高速スペクトル中性子は、核分裂進行波の一部である必要はない。それゆえ、いくつかの実施形態では、核分裂原子炉は、高速中性子スペクトルを有する任意の適切な核分裂原子炉を含んでもよい。
【０１３４】
図６Ｂを参照して、いくつかの実施形態では、所望の反応度パラメータを決定する手段６１２は、核分裂性同位体に転換可能な核分裂燃料物質の少なくとも一つの所望の反応度パラメータを決定する手段６１６を含んでもよい。他のいくつかの実施形態では、図６Ｃを参照して、いくつかの実施形態では、所望の反応度パラメータを決定する手段６１２は、少なくとも一つの反応度制御棒の少なくとも一つの所望の反応度パラメータを決定する手段６１８を含んでもよい。他のいくつかの実施形態では、図６Ｄを参照して、いくつかの実施形態では、所望の反応度パラメータを決定する手段６１２は、核分裂原子炉の少なくとも一つの所望の反応度パラメータを決定する手段６２０を含んでもよい。手段６１６、６１８および６２０は、上述のような適切な電気回路構成を含んでもよい。
【０１３５】
図６Ｅを参照して、いくつかの実施形態では、システム６１０は、少なくとも一つの決定された反応度パラメータを決定する手段６２２をも含んでもよい。いくつかの実施形態では、手段６２２は、上述のような適切な電気回路構成を含んでもよい。手段６２２の他のいくつかの実施形態を以下に述べる。
【０１３６】
図６Ｆを参照して、いくつかの実施形態では、システム６１０は、所望の反応度パラメータと、少なくとも一つの決定された反応度パラメータとの差を決定する手段６２４を含んでもよい。手段６２４は、限定されないが、コンパレータなどのように、上述のような適切な電気回路構成を含んでもよい。
【０１３７】
さらに図６Ｇを参照して、いくつかの実施形態では、調整手段６１４は、高速スペクトル中性子吸収物質を有する少なくとも一つの反応度制御棒を調整し、高速スペクトル中性子吸収物質の少なくとも一部は、所望の反応度パラメータと少なくとも一つの決定された反応度パラメータとの差に対応して、核分裂性同位体に転換可能な核分裂燃料物質を含む、手段６２６を含んでもよい。手段６２６は、限定されないが、制御棒駆動機構のような、上述のような任意の適切な電気機械的システムを含んでもよい。
【０１３８】
種々の実施形態において、決定手段６２２は、特定の適用に対して所望されるように、任意の方法で、決定された反応度パラメータを決定してもよい。例えば、図６Ｈを参照して、いくつかの実施形態では、少なくとも一つの決定された反応度パラメータを決定する手段６２２は、少なくとも一つの反応度パラメータを予測する手段６２８を含んでもよい。手段６２８は、上述のような適切な電気回路構成を含んでもよい。非限定の例を用いれば、所定の反応度パラメータは、はじめに議論したように、温度、圧力、出力レベル、コア寿命における時間（効果的なフルパワーの時間で測定）などの動作パラメータを用いたルックアップテーブルから検索されてもよい。
【０１３９】
図６Ｉを参照して、他のいくつかの実施形態では、いくつかの実施形態では、少なくとも一つの決定された反応度パラメータを決定する手段６２２は、少なくとも一つの反応度パラメータをモデリングする手段６３０を含んでもよい。手段６３０は、限定されないが、適切なコンピュータなどのように、上述のような適切な電気回路構成を含んでもよい。手段６３０は、電気回路構成上で走る適切な中性子モデリングソフトウェアをも含んでもよい。説明を用いて、適切な中性子モデリングソフトウェアは、ＭＣＮＰ、ＣＩＮＤＥＲ、ＲＥＢＵＳなどを含む。
【０１４０】
図６Ｊを参照して、いくつかの実施形態では、少なくとも一つの決定された反応度パラメータを決定する手段６２２は、少なくとも一つの所定の反応度パラメータを選択する手段６３２を含んでもよい。手段６３２は、上述のような適切な電気回路構成を含んでもよい。
【０１４１】
図６Ｋを参照して、いくつかの実施形態では、いくつかの実施形態では、少なくとも一つの決定された反応度パラメータを決定する手段６２２は、少なくとも一つの反応度パラメータを検知する手段６３４を含んでもよい。種々の実施形態において、検知手段６３４は、以下に述べるように、特定の目的に対して所望されるように、任意の一つまたはそれより多くの種々のセンサおよび検出器を含んでもよい。
【０１４２】
図６Ｌを参照して、いくつかの実施形態では、検知手段６３４は、少なくとも一つの反応度パラメータの時間履歴を検知する手段６３６を含んでもよい。時間履歴を検知することは、１回より多く、検知された反応度パラメータを検知し、および、記録または格納することなどによって、所望に実行してよい。非限定の例を用いれば、少なくとも一つの反応度パラメータの時間履歴は、限定されないが、反応度パラメータの速度、反応度パラメータの蓄積、分裂総量などを含んでもよい。種々の実施形態において、手段６３６は、長期間反応度パラメータの値を格納するように構成された、コンピュータメモリメディアまたはコンピュータメモリストレージなどのような適切な記憶装置を含んでもよい。
【０１４３】
図６Ｍを参照して、いくつかの実施形態では、検知手段は、少なくとも一つの放射性崩壊事象を検知する手段６３８を含んでもよい。非限定の例を用いれば、手段６３８は、所望されるα、βおよび／またはγ放射線を検知する任意の適切な一つまたはそれより多くのセンサまたは検出器を含んでもよい。
【０１４４】
図６Ｋを参照して、種々の実施形態において検知手段６３４は、特定の適用に対して所望される任意の適切なセンサを含んでもよい。非限定の例を用いれば、限定されないが、種々の実施形態において、検知手段６３４は、少なくとも一つの分裂検出器、中性子束監視装置、中性子フルエンスセンサ、分裂生成物検出器、温度センサ、圧力センサおよび／または出力センサなどの、任意の一つまたはそれより多くのセンサを含んでもよい。
【０１４５】
図６Ｎを参照して、いくつかの実施形態では、調整手段６１４は、高速スペクトル中性子吸収物質を有する少なくとも一つの反応度制御棒を、２つの方向のうち少なくとも一つの方向に移動させ、高速スペクトル中性子吸収物質の少なくとも一部は、所望の反応度パラメータに対応して、核分裂性同位体に転換可能な核分裂燃料物質を含む、手段６４０を含んでもよい。いくつかの実施形態では、手段６４０は、制御棒駆動機構および／またはロッド処理システムなどの駆動部を含んでもよい。種々の実施形態において、方向は、核分裂原子炉における軸方向、核分裂原子炉における半径方向、および／または、核分裂原子炉における側面方向、のうちの任意の一つまたはそれより多くを含んでもよい。
【０１４６】
図６Ｏを参照して、いくつかの実施形態では、検知手段６３４は、反応度制御棒の位置の変化に関連して、反応度の差を検知する手段６４２を含んでもよい。種々の実施形態において、手段６４２は、上記電気回路を含んでもよい。いくつかの実施形態では、電気回路は、適切なコンパレータを実施してもよい。
【０１４７】
図６Ｐを参照して、いくつかの実施形態では、システム６１０はまた、検知手段６３４を校正する手段６４４を含んでもよい。種々の実施形態において、校正手段６４４は、センサ１８によって検知される、上述の反応度パラメータの公知の特性または属性を有するソースを含んでもよい。
【０１４８】
図７Ａを参照して、制御可能可動棒の適用を決定する方法７００が供給される。方法７００は、ブロック７０２において開始する。ブロック７０４において、核分裂原子炉における制御可能可動棒の少なくとも一つの反応度パラメータを決定し、制御可能可動棒は、核分裂性同位体に転換可能な核分裂燃料物質を含む。ブロック７０６において、反応度制御棒と核分裂燃料棒とから選ばれた制御可能可動棒の適用を決定する。方法７００は、ブロック７０８において終了する。
【０１４９】
種々の実施形態において、（反応度制御棒と核分裂燃料棒とから選ばれた）制御可能可動棒の適用は、制御可能可動棒における少なくとも一つの決定された反応度パラメータに対応して決定されてもよい。説明のためであって限定のためでない、与えられた非限定の例を以下に述べる。
【０１５０】
図７Ｂを参照して、いくつかの実施形態では、ブロック７１０において、決定された反応度パラメータと対象の反応度パラメータとを比較する。いくつかの実施形態では、（反応度制御棒と核分裂燃料棒とから選ばれた）制御可能可動棒の適用は、決定された反応度パラメータと対象の反応度パラメータとの比較に対応して決定されてもよい。
【０１５１】
図７Ａに戻って参照して、いくつかの実施形態では、少なくとも一つの反応度パラメータは、中性子吸収係数を含んでもよい。図７Ｃを参照して、いくつかの実施形態では、ブロック７１２において、決定された中性子吸収係数と対象の中性子吸収係数とを比較してもよい。&いくつかの実施形態では、（反応度制御棒と核分裂燃料棒とから選ばれた）制御可能可動棒の適用は、決定された中性子吸収係数と対象の中性子吸収係数との比較に対応して決定されてもよい。例えば、選ばれた、制御可能可動棒の適用は、決定された中性子吸収係数が少なくとも対象の中性子吸収係数であるときに、反応度制御棒を含んでもよい。別の例として、選ばれた、制御可能可動棒の適用は、決定された中性子吸収係数が対象の中性子吸収係数より小さいときに、核分裂燃料棒を含んでもよい。
【０１５２】
図７Ａに戻って参照して、いくつかの実施形態では、少なくとも一つの反応度パラメータは、中性子生成係数を含んでもよい。図７Ｄを参照して、いくつかの実施形態では、ブロック７１４において、決定された中性子生成係数と対象の中性子生成係数とを比較してもよい。いくつかの実施形態では、（反応度制御棒と核分裂燃料棒とから選ばれた）制御可能可動棒の適用は、決定された中性子生成係数と対象の中性子生成係数との比較に対応して決定されてもよい。例えば、選ばれた、制御可能可動棒の適用は、決定された中性子生成係数が少なくとも対象の中性子生成係数であるときに、核分裂燃料棒を含んでもよい。別の例として、選ばれた、制御可能可動棒の適用は、決定された中性子生成係数が対象の中性子生成係数より小さいときに、反応度制御棒を含んでもよい。
【０１５３】
図７Ａに戻って参照して、少なくとも一つの反応度パラメータは、特定の適用に対して所望されるように、任意の方法で、決定されてもよい。非限定の例を用いれば、核分裂原子炉における制御可能可動棒の少なくとも一つの反応度パラメータを決定することは、制御可能可動棒の中性子曝露履歴、制御可能可動棒の核分裂性同位体に転換可能な核分裂燃料物質の特性、制御可能可動棒の核分裂性核分裂燃料物質の特性、制御可能可動棒の中性子吸収毒の特性、および／または制御可能可動棒の分裂生成物の特性に基づいてよい。
【０１５４】
図７Ｅを参照して、いくつかの実施形態では、ブロック７０４において核分裂原子炉における制御可能可動棒の少なくとも一つの反応度パラメータを決定することは、ブロック７１６において核分裂原子炉における制御可能可動棒の少なくとも一つの反応度パラメータを監視することを含んでもよい。
【０１５５】
図７Ｆを参照して、他のいくつかの実施形態では、いくつかの実施形態では、ブロック７０４において核分裂原子炉における制御可能可動棒の少なくとも一つの反応度パラメータを決定することは、ブロック７１８において核分裂原子炉における制御可能可動棒の少なくとも一つの反応度パラメータを予測することを含んでもよい。図７Ｇを参照して、いくつかの実施形態では、ブロック７１８において核分裂原子炉における制御可能可動棒の少なくとも一つの反応度パラメータを予測することは、ブロック７２０において核分裂原子炉における制御可能可動棒の少なくとも一つの反応度パラメータを計算することを含んでもよい。
【０１５６】
今度は図８Ａを参照して、制御可能可動棒の適用を決定するシステム８１０が提供される。装置８１２は、核分裂原子炉における制御可能可動棒の少なくとも一つの反応度パラメータを決定するように構成され、制御可能可動棒は、核分裂性同位体に転換可能な核分裂燃料物質を含む。電気回路は、反応度制御棒と核分裂燃料棒とから選ばれた制御可能可動棒の適用を決定するように構成されている。
【０１５７】
種々の実施形態において、（反応度制御棒と核分裂燃料棒とから選ばれた）制御可能可動棒の適用は、制御可能可動棒における少なくとも一つの決定された反応度パラメータに対応して決定されてもよい。説明のためであって限定のためでない、与えられた非限定の例を以下に述べる。
【０１５８】
図８Ｂを参照して、コンパレータ８１６は、決定された反応度パラメータと対象の反応度パラメータとを比較する。このような場合、電気回路８１４は、コンパレータ８１６に対応してもよい。
【０１５９】
なおも図８Ｂを参照して、いくつかの実施形態では、少なくとも一つの反応度パラメータは、中性子吸収係数を含んでもよい。このような場合、コンパレータ８１６はさらに、決定された中性子吸収係数と対象の中性子吸収係数とを比較するように構成されてもよい。電気回路８１４は、コンパレータ８１６による、決定された中性子吸収係数と対象の中性子吸収係数との比較に対応してもよい。いくつかの実施形態では、選ばれた、制御可能可動棒の適用は、決定された中性子吸収係数が少なくとも対象の中性子吸収係数であるときに、反応度制御棒を含んでもよい。他のいくつかの実施形態では、選ばれた、制御可能可動棒の適用は、決定された中性子吸収係数が対象の中性子吸収係数より小さいときに、核分裂燃料棒を含んでもよい。
【０１６０】
なおも図８Ｂを参照して、他のいくつかの実施形態では、少なくとも一つの反応度パラメータは、中性子生成係数を含んでもよい。このような場合、コンパレータ８１６はさらに、決定された中性子生成係数と対象の中性子生成係数とを比較するように構成されてもよい。電気回路８１４は、コンパレータ８１６による、決定された中性子生成係数と対象の中性子生成係数との比較に対応してもよい。いくつかの実施形態では、選ばれた、制御可能可動棒の適用は、決定された中性子生成係数が少なくとも対象の中性子生成係数であるときに、核分裂燃料棒を含んでもよい。他のいくつかの実施形態では、選ばれた、制御可能可動棒の適用は、決定された中性子生成係数が対象の中性子生成係数より小さいときに、反応度制御棒を含んでもよい。
【０１６１】
図８Ａをに戻って参照して、種々の実施形態において、装置８１２は、反応度パラメータを決定するように所望に構成されてもよい。例えば、図８Ｃを参照して、いくつかの実施形態では、装置８１２は、制御可能可動棒の中性子曝露履歴に基づいて、核分裂原子炉における制御可能可動棒の少なくとも一つの反応度パラメータを決定するように構成された電気回路８１８を含んでもよい。
【０１６２】
図８Ｄを参照して、他のいくつかの実施形態では、装置８１２は、制御可能可動棒の核分裂性同位体に転換可能な核分裂燃料物質の特性に基づいて、核分裂原子炉における制御可能可動棒の少なくとも一つの反応度パラメータを決定するように構成された電気回路８２０を含んでもよい。図８Ｅを参照して、いくつかの実施形態では、装置８１２は、制御可能可動棒の核分裂性核分裂燃料物質の特性に基づいて、核分裂原子炉における制御可能可動棒の少なくとも一つの反応度パラメータを決定するように構成された電気回路８２２を含んでもよい。
【０１６３】
図８Ｆを参照して、いくつかの実施形態では、装置８１２は、制御可能可動棒の中性子吸収毒の特性に基づいて、核分裂原子炉における制御可能可動棒の少なくとも一つの反応度パラメータを決定するように構成された電気回路８２４を含んでもよい。図８Ｇを参照して、いくつかの実施形態では、装置８１２は、制御可能可動棒の分裂生成物の特性に基づいて、核分裂原子炉における制御可能可動棒の少なくとも一つの反応度パラメータを決定するように構成された電気回路８２６を含んでもよい。
【０１６４】
図８Ｈを参照して、いくつかの実施形態では、装置８１２は、核分裂原子炉における制御可能可動棒の少なくとも一つの反応度パラメータを監視するように構成された少なくとも一つの監視装置８２８を含んでもよい。非限定の例を用いれば、監視装置８２８は、上述の任意の一つまたはそれより多くのセンサまたは検出器を含んでもよい。
【０１６５】
図８Ｉを参照して、いくつかの実施形態では、装置８１２は、核分裂原子炉における制御可能可動棒の少なくとも一つの反応度パラメータを予測するように構成された電気回路８３０を含んでもよい。例えば、いくつかの実施形態では、電気回路８３０はさらに、核分裂原子炉における制御可能可動棒の少なくとも一つの反応度パラメータを計算するように構成されていてもよい。
【０１６６】
図９Ａを参照して、核分裂進行波原子炉を稼働する説明のための方法９００が提供される。方法９００は、ブロック９０２において開始する。ブロック９０４において、第１の値を有する反応度制御装置を核分裂進行波原子炉の原子炉コアの第１の位置へ挿入する。ブロック９０６において、反応度制御装置の値を修正する。ブロック９０８において、反応度制御装置が第１の値とは異なる第２の値を有するように、反応度制御装置を核分裂進行波原子炉の原子炉コアの第１の位置から第２の位置へ移動させる。方法９００は、ブロック９１０において終了する。
【０１６７】
図９Ｂを参照して、いくつかの実施形態では、ブロック９０６において反応度制御装置の値を修正するのは、ブロック９１２において反応度制御装置によって中性子を吸収することを含んでもよい。図９Ｃを参照して、いくつかの実施形態では、ブロック９１２において反応度制御装置によって中性子を吸収することは、ブロック９１４において反応度制御装置の核分裂性同位体に転換可能な核分裂燃料物質によって中性子を吸収することを含んでもよい。いくつかの場合において、第２の値は、第１の値より大きくてもよい。
【０１６８】
図９Ｄを参照して、他のいくつかの実施形態では、ブロック９０６において反応度制御装置の値を修正することは、ブロック９１６において反応度制御棒の自己遮蔽された可燃性の毒の吸収効果を修正することを含んでもよい。図９Ｅを参照して、いくつかの実施形態では、ブロック９１６において反応度制御棒の自己遮蔽された可燃性の毒の吸収効果を修正することは、ブロック９１８において自己遮蔽された可燃性の毒の自己遮蔽効果を修正することを含んでもよい。図９Ｆを参照して、ブロック９１８において自己遮蔽された可燃性の毒の自己遮蔽効果を修正することは、ブロック９２０において自己遮蔽された可燃性の毒の中性子束への曝露を修正することを含んでもよい。図９Ｇを参照して、ブロック９２０において自己遮蔽された可燃性の毒の中性子束への曝露を修正することは、ブロック９２２において中性子エネルギーを修正することを含んでもよい。いくつかの実施形態では、第２の値は、第１の値より小さくてもよい。他のいくつかの実施形態では、第２の値は、第１の値より大きくてもよい。
【０１６９】
一般的な意味で、当業者であれば、ここに記載する各種実施形態が、広い範囲の電気部品（例えば、ハードウェア、ソフトウェア、ファームウェア、または実質的にこれらの任意の組み合わせ）、ならびに、機械的な力または動きを付与する広い範囲の部品（例えば、剛体、バネ（つまり、ねじれを有する物体）、水力装置、および電磁気によって駆動されるデバイス、または実質的にこれらの任意の組み合わせ）を有する各種の電気機械的システムによって個別におよび／または集合的に実行可能であることは理解できるであろう。その結果、ここで使用しているように、「電気機械的システム」の例としては、変換装置（例えば、アクチュエータ、モータ、圧電性結晶など）に作動可能に結合された電気回路構成、少なくとも１つの離散型電気回路を有する電気回路構成、少なくとも１つの集積型回路を有する電気回路構成、少なくとも１つの特定用途向け集積回路を有する電気回路構成、コンピュータプログラムによって構成される汎用演算デバイスを形成する電気回路構成（例えば、ここに記載されるプロセスおよび／またはデバイスを少なくとも部分的に実装する、コンピュータプログラムによって構成される汎用コンピュータ、またはここに記載されるプロセスおよび／またはデバイスを少なくとも部分的に実装する、コンピュータプログラムによって構成されるマイクロプロセッサ）、メモリデバイスを形成する電気回路構成（例えば、各種形態のメモリ（例えばランダムアクセスメモリなど））、通信デバイスを形成する電気回路構成（例えば、モデム、通信スイッチ、または光電気的設備）、およびこれらの任意の非電気的な等価物（例えば光学的な等価物またはその他の等価物）などが挙げられるが、これらの例に限定されるものではない。当業者であれば、さらに、電気機械的システムの例としては、さまざまな家庭用電化システム、さらに、その他のシステム（例えばモータ搭載型搬送システム、工場の製造工程自動化システム、セキュリティシステム、および通信／演算システム）などが挙げられるが、これらの例に限定されるものではないことが理解できるであろう。当業者であれば、文脈と矛盾する場合を除けば、ここで使用しているように、電気機械的デバイスは、電気的駆動および機械的駆動の両方を有するシステムに限定されるものではないことが理解できるであろう。
【０１７０】
一般的な意味で、当業者であれば、ここに記載する、さまざまなハードウェア、ソフトウェア、ファームウェア、またはこれらの任意の組み合わせによって個別におよび／または集合的に実行可能な各種態様は、各種の「電気回路構成」からなっていると認識してかまわないことが理解できるであろう。その結果、ここで使用しているように、「電気回路構成」の例としては、少なくとも１つの離散型電気回路を有する電気回路構成、少なくとも１つの集積型回路を有する電気回路構成、少なくとも１つの特定用途向け集積回路を有する電気回路構成、コンピュータプログラムによって構成される汎用演算デバイスを形成する電気回路構成（例えば、ここに記載されるプロセスおよび／またはデバイスを少なくとも部分的に実装する、コンピュータプログラムによって構成される汎用コンピュータ、またはここに記載されるプロセスおよび／またはデバイスを少なくとも部分的に実装する、コンピュータプログラムによって構成されるマイクロプロセッサ）、メモリデバイスを形成する電気回路構成（例えば、各種形態のメモリ（例えばランダムアクセスメモリ））、および／または通信デバイスを形成する電気回路構成（例えば、モデム、通信スイッチ、または光電気的設備など）などが挙げられるが、これらの例に限定されるものではない。当業者であれば、ここに記載する主題が、アナログ式またはデジタル式またはこれらの組み合わせで実装されてもかまわないことは理解できるであろう。
【０１７１】
当業者は、システムの態様の、ハードウェアとソフトウェアとの実装の間に残された差が小さいことを認識するであろう。ハードウェアまたはソフトウェアの使用は、一般的に（常にではない。特定の状況では、ハードウェアとソフトウェアとの間の選択は、重要になり得る）、費用対効果のトレードオフを示す設計の選択である。当業者は、ここに記載されるプロセスおよび／またはシステムおよび／または他の技術（例えば、ハードウェア、ソフトウェア、および／または、ファームウェア）を実施することが可能な種々の手段があり、好ましい手段はプロセスおよび／またはシステムおよび／または他の技術が実施される状況に応じて変化し得ることを理解するであろう。例えば、速度と正確さが最優先であると実行者が決定すれば、実行者は、主にハードウェアおよび／またはファームウェアの手段を選択するであろう。あるいは、柔軟性が最優先であれば、実行者は、主にソフトウェアでの実行を選択するであろう。あるいは、ハードウェア、ソフトウェア、および／または、ファームウェアのうちのいくつかの組み合わせを選択するであろう。ここで、ここに記載されるプロセスおよび／または装置および／または他の技術を実施するいくつかの可能な手段が存在するが、本質的に、これらの技術のどれかが、他のものに勝っているというものではない。なぜなら、使用する任意の手段は、該手段を実施可能な状況、および、実施者の特別な関心（例えば、速度、柔軟性、または予測可能性）に応じて変動し得る、一選択だからである。当業者は、実行の光学な点は典型的に光学に向いたハードウェア、ソフトウェア、および／または、ファームウェアを選択するということを理解するであろう。
【０１７２】
上述の詳細な説明は、ブロックダイヤグラム、フローチャート、および／または、実施例を使用しながら、装置および／またはプロセスの種々の実施形態を説明してきた。そのようなものとして、ブロックダイヤグラム、フローチャート、および／または、実施例が、１つまたは複数の機能および／または動作を含む限り、このようなブロックダイヤグラム、フローチャート、または実施例内の各機能および／または動作は、個々に、および／または、集合的に、広範囲のハードウェア、ソフトウェア、ファームウェア、または、実質的にこれらの任意の組み合わせによって実施可能であることは、当業者には理解されるであろう。一つの実施形態では、ここに記載される主題のいくつかの部分は、特定用途向け集積回路（ＡＳＩＣ）、フィールド・プログラマブル・ゲート・アレイ（ＦＰＧＡ）、デジタル信号プロセッサ（ＤＳＰ）、または、他の集積されたフォーマットを介して実施可能である。しかし、当業者は、ここに記載の実施形態のいくつかの態様が、全体的または部分的に、集積回路において、１つまたは複数のコンピュータ上で稼働する１つまたは複数のコンピュータプログラムと同等（例えば、１つまたは複数のコンピュータシステム上で稼働する１つまたは複数のプログラムと同等）、１つまたは複数のプロセッサ上で稼働する１つまたは複数のプログラムと同等（例えば、１つまたは複数のマイクロプロセッサ上で稼働する１つまたは複数のプログラムと同等）、ファームウェアと同等、または、実質的にこれらの任意の組み合わせと同等に実行可能であることを認識すると共に、本開示に鑑み、回路を設計すること、および／または、ソフトウェアおよび／またはファームウェア用のコードを書き込むことは、当業者の技能の範囲内であることを認識するであろう。さらに、ここに記載の主題の機構は、種々の形態のプログラム製品として、配布されることが可能であり、ここに記載の主題の図解される実施形態は、該配布を実際に行うために用いられる信号伝送媒体の特定の種類に関係なく適用されることが、当業者には明らかであろう。信号伝送媒体の例には、記録可能型の媒体（例えば、フロッピー（登録商標）ディスク、ハードディスクドライバ、コンパクトディスク（ＣＤ）、デジタルビデオディスク（ＤＶＤ）、デジタルテープ、コンピュータメモリなど）、並びに、デジタルおよび／またはアナログ通信媒体などの伝送型の媒体（例えば、光ファイバーケーブル、ウェーブガイド、有線通信リンク、無線通信リンクなど）が含まれるが、これらに限定されない。
【０１７３】
ブロックダイヤグラムおよびフローチャートの各ブロックおよびブロックダイヤグラムとフローチャートとの各ブロックの組み合わせは、コンピュータプログラムの指示により実行可能である。これらのコンピュータプログラムの指示は、コンピュータや、装置を生成する他のプログラム可能な装置にロードされ、コンピュータや他のプログラム可能な装置で実行される指示が、ブロックダイヤグラムまたはフローチャートブロックで指定される機能を実行するように構成されたコンピュータ読み取り可能な媒体のソフトウェアプログラムコードを生成する。これらのコンピュータプログラムの指示はまた、特定の方法で機能するようコンピュータや他のプログラム可能な装置に指示することができるコンピュータ読み取り可能なメモリに格納されてもよく、コンピュータ読み取り可能なメモリに格納された指示が、ブロックダイヤグラムまたはフローチャートで指定される機能を実行するコンピュータ読み取り可能な媒体のソフトウェアプログラムコード指示を含む製品を生成する。コンピュータ読み取り可能な媒体のソフトウェアプログラムコード指示はまた、コンピュータや他のプログラム可能な装置で実行される一連の操作ステップを生成するコンピュータや他のプログラム可能な装置にロードされてもよく、コンピュータや他のプログラム可能な装置で実行する指示が、ブロックダイヤグラムまたはフローチャートブロックで特定される指示を実行するためのステップを提供するような、コンピュータで実行されるプロセスを生成する。
【０１７４】
したがって、ブロックダイヤグラムまたはフローチャートのブロックは、特定の機能を実行する手段の組み合わせ、特定の機能を実行するステップの組み合わせ、および、特定の機能を実行するコンピュータ読み取り可能な媒体のソフトウェアプログラムコードをサポートする。ブロックダイヤグラムまたはフローチャートの各ブロック、および、ブロックダイヤグラムまたはフローチャートのブロックにおけるブロックの組み合わせは、特定の機能またはステップを実行する特定の目的のハードウェアに基づくコンピュータシステム、または、特定の目的のハードウェアおよびコンピュータの指示の組み合わせによって実行可能である。
【０１７５】
ここでのほぼ任意の複数および／または単数の用語の使用について、当業者は、文脈および／または適用に適切なように、複数から単数へ、および／または単数から複数へ変換することができる。種々の単数／複数の置換は、明快さのため、ここでは明示していない。
【０１７６】
ここで記述される主題は、ときに、他の異なる成分内に含まれるまたはそれと接続される、異なる成分を示す。このような示された構造が単に例であり、実際同じ機能を達成させる他の多くの構造が実行され得ることが理解されるだろう。概念的な意味で、同じ機能を達成させる組成の任意の構成は、有効に「関連」するので、所望の機能が達成される。ここから、特定の機能を達成させるのにここで結合される任意の２つの成分は、互いに「関連」しているので、構造や中間成分にかかわらず所望の機能が達成される。同様に、よく関連した任意の２つの成分はまた、互いに「動作可能に接続」または「動作可能に結合」されているようとすることができ、所望の機能が達成される。そして、よく関連している任意の２つの成分は、互いに「動作可能に結合可能」とすることができ、所望の機能が達成される。動作可能に結合可能な具体例は、特に限定されないが、物理的に対になり得るおよび／または物理的に相互作用する成分および／または無線で相互作用可能および／または無線で相互作用する成分および／または論理的に相互作用するおよび／または論理的に相互作用できる成分を含む。
【０１７７】
いくつかの例では、１つまたはそれより多い成分は、「構成された」「構成可能」「動作可能／動作する」「適用される／適用可能」「可能」「一致する／一致した」などと表すことができる。当業者は、他を要求しない限り、「構成された」は一般に、活性状態の組成および／または不活性状態の組成および／または安定状態の成分などを含むことを理解するだろう。
【０１７８】
いくつかの例では、１つまたはそれより多い成分は、「構成された」「構成可能」「動作可能／動作する」「適用される／適用可能」「可能」「一致する／一致した」などと表すことができる。当業者は、他を要求しない限り、「構成された」は一般に、活性状態の組成および／または不活性状態の組成および／または安定状態の成分を含むことを理解するだろう。
【０１７９】
ここに記載の本主題の特定の点を記載するが、当業者には、ここに記載の技術に基づき、変化や修飾が個々に記載の主題やより広い見地から離れることなくなされること、および、それゆえ、添付の請求項は、真実の精神およびここに記載の主題の範囲に含まれるようなすべての変更や修飾を包含していることを、理解するだろう。さらに、本発明が添付の請求項によって規定されることが理解されるであろう。一般に、当業者は、ここで用いられる用語、特に添付の請求項で用いられる用語（例えば添付の請求項の本体）が、一般に「開放」的な用語を意図していることを理解するだろう（例えば、「含んでいる」との用語は、「含んでいるが限定されない」と解釈すべきであり、「有する」との用語は、「少なくとも有する」と解釈すべきであり、「含む」との用語は、「含むが限定されない」と解釈すべきである、など）。また、当業者は、盛り込まれた請求項の記載の特定の数が意図される場合、このような意図は、請求項に明白に記載されて、このような意図が存在しないとの記載はないということを理解するだろう。例えば、理解の助けとして、後述の添付の請求項は、請求項の記載に導入する、「少なくとも一つ」および「一つまたはそれより多い」との導入句の使用を含むことができる。しかしながら、このような句の使用は、不定冠詞「ａ」または「ａｎ」による請求項の記載の導入が、たった一つのこのような記載を含んでいる発明への請求項の記載のこのような導入を含む特定の請求項を限定することを含んでいるとは解釈してはならない。たとえ、請求項が、「一つまたはそれより多い」または「少なくとも一つ」および「ａ」または「ａｎ」などの不定冠詞を含んでいたとしてもそうである（例えば、「ａ」および／または「ａｎ」は、典型的には、「少なくとも一つ」または「一つまたはそれより多い」を意味すると解釈すべきである）；同じことは、請求項の記載を導入するのに用いられる定冠詞の使用にも言える。さらに、特定の数の導入された請求項の記載が明確に記載されていても、当業者は、このような記載が、少なくとも記載された数を意図すると典型的に解釈すべきであることを理解するだろう（例えば、他の修飾子のない「２つの記載」との記載そのものは、典型的には、少なくとも２つの記載、または、２つまたはそれより多い記載を意味する）。さらに、「Ａ、ＢおよびＣなどのうちの少なくとも一つ」に似た慣習が用いられる例において、一般に、このような構成は、当業者がこの慣習を理解するであろうという意味において意図される（例えば、「Ａ、ＢおよびＣのうちの少なくとも一つを有するシステム」は、Ａのみ、Ｂのみ、Ｃのみ、ＡおよびＢ、ＡおよびＣ、ＢおよびＣ、および／または、Ａ、ＢおよびＣの全部、などを有するシステムを含むが、これに限定されない）。「Ａ、ＢまたはＣなどのうちの少なくとも一つ」に似た慣習が用いられる例において、一般に、このような構成は、当業者がこの慣習を理解するであろうという意味において意図される（例えば、「Ａ、ＢまたはＣのうちの少なくとも一つを有するシステム」は、Ａのみ、Ｂのみ、Ｃのみ、ＡおよびＢ、ＡおよびＣ、ＢおよびＣ、および／または、Ａ、ＢおよびＣの全部、などを有するシステムを含むが、これに限定されない）。当業者は、典型的に、２つまたはそれより多い代替用語を表す離接的な単語および／または句が、明細書、請求項または図面のいずれであっても、その用語のうちの一つ、その用語のうちのいずれか、その用語の両方、を含む可能性を検討することを理解すべきであることを理解するであろう。例えば、「ＡまたはＢ」との句は、典型的には、「Ａ」または「Ｂ」または「ＡおよびＢ」の可能性を含むと理解される。
【０１８０】
添付の請求項に関し、当業者は、ここで述べる動作が一般に任意の順序で実行してよいことを理解するであろう。このような代替の命令の例は、それ以外の指示の内容が無い限り、重複、交互、中断、再整列、増加、準備、補足、同時、逆、またはその他の変形した命令を含む。内容に関し、「に応じて」、「に関連して」などの用語または他の過去時制形容詞でさえ、一般に、それ以外の指示の内容が無い限り、このような変形を排除することを意図しない。
【０１８１】
当業者は、前記特定の説明のためのプロセスおよび／または装置および／または技術が、ここに添付される請求項および／または本願の他の箇所にあるように、ここで他の箇所で教示されるより一般的なプロセスおよび／または装置および／または技術の代表であることを理解するだろう。
【０１８２】
当業者は、ここで述べた要素（例えば処理ブロック）、装置、対象およびそれらに付随する議論が、概念の明瞭化の目的の例として用いられたこと、および、種々の構成の修飾が当業者の知識の範囲内であることを理解するだろう。したがって、ここで用いられるように、述べた具体例および付随する議論は、より一般的なクラスの代表を意図する。一般に、ここでの特定の例の使用もまた、そのクラスの代表であることが意図され、このような特定の要素（例えば処理ブロック）、装置および対象を盛り込んでいないことは、制限が望まれることを示すととらえるべきではない。
【０１８３】
ここに記載の主題の特徴を、以下の番号を付けた項に提示する。
１．
核分裂原子炉のための反応度制御組立品であって、
中性子を吸収するように構成された中性子吸収物質を含んでいる反応度制御棒であって、該中性子吸収物質の少なくとも一部が、核分裂性同位体に転換可能な核分裂燃料物質を含んでいる、反応度制御棒と、
上記反応度制御棒に物理的に関連した少なくとも一つのセンサであって、少なくとも一つの該センサが、上記反応度制御棒に関連した少なくとも一つの反応度パラメータの状態を検知するように構成されている、センサとを備えたことを特徴とする組立品。
２．
上記中性子吸収物質が、高速スペクトル中性子を吸収するように構成されていることを特徴とする項１に記載の組立品。
３．
上記中性子吸収物質がさらに、中性子の減速を減少させるように構成されていることを特徴とする項２に記載の組立品。
４．
上記高速スペクトル中性子が、核分裂進行波の一部であることを特徴とする項２に記載の組立品。
５．
上記核分裂性同位体に転換可能な核分裂燃料物質が、ウランを含んでいることを特徴とする項１に記載の組立品。
６．
ウランが、２３８Ｕを含んでいることを特徴とする項５に記載の組立品。
７．
上記核分裂性同位体に転換可能な核分裂燃料物質が、トリウムを含んでいることを特徴とする項１に記載の組立品。
８．
トリウムが、２３２Ｔｈを含んでいることを特徴とする項７に記載の組立品。
９．
上記反応度制御棒がさらに、中性子減速物質を含んでいることを特徴とする項１に記載の組立品。
１０．
上記中性子減速物質が、水素、重水素、ヘリウム、リチウム、ホウ素、炭素、グラファイト、ナトリウムおよび鉛から選ばれる少なくとも一つの中性子減速材を含んでいることを特徴とする項９に記載の組立品。
１１．
上記中性子減速物質が、上記反応度制御棒の内部に、実質的に不均一に分布していることを特徴とする項９に記載の組立品。
１２．
上記中性子減速物質が、上記反応度制御棒の内部に、実質的に均一に分布していることを特徴とする項９に記載の組立品。
１３．
上記中性子吸収物質がさらに、中性子吸収毒を含んでいることを特徴とする項１に記載の組立品。
１４．
上記中性子吸収毒が、銀、インジウム、カドミウム、ガドリニウム、ハフニウム、リチウム、３Ｈｅ、分裂生成物、プロトアクチニウム、ネプツニウムおよびホウ素から選ばれる少なくとも一つの毒を含んでいることを特徴とする項１３に記載の組立品。
１５．
上記中性子吸収毒が、上記反応度制御棒の内部に、実質的に不均一に分布していることを特徴とする項１３に記載の組立品。
１６．
上記中性子吸収毒が、上記反応度制御棒の内部に、実質的に均一に分布していることを特徴とする項１３に記載の組立品。
１７．
上記核分裂性同位体に転換可能な核分裂燃料物質により達成可能な反応度への効果が、上記中性子吸収毒により達成可能な反応度への効果と等しいことを特徴とする項１３に記載の組立品。
１８．
上記反応度制御棒が、第１領域と第２領域とを有し、
上記反応度制御棒の上記第１領域に第１濃度の上記中性子吸収毒が配置され、上記反応度制御棒の上記第２領域に第２濃度の上記中性子吸収毒が配置され、
上記反応度制御棒の上記第１領域に第３濃度の上記核分裂性同位体に転換可能な核分裂燃料物質が配置され、上記反応度制御棒の上記第２領域に第４濃度の上記核分裂性同位体に転換可能な核分裂燃料物質が配置されていることを特徴とする項１３に記載の組立品。
１９．
上記第２濃度の上記中性子吸収毒の反応度効果が、上記第３濃度の上記核分裂性同位体に転換可能な核分裂燃料物質の反応度効果と実質的に等しいことを特徴とする項１８に記載の組立品。
２０．
上記第１濃度の上記中性子吸収毒の反応度効果が、上記第４濃度の上記核分裂性同位体に転換可能な核分裂燃料物質の反応度効果と実質的に等しいことを特徴とする項１８に記載の組立品。
２１．
上記第２濃度の上記中性子吸収毒の反応度効果が、上記第３濃度の上記核分裂性同位体に転換可能な核分裂燃料物質の反応度効果と異なることを特徴とする項１８に記載の組立品。
２２．
上記第１濃度の上記中性子吸収毒の反応度効果が、上記第４濃度の上記核分裂性同位体に転換可能な核分裂燃料物質の反応度効果と異なることを特徴とする項１８に記載の組立品。
２３．
上記第１濃度と上記第３濃度との反応度効果の和が、上記第２濃度と上記第４濃度との反応度効果の和と実質的に等しいことを特徴とする項１８に記載の組立品。
２４．
上記第１領域と上記第２領域との間で、反応度効果が実質的に一定であることを特徴とする項１８に記載の組立品。
２５．
上記核分裂性同位体に転換可能な核分裂燃料物質および上記中性子吸収毒のうちの少なくとも一方の濃度が、連続的な勾配に沿って変化することを特徴とする項１３に記載の組立品。
２６．
上記核分裂性同位体に転換可能な核分裂燃料物質および上記中性子吸収毒のうちの少なくとも一方が、粉末形態で提供されることを特徴とする項１３に記載の組立品。
２７．
上記核分裂性同位体に転換可能な核分裂燃料物質および上記中性子吸収毒のうちの少なくとも一方の濃度が、不連続的な勾配に沿って変化することを特徴とする項１３に記載の組立品。
２８．
上記核分裂性同位体に転換可能な核分裂燃料物質および上記中性子吸収毒のうちの少なくとも一方が、離散型粒子の形態で提供されることを特徴とする項１３に記載の組立品。
２９．
上記核分裂性同位体に転換可能な核分裂燃料物質および上記中性子吸収毒が、互いと相対的に、空間的に固定されていることを特徴とする項１３に記載の組立品。
３０．
上記核分裂性同位体に転換可能な核分裂燃料物質および上記中性子吸収毒が、互いと相対的に、空間的に移動可能であることを特徴とする項１３に記載の組立品。
３１．
物理的関連が、上記反応度制御棒の内側に位置すること、および、上記反応度制御棒の外側に取り付けられること、から選ばれる少なくとも一つの関連を含んでいることを特徴とする項１に記載の組立品。
３２．
上記反応度パラメータが、中性子フルエンス、中性子束、中性子分裂、中性子生成物、放射性崩壊事象、温度、圧力、出力、同位体濃度、燃焼度および中性子スペクトルから選ばれる少なくとも一つのパラメータを含んでいることを特徴とする項１に記載の組立品。
３３．
上記センサが、少なくとも一つの分裂検出器を含んでいることを特徴とする項１に記載の組立品。
３４．
上記分裂検出器が、マイクロポケット分裂検出器を含んでいることを特徴とする項３３に記載の組立品。
３５．
上記センサが、中性子束監視装置を含んでいることを特徴とする項１に記載の組立品。
３６．
上記中性子束監視装置が、分裂チャンバを含んでいることを特徴とする項３５に記載の組立品。
３７．
上記中性子束監視装置が、イオンチャンバを含んでいることを特徴とする項３５に記載の組立品。
３８．
上記センサが、中性子フルエンスセンサを含んでいることを特徴とする項１に記載の組立品。
３９．
上記中性子フルエンスセンサが、積算ダイヤモンドセンサを含んでいることを特徴とする項３８に記載の組立品。
４０．
上記センサが、分裂生成物検出器を含んでいることを特徴とする項１に記載の組立品。
４１．
上記分裂生成物検出器が、ガス検出器を含んでいることを特徴とする項４０に記載の組立品。
４２．
上記分裂生成物検出器が、β検出器を含んでいることを特徴とする項４０に記載の組立品。
４３．
上記分裂生成物検出器が、γ検出器を含んでいることを特徴とする項４０に記載の組立品。
４４．
上記分裂生成物検出器が、分裂生成物ガスにおける同位体のタイプの比を測定するように構成されていることを特徴とする項４０に記載の組立品。
４５．
少なくとも一つのセンサが、交換式であることを特徴とする項１に記載の組立品。
４６．
上記反応度制御棒が、分裂生成物を蓄積するように構成された少なくとも一つのチャンバを規定することを特徴とする項１に記載の組立品。
４７．
上記チャンバがプレナムを含んでいることを特徴とする項４６に記載の組立品。
４８．
上記プレナムが、上記核分裂性同位体に転換可能な核分裂燃料物質から分裂誘導中性子のための少なくとも一つの平均自由行路に位置することを特徴とする項４７に記載の組立品。
４９．
少なくとも一つのセンサが、温度センサを含んでいることを特徴とする項１に記載の組立品。
５０．
少なくとも一つのセンサが、圧力センサを含んでいることを特徴とする項１に記載の組立品。
５１．
少なくとも一つのセンサが、出力センサを含んでいることを特徴とする項１に記載の組立品。
５２．
少なくとも一つの上記センサを校正するように構成された校正装置をさらに備えていることを特徴とする項１に記載の組立品。
５３．
少なくとも一つのセンサに対して動作可能なように結合された少なくとも一つの通信装置をさらに備えていることを特徴とする項１に記載の組立品。
５４．
高速中性子スペクトルを有する核分裂原子炉のための反応度制御システムであって、
高速スペクトル中性子を吸収するように構成された中性子吸収物質を有する反応度制御棒であって、
該中性子吸収物質の少なくとも一部が、核分裂性同位体に転換可能な核分裂燃料物質を含んでいる、反応度制御棒と、
少なくとも一つの反応度パラメータに対応して、上記反応度制御棒に動作可能に結合している駆動部とを備えたことを特徴とするシステム。
５５．
少なくとも一つの上記反応度パラメータが、上記核分裂原子炉の少なくとも一つの反応度パラメータを含んでいることを特徴とする項５４に記載のシステム。
５６．
少なくとも一つの上記反応度パラメータが、上記反応度制御棒の少なくとも一つの反応度パラメータを含んでいることを特徴とする項５４に記載のシステム。
５７．
上記反応度パラメータが、中性子フルエンス、中性子束、中性子分裂、中性子生成物、放射性崩壊事象、温度、圧力、出力、同位体濃度、燃焼度および中性子スペクトルから選ばれる少なくとも一つのパラメータを含んでいることを特徴とする項５４に記載のシステム。
５８．
中性子吸収物質がさらに、高速中性子の減速を減少させることを特徴とする項５４に記載のシステム。
５９．
上記高速スペクトル中性子が、核分裂進行波の一部であることを特徴とする項５４に記載のシステム。
６０．
上記核分裂性同位体に転換可能な核分裂燃料物質が、ウランを含んでいることを特徴とする項５４に記載の組立品。
６１．
ウランが、２３８Ｕを含んでいることを特徴とする項６０に記載の組立品。
６２．
上記核分裂性同位体に転換可能な核分裂燃料物質が、トリウムを含んでいることを特徴とする項５４に記載の組立品。
６３．
トリウムが、２３２Ｔｈを含んでいることを特徴とする項６２に記載の組立品。
６４．
上記反応度制御棒がさらに、中性子減速物質を含んでいることを特徴とする項５４に記載のシステム。
６５．
上記中性子減速物質が、水素、重水素、ヘリウム、リチウム、ホウ素、炭素、グラファイト、ナトリウムおよび鉛から選ばれる少なくとも一つの中性子減速材を含んでいることを特徴とする項６４に記載のシステム。
６６．
上記中性子減速物質が、上記反応度制御棒の内部に、実質的に不均一に分布していることを特徴とする項６４に記載のシステム。
６７．
上記中性子減速物質が、上記反応度制御棒の内部に、実質的に均一に分布していることを特徴とする項６４に記載のシステム。
６８．
上記中性子吸収物質がさらに、中性子吸収毒を含んでいることを特徴とする項５４に記載のシステム。
６９．
上記中性子吸収毒が、銀、インジウム、カドミウム、ガドリニウム、ハフニウム、リチウム、３Ｈｅ、分裂生成物、プロトアクチニウム、ネプツニウムおよびホウ素から選ばれる少なくとも一つの毒を含んでいることを特徴とする項６８に記載のシステム。
７０．
上記中性子吸収毒が、上記反応度制御棒の内部に、実質的に不均一に分布していることを特徴とする項６８に記載のシステム。
７１．
上記中性子吸収毒が、上記反応度制御棒の内部に、実質的に均一に分布していることを特徴とする項６８に記載のシステム。
７２．
上記核分裂性同位体に転換可能な核分裂燃料物質により達成可能な反応度への効果が、上記中性子吸収毒により達成可能な反応度への効果と等しいことを特徴とする項６８に記載のシステム。
７３．
上記反応度制御棒が、第１領域と第２領域とを有し、
上記反応度制御棒の上記第１領域に第１濃度の上記中性子吸収毒が配置され、上記反応度制御棒の上記第２領域に第２濃度の上記中性子吸収毒が配置され、
上記反応度制御棒の上記第１領域に第３濃度の上記核分裂性同位体に転換可能な核分裂燃料物質が配置され、上記反応度制御棒の上記第２領域に第４濃度の上記核分裂性同位体に転換可能な核分裂燃料物質が配置されていることを特徴とする項６８に記載のシステム。
７４．
上記第２濃度の上記中性子吸収毒の反応度効果が、上記第３濃度の上記核分裂性同位体に転換可能な核分裂燃料物質の反応度効果と実質的に等しいことを特徴とする項７３に記載のシステム。
７５．
上記第１濃度の上記中性子吸収毒の反応度効果が、上記第４濃度の上記核分裂性同位体に転換可能な核分裂燃料物質の反応度効果と実質的に等しいことを特徴とする項７３に記載のシステム。
７６．
上記第２濃度の上記中性子吸収毒の反応度効果が、上記第３濃度の上記核分裂性同位体に転換可能な核分裂燃料物質の反応度効果と異なることを特徴とする項７３に記載のシステム。
７７．
上記第１濃度の上記中性子吸収毒の反応度効果が、上記第４濃度の上記核分裂性同位体に転換可能な核分裂燃料物質の反応度効果と異なることを特徴とする項７３に記載のシステム。
７８．
上記第１濃度と上記第３濃度との反応度効果の和が、上記第２濃度と上記第４濃度との反応度効果の和と実質的に等しいことを特徴とする項７３に記載のシステム。
７９．
上記第１領域と上記第２領域との間で、反応度効果が実質的に一定であることを特徴とする項７３に記載のシステム。
８０．
上記核分裂性同位体に転換可能な核分裂燃料物質および上記中性子吸収毒のうちの少なくとも一方の濃度が、連続的な勾配に沿って変化することを特徴とする項６８に記載のシステム。
８１．
上記核分裂性同位体に転換可能な核分裂燃料物質および上記中性子吸収毒のうちの少なくとも一方が、粉末形態で提供されることを特徴とする項６８に記載のシステム。
８２．
上記核分裂性同位体に転換可能な核分裂燃料物質および上記中性子吸収毒のうちの少なくとも一方の濃度が、不連続的な勾配に沿って変化することを特徴とする項６８に記載のシステム。
８３．
上記核分裂性同位体に転換可能な核分裂燃料物質および上記中性子吸収毒のうちの少なくとも一方が、離散型粒子の形態で提供されることを特徴とする項６８に記載のシステム。
８４．
上記核分裂性同位体に転換可能な核分裂燃料物質および上記中性子吸収毒が、互いと相対的に、空間的に固定されていることを特徴とする項６８に記載のシステム。
８５．
上記核分裂性同位体に転換可能な核分裂燃料物質および上記中性子吸収毒が、互いと相対的に、空間的に移動可能であることを特徴とする項６８に記載のシステム。
８６．
少なくとも一つの反応度パラメータを決定するように構成された装置をさらに備えたことを特徴とする項５４に記載のシステム。
８７．
上記装置が、少なくとも一つのセンサを含んでいることを特徴とする項８６に記載のシステム。
８８．
少なくとも一つの上記センサが、上記反応度制御棒と物理的に関連していることを特徴とする項８７に記載のシステム。
８９．
物理的関連が、上記反応度制御棒の内側に位置すること、および、上記反応度制御棒の外側に取り付けられること、から選ばれる少なくとも一つの関連を含んでいることを特徴とする項８８に記載のシステム。
９０．
少なくとも一つの上記センサが、少なくとも一つの反応度パラメータの状態を検知するように構成されていることを特徴とする項８７に記載のシステム。
９１．
上記センサが、少なくとも一つの分裂検出器を含んでいることを特徴とする項８７に記載のシステム。
９２．
上記分裂検出器が、マイクロポケット分裂検出器を含んでいることを特徴とする項９１に記載のシステム。
９３．
上記センサが、中性子束監視装置を含んでいることを特徴とする項８７に記載のシステム。
９４．
上記中性子束監視装置が、分裂チャンバを含んでいることを特徴とする項９３に記載のシステム。
９５．
上記中性子束監視装置が、イオンチャンバを含んでいることを特徴とする項９３に記載のシステム。
９６．
上記センサが、中性子フルエンスセンサを含んでいることを特徴とする項８７に記載のシステム。
９７．
上記中性子フルエンスセンサが、積算ダイヤモンドセンサを含んでいることを特徴とする項９６に記載のシステム。
９８．
上記センサが、分裂生成物検出器を含んでいることを特徴とする項８７に記載のシステム。
９９．
上記分裂生成物検出器が、ガス検出器を含んでいることを特徴とする項９８に記載のシステム。
１００．
上記分裂生成物検出器が、β検出器を含んでいることを特徴とする項９８に記載のシステム。
１０１．
上記分裂生成物検出器が、γ検出器を含んでいることを特徴とする項９８に記載のシステム。
１０２．
上記分裂生成物検出器が、分裂生成物ガスにおける同位体のタイプの比を測定するように構成されていることを特徴とする項９８に記載のシステム。
１０３．
少なくとも一つのセンサが、交換式であることを特徴とする項８７に記載のシステム。
１０４．
上記反応度制御棒が、分裂生成物を蓄積するように構成された少なくとも一つのチャンバを規定することを特徴とする項５４に記載のシステム。
１０５．
上記チャンバがプレナムを含んでいることを特徴とする項１０４に記載のシステム。
１０６．
上記プレナムが、上記核分裂性同位体に転換可能な核分裂燃料物質から分裂誘導中性子のための少なくとも一つの平均自由行路に位置することを特徴とする項１０５に記載のシステム。
１０７．
少なくとも一つのセンサが、出力センサを含んでいることを特徴とする項８７に記載のシステム。
１０８．
少なくとも一つのセンサが、温度センサを含んでいることを特徴とする項８７に記載のシステム。
１０９．
少なくとも一つのセンサが、圧力センサを含んでいることを特徴とする項８７に記載のシステム。
１１０．
少なくとも一つのセンサが、出力センサを含んでいることを特徴とする項８７に記載のシステム。
１１１．
少なくとも一つの上記センサを校正するように構成された校正装置をさらに備えていることを特徴とする項８７に記載のシステム。
１１２．
上記装置が、少なくとも一つの反応度パラメータを決定するように構成された電気回路を含んでいることを特徴とする項８６に記載のシステム。
１１３．
上記反応度制御棒が、上記駆動部に電磁気学的に結合されていることを特徴とする項５４に記載のシステム。
１１４．
上記反応度制御棒が、上記駆動部に機械的に連結されていることを特徴とする項５４に記載のシステム。
１１５．
ロッド制御信号を生成するように構成された駆動制御部であって、
駆動部が、上記ロッド制御信号に対応してそこに動作可能に結合された上記反応度制御棒を移動させるように構成された、駆動制御部をさらに備えたことを特徴とする項５４に記載のシステム。
１１６．
上記ロッド制御信号を上記駆動制御部から上記駆動部へ伝達するように構成された通信装置をさらに備えたことを特徴とする項１１５に記載のシステム。
１１７．
上記駆動制御部が、操作者とのインターフェースを含んでいることを特徴とする項１１５に記載のシステム。
１１８．
オペレータインターフェースがシムスイッチを含んでいることを特徴とする項１１７に記載のシステム。
１１９．
上記駆動制御部が、少なくとも一つの反応度パラメータに基づいて上記ロッド制御信号を自動的に生成するように構成された電気回路を含んでいることを特徴とする項１１５に記載のシステム。
１２０．
上記駆動部が、上記反応度制御棒を双方向に駆動するように構成されていることを特徴とする項５４に記載のシステム。
１２１．
上記駆動部がさらに、第１停止位置と第２停止位置との間の少なくとも一つの中間位置で、上記反応度制御棒の駆動を停止するように構成されていることを特徴とする項１２０に記載のシステム。
１２２．
上記駆動部が、反応度制御棒駆動機構を含んでいることを特徴とする項５４に記載のシステム。
１２３．
高速中性子スペクトルを有する核分裂進行波原子炉であって、
高速中性子スペクトルを有する核分裂進行波をそこで伝搬するように構成された核分裂燃料物質を含む核分裂進行波原子炉コアと、
反応度制御システムとを備え、
上記反応度制御システムが、
複数の反応度制御棒であって、該反応度制御棒のそれぞれが、核分裂進行波高速スペクトル中性子を吸収するように構成された中性子吸収物質を含んでおり、該中性子吸収物質の少なくとも一部が、核分裂性同位体に転換可能な核分裂燃料物質を含んでいる、反応度制御棒と、
複数の駆動部であって、該駆動部のそれぞれが、少なくとも一つの反応度パラメータに対応して、複数の上記反応度制御棒の少なくとも一つに動作可能に結合している駆動部とを含んでいることを特徴とする原子炉。
１２４．
少なくとも一つの反応度パラメータが、上記核分裂進行波原子炉の少なくとも一つの反応度パラメータを含んでいることを特徴とする項１２３に記載の原子炉。
１２５．
少なくとも一つの反応度パラメータが、複数の上記反応度制御棒の少なくとも一つの、少なくとも一つの反応度パラメータを含んでいることを特徴とする項１２３に記載の原子炉。
１２６．
上記反応度パラメータが、中性子フルエンス、中性子束、中性子分裂、中性子生成物、放射性崩壊事象、温度、圧力、出力、同位体濃度、燃焼度および中性子スペクトルから選ばれる少なくとも一つのパラメータを含んでいることを特徴とする項１２３に記載の原子炉。
１２７．
上記中性子吸収物質がさらに、中性子の減速を減少させるように構成されていることを特徴とする項１２３に記載の原子炉。
１２８．
上記核分裂性同位体に転換可能な核分裂燃料物質が、ウランを含んでいることを特徴とする項１２３に記載の原子炉。
１２９．
ウランが、２３８Ｕを含んでいることを特徴とする項１２８に記載の原子炉。
１３０．
上記核分裂性同位体に転換可能な核分裂燃料物質が、トリウムを含んでいることを特徴とする項１２３に記載の原子炉。
１３１．
トリウムが、２３２Ｔｈを含んでいることを特徴とする項１３０に記載の原子炉。
１３２．
複数の反応度制御棒のうちの少なくとも一つがさらに、中性子減速物質を含んでいることを特徴とする項１２３に記載の原子炉。
１３３．
上記中性子減速物質が、水素、重水素、ヘリウム、リチウム、ホウ素、炭素、グラファイト、ナトリウムおよび鉛から選ばれる少なくとも一つの中性子減速材を含んでいることを特徴とする項１３２に記載の原子炉。
１３４．
上記中性子減速物質が、上記反応度制御棒の内部に、実質的に不均一に分布していることを特徴とする項１３２に記載の原子炉。
１３５．
上記中性子減速物質が、上記反応度制御棒の内部に、実質的に均一に分布していることを特徴とする項１３２に記載の原子炉。
１３６．
上記中性子吸収物質がさらに、中性子吸収毒を含んでいることを特徴とする項１２３に記載の原子炉。
１３７．
上記中性子吸収毒が、銀、インジウム、カドミウム、ガドリニウム、ハフニウム、リチウム、３Ｈｅ、分裂生成物、プロトアクチニウム、ネプツニウムおよびホウ素から選ばれる少なくとも一つの毒を含んでいることを特徴とする項１３６に記載の原子炉。
１３８．
上記中性子吸収毒が、上記反応度制御棒の内部に、実質的に不均一に分布していることを特徴とする項１３６に記載の原子炉。
１３９．
上記中性子吸収毒が、上記反応度制御棒の内部に、実質的に均一に分布していることを特徴とする項１３６に記載の原子炉。
１４０．
上記核分裂性同位体に転換可能な核分裂燃料物質により達成可能な反応度への効果が、上記中性子吸収毒により達成可能な反応度への効果と等しいことを特徴とする項１３６に記載の原子炉。
１４１．
上記反応度制御棒が、第１領域と第２領域とを有し、
上記反応度制御棒の上記第１領域に第１濃度の上記中性子吸収毒が配置され、上記反応度制御棒の上記第２領域に第２濃度の上記中性子吸収毒が配置され、
上記反応度制御棒の上記第１領域に第３濃度の上記核分裂性同位体に転換可能な核分裂燃料物質が配置され、上記反応度制御棒の上記第２領域に第４濃度の上記核分裂性同位体に転換可能な核分裂燃料物質が配置されていることを特徴とする項１３６に記載の原子炉。
１４２．
上記第２濃度の上記中性子吸収毒の反応度効果が、上記第３濃度の上記核分裂性同位体に転換可能な核分裂燃料物質の反応度効果と実質的に等しいことを特徴とする項１４１に記載の原子炉。
１４３．
上記第１濃度の上記中性子吸収毒の反応度効果が、上記第４濃度の上記核分裂性同位体に転換可能な核分裂燃料物質の反応度効果と実質的に等しいことを特徴とする項１４１に記載の原子炉。
１４４．
上記第２濃度の上記中性子吸収毒の反応度効果が、上記第３濃度の上記核分裂性同位体に転換可能な核分裂燃料物質の反応度効果と異なることを特徴とする項１４１に記載の原子炉。
１４５．
上記第１濃度の上記中性子吸収毒の反応度効果が、上記第４濃度の上記核分裂性同位体に転換可能な核分裂燃料物質の反応度効果と異なることを特徴とする項１４１に記載の原子炉。
１４６．
上記第１濃度と上記第３濃度との反応度効果の和が、上記第２濃度と上記第４濃度との反応度効果の和と実質的に等しいことを特徴とする項１４１に記載の原子炉。
１４７．
上記第１領域と上記第２領域との間で、反応度効果が実質的に一定であることを特徴とする項１４１に記載の原子炉。
１４８．
上記核分裂性同位体に転換可能な核分裂燃料物質および上記中性子吸収毒のうちの少なくとも一方の濃度が、連続的な勾配に沿って変化することを特徴とする項１３６に記載の原子炉。
１４９．
上記核分裂性同位体に転換可能な核分裂燃料物質および上記中性子吸収毒のうちの少なくとも一方が、粉末形態で提供されることを特徴とする項１３６に記載の原子炉。
１５０．
上記核分裂性同位体に転換可能な核分裂燃料物質および上記中性子吸収毒のうちの少なくとも一方の濃度が、不連続的な勾配に沿って変化することを特徴とする項１３６に記載の原子炉。
１５１．
上記核分裂性同位体に転換可能な核分裂燃料物質および上記中性子吸収毒のうちの少なくとも一方が、離散型粒子の形態で提供されることを特徴とする項１３６に記載の原子炉。
１５２．
上記核分裂性同位体に転換可能な核分裂燃料物質および上記中性子吸収毒が、互いと相対的に、空間的に固定されていることを特徴とする項１３６に記載の原子炉。
１５３．
上記核分裂性同位体に転換可能な核分裂燃料物質および上記中性子吸収毒が、互いと相対的に、空間的に移動可能であることを特徴とする項１３６に記載の原子炉。
１５４．
少なくとも一つの反応度パラメータを決定するように構成された少なくとも一つの装置をさらに備えたことを特徴とする項１２３に記載の原子炉。
１５５．
少なくとも一つの上記装置が、少なくとも一つのセンサを含んでいることを特徴とする項１５４に記載の原子炉。
１５６．
少なくとも一つの上記センサが、関連する反応度制御棒と物理的に関連していることを特徴とする項１５５に記載の原子炉。
１５７．
物理的関連が、上記反応度制御棒の内側に位置すること、および、上記反応度制御棒の外側に取り付けられること、から選ばれる少なくとも一つの関連を含んでいることを特徴とする項１５６に記載の原子炉。
１５８．
少なくとも一つの上記センサが、少なくとも一つの反応度パラメータの状態を検知するように構成されていることを特徴とする項１５５に記載の原子炉。
１５９．
上記センサが、少なくとも一つの分裂検出器を含んでいることを特徴とする項１５５に記載の原子炉。
１６０．
上記分裂検出器が、マイクロポケット分裂検出器を含んでいることを特徴とする項１５９に記載の原子炉。
１６１．
上記センサが、中性子束監視装置を含んでいることを特徴とする項１５５に記載の原子炉。
１６２．
上記中性子束監視装置が、分裂チャンバを含んでいることを特徴とする項１６１に記載の原子炉。
１６３．
上記中性子束監視装置が、イオンチャンバを含んでいることを特徴とする項１６１に記載の原子炉。
１６４．
上記センサが、中性子フルエンスセンサを含んでいることを特徴とする項１５５に記載の原子炉。
１６５．
上記中性子フルエンスセンサが、積算ダイヤモンドセンサを含んでいることを特徴とする項１６４に記載の原子炉。
１６６．
上記センサが、分裂生成物検出器を含んでいることを特徴とする項１５５に記載の原子炉。
１６７．
上記分裂生成物検出器が、ガス検出器を含んでいることを特徴とする項１６６に記載の原子炉。
１６８．
上記分裂生成物検出器が、β検出器を含んでいることを特徴とする項１６６に記載の原子炉。
１６９．
上記分裂生成物検出器が、γ検出器を含んでいることを特徴とする項１６６に記載の原子炉。
１７０．
上記分裂生成物検出器が、分裂生成物ガスにおける同位体のタイプの比を測定するように構成されていることを特徴とする項１６６に記載の原子炉。
１７１．
少なくとも一つのセンサが、交換式であることを特徴とする項１５５に記載の原子炉。
１７２．
上記反応度制御棒が、分裂生成物を蓄積するように構成された少なくとも一つのチャンバを規定することを特徴とする項１２３に記載の原子炉。
１７３．
上記チャンバがプレナムを含んでいることを特徴とする項１７２に記載の原子炉。
１７４．
上記プレナムが、上記核分裂性同位体に転換可能な核分裂燃料物質から分裂誘導中性子のための少なくとも一つの平均自由行路に位置することを特徴とする項１７３に記載の原子炉。
１７５．
少なくとも一つのセンサが、温度センサを含んでいることを特徴とする項１５５に記載の原子炉。
１７６．
少なくとも一つのセンサが、圧力センサを含んでいることを特徴とする項１５５に記載の原子炉。
１７７．
少なくとも一つのセンサが、出力センサを含んでいることを特徴とする項１５５に記載の原子炉。
１７８．
少なくとも一つの上記センサを校正するように構成された校正装置をさらに備えていることを特徴とする項１２３に記載の原子炉。
１７９．
少なくとも一つの上記装置が、少なくとも一つの反応度パラメータを決定するように構成された少なくとも一つの電気回路を含んでいることを特徴とする項１５４に記載の原子炉。
１８０．
上記電気回路がさらに、少なくとも一つの反応度パラメータをモデリングするように構成されていることを特徴とする項１７９に記載の原子炉。
１８１．
上記電気回路がさらに、少なくとも一つの反応度パラメータを予測するように構成されていることを特徴とする項１７９に記載の原子炉。
１８２．
上記電気回路がさらに、少なくとも一つの所定の反応度パラメータを選択するように構成されていることを特徴とする項１７９に記載の原子炉。
１８３．
上記反応度制御棒が、上記駆動部に電磁気学的に結合されていることを特徴とする項１２３に記載の原子炉。
１８４．
上記反応度制御棒が、上記駆動部に機械的に連結されていることを特徴とする項１２３に記載の原子炉。
１８５．
ロッド制御信号を生成するように構成された駆動制御部であって、
駆動部が、上記ロッド制御信号に対応してそこに動作可能に結合された上記反応度制御棒を移動させるように構成された、駆動制御部をさらに備えたことを特徴とする項１２３に記載の原子炉。
１８６．
上記ロッド制御信号を上記駆動制御部から上記駆動部へ伝達するように構成された通信装置をさらに備えたことを特徴とする項１８５に記載の原子炉。
１８７．
上記駆動制御部が、操作者とのインターフェースを含んでいることを特徴とする項１８５に記載の原子炉。
１８８．
オペレータインターフェースがシムスイッチを含んでいることを特徴とする項１８７に記載の原子炉。
１８９．
上記駆動制御部が、少なくとも一つの反応度パラメータに基づいて上記ロッド制御信号を自動的に生成するように構成された電気回路を含んでいることを特徴とする項１８５に記載の原子炉。
１９０．
上記駆動部が、上記反応度制御棒を双方向に駆動するように構成されていることを特徴とする項１２３に記載の原子炉。
１９１．
上記駆動部がさらに、第１停止位置と第２停止位置との間の少なくとも一つの中間位置で、上記反応度制御棒の駆動を停止するように構成されていることを特徴とする項１９０に記載の原子炉。
１９２．
上記駆動部が、反応度制御棒駆動機構を含んでいることを特徴とする項１２３に記載の原子炉。
１９３．
高速中性子スペクトルを有する核分裂原子炉において反応度を制御する方法であって、
高速中性子スペクトルを有する核分裂原子炉の選択された部分の内部で所望の反応度パラメータを決定するステップと、
高速スペクトル中性子吸収物質を有する少なくとも一つの反応度制御棒を調整するステップであって、高速スペクトル中性子吸収物質の少なくとも一部は、所望の反応度パラメータに対応して、核分裂性同位体に転換可能な核分裂燃料物質を含む、ステップとを有することを特徴とする方法。
１９４．
上記高速スペクトル中性子が、核分裂進行波の一部であることを特徴とする項１９３に記載の方法。
１９５．
高速中性子スペクトルを有する核分裂原子炉の選択された部分の内部で所望の反応度パラメータを決定するステップが、
核分裂性同位体に転換可能な核分裂燃料物質の少なくとも一つの所望の反応度パラメータを決定するステップを含んでいることを特徴とする項１９３に記載の方法。
１９６．
高速中性子スペクトルを有する核分裂原子炉の選択された部分の内部で所望の反応度パラメータを決定するステップが、
少なくとも一つの反応度制御棒の少なくとも一つの所望の反応度パラメータを決定するステップを含んでいることを特徴とする項１９３に記載の方法。
１９７．
高速中性子スペクトルを有する核分裂原子炉の選択された部分の内部で所望の反応度パラメータを決定するステップが、
核分裂原子炉の少なくとも一つの所望の反応度パラメータを決定するステップを含んでいることを特徴とする項１９３に記載の方法。
１９８．
少なくとも一つの決定された反応度パラメータを決定するステップをさらに含んでいることを特徴とする項１９３に記載の方法。
１９９．
所望の反応度パラメータと、少なくとも一つの決定された反応度パラメータとの差を決定するステップをさらに含んでいることを特徴とする項１９８に記載の方法。
２００．
高速スペクトル中性子吸収物質を有する少なくとも一つの反応度制御棒を調整するステップであって、高速スペクトル中性子吸収物質の少なくとも一部は、所望の反応度パラメータに対応して、核分裂性同位体に転換可能な核分裂燃料物質を含む、ステップが、
高速スペクトル中性子吸収物質を有する少なくとも一つの反応度制御棒を調整するステップであって、高速スペクトル中性子吸収物質の少なくとも一部は、所望の反応度パラメータと少なくとも一つの決定された反応度パラメータとの差に対応して、核分裂性同位体に転換可能な核分裂燃料物質を含む、ステップを含んでいることを特徴とする項１９９に記載の方法。
２０１．
少なくとも一つの決定された反応度パラメータを決定するステップが、
少なくとも一つの反応度パラメータを予測するステップを含んでいることを特徴とする項１９８に記載の方法。
２０２．
少なくとも一つの決定された反応度パラメータを決定するステップが、
少なくとも一つの反応度パラメータをモデリングするステップを含んでいることを特徴とする項１９８に記載の方法。
２０３．
少なくとも一つの決定された反応度パラメータを決定するステップが、
少なくとも一つの所定の反応度パラメータを選択するステップを含んでいることを特徴とする項１９８に記載の方法。
２０４．
少なくとも一つの決定された反応度パラメータを決定するステップが、
少なくとも一つの反応度パラメータを検知するステップを含んでいることを特徴とする項１９８に記載の方法。
２０５．
少なくとも一つの反応度パラメータを検知するステップが、
少なくとも一つの反応度パラメータの時間履歴を検知するステップを含んでいることを特徴とする項２０４に記載の方法。
２０６．
少なくとも一つの反応度パラメータを検知するステップが、放射性崩壊事象を検知するステップを含んでいることを特徴とする項２０４に記載の方法。
２０７．
少なくとも一つの反応度パラメータを検知するステップが、分裂を検出するステップを含んでいることを特徴とする項２０４に記載の方法。
２０８．
少なくとも一つの反応度パラメータを検知するステップが、中性子束を監視するステップを含んでいることを特徴とする項２０４に記載の方法。
２０９．
少なくとも一つの反応度パラメータを検知するステップが、中性子フルエンスを検知するステップを含んでいることを特徴とする項２０４に記載の方法。
２１０．
少なくとも一つの反応度パラメータを検知するステップが、分裂生成物を検出するステップを含んでいることを特徴とする項２０４に記載の方法。
２１１．
少なくとも一つの反応度パラメータを検知するステップが、温度を検知するステップを含んでいることを特徴とする項２０４に記載の方法。
２１２．
少なくとも一つの反応度パラメータを検知するステップが、圧力を検知するステップを含んでいることを特徴とする項２０４に記載の方法。
２１３．
少なくとも一つの反応度パラメータを検知するステップが、出力レベルを検知するステップを含んでいることを特徴とする項２０４に記載の方法。
２１４．
高速スペクトル中性子吸収物質を有する少なくとも一つの反応度制御棒を調整するステップであって、高速スペクトル中性子吸収物質の少なくとも一部は、所望の反応度パラメータに対応して、核分裂性同位体に転換可能な核分裂燃料物質を含む、ステップが、
高速スペクトル中性子吸収物質を有する少なくとも一つの反応度制御棒を、２つの方向のうち少なくとも一つの方向に移動させるステップであって、高速スペクトル中性子吸収物質の少なくとも一部は、所望の反応度パラメータに対応して、核分裂性同位体に転換可能な核分裂燃料物質を含む、ステップを含んでいることを特徴とする項１９３に記載の方法。
２１５．
上記方向が、核分裂原子炉における軸方向を含んでいることを特徴とする項２１４に記載の方法。
２１６．
上記方向が、核分裂原子炉における半径方向を含んでいることを特徴とする項２１４に記載の方法。
２１７．
上記方向が、核分裂原子炉における側面方向を含んでいることを特徴とする項２１４に記載の方法。
２１８．
少なくとも一つの反応度パラメータを検知するステップが、
反応度制御棒の位置の変化に関連して、反応度の差を検知するステップを含んでいることを特徴とする項２０４に記載の方法。
２１９．
少なくとも一つの反応度パラメータを検知するように構成されたセンサを校正するステップをさらに含んでいることを特徴とする項２０４に記載の方法。
２２０．
高速中性子スペクトルを有する核分裂進行波原子炉を稼働する方法であって、
核分裂進行波原子炉コアにおける高速中性子スペクトルを有する核分裂進行波を伝搬させるステップと、
核分裂進行波原子炉の選択された部分の内部の所望の反応度パラメータを決定するステップと、
高速スペクトル中性子吸収物質を有する少なくとも一つの反応度制御棒を調整するステップであって、高速スペクトル中性子吸収物質の少なくとも一部は、所望の反応度パラメータに対応して、核分裂性同位体に転換可能な核分裂燃料物質を含む、ステップとを有することを特徴とする方法。
２２１．
核分裂進行波原子炉コアにおける高速中性子スペクトルを有する核分裂進行波を開始するステップをさらに有することを特徴とする項２２０に記載の方法。
２２２．
高速中性子スペクトルを有する核分裂原子炉の選択された部分の内部で所望の反応度パラメータを決定するステップが、
核分裂性同位体に転換可能な核分裂燃料物質の少なくとも一つの所望の反応度パラメータを決定するステップを含んでいることを特徴とする項２２０に記載の方法。
２２３．
高速中性子スペクトルを有する核分裂原子炉の選択された部分の内部で所望の反応度パラメータを決定するステップが、
少なくとも一つの反応度制御棒の少なくとも一つの所望の反応度パラメータを決定するステップを含んでいることを特徴とする項２２０に記載の方法。
２２４．
高速中性子スペクトルを有する核分裂原子炉の選択された部分の内部で所望の反応度パラメータを決定するステップが、
核分裂進行波原子炉の少なくとも一つの所望の反応度パラメータを決定するステップを含んでいることを特徴とする項２２０に記載の方法。
２２５．
少なくとも一つの決定された反応度パラメータを決定するステップをさらに含んでいることを特徴とする項２２０に記載の方法。
２２６．
所望の反応度パラメータと、少なくとも一つの決定された反応度パラメータとの差を決定するステップをさらに含んでいることを特徴とする項２２５に記載の方法。
２２７．
高速スペクトル中性子吸収物質を有する少なくとも一つの反応度制御棒を調整するステップであって、高速スペクトル中性子吸収物質の少なくとも一部は、所望の反応度パラメータに対応して、核分裂性同位体に転換可能な核分裂燃料物質を含む、ステップが、
高速スペクトル中性子吸収物質を有する少なくとも一つの反応度制御棒を調整するステップであって、高速スペクトル中性子吸収物質の少なくとも一部は、所望の反応度パラメータと少なくとも一つの決定された反応度パラメータとの差に対応して、核分裂性同位体に転換可能な核分裂燃料物質を含む、ステップを含んでいることを特徴とする項２２６に記載の方法。
２２８．
少なくとも一つの決定された反応度パラメータを決定するステップが、
少なくとも一つの反応度パラメータを予測するステップを含んでいることを特徴とする項２２５に記載の方法。
２２９．
少なくとも一つの決定された反応度パラメータを決定するステップが、
少なくとも一つの反応度パラメータをモデリングするステップを含んでいることを特徴とする項２２５に記載の方法。
２３０．
少なくとも一つの決定された反応度パラメータを決定するステップが、
少なくとも一つの所定の反応度パラメータを選択するステップを含んでいることを特徴とする項２２５に記載の方法。
２３１．
少なくとも一つの決定された反応度パラメータを決定するステップが、
少なくとも一つの反応度パラメータを検知するステップを含んでいることを特徴とする項２２５に記載の方法。
２３２．
少なくとも一つの反応度パラメータを検知するステップが、
少なくとも一つの反応度パラメータの時間履歴を検知するステップを含んでいることを特徴とする項２３１に記載の方法。
２３３．
少なくとも一つの反応度パラメータを検知するステップが、放射性崩壊事象を検知するステップを含んでいることを特徴とする項２３１に記載の方法。
２３４．
少なくとも一つの反応度パラメータを検知するステップが、分裂を検出するステップを含んでいることを特徴とする項２３１に記載の方法。
２３５．
少なくとも一つの反応度パラメータを検知するステップが、中性子束を監視するステップを含んでいることを特徴とする項２３１に記載の方法。
２３６．
少なくとも一つの反応度パラメータを検知するステップが、中性子フルエンスを検知するステップを含んでいることを特徴とする項２３１に記載の方法。
２３７．
少なくとも一つの反応度パラメータを検知するステップが、分裂生成物を検出するステップを含んでいることを特徴とする項２３１に記載の方法。
２３８．
少なくとも一つの反応度パラメータを検知するステップが、温度を検知するステップを含んでいることを特徴とする項２３１に記載の方法。
２３９．
少なくとも一つの反応度パラメータを検知するステップが、圧力を検知するステップを含んでいることを特徴とする項２３１に記載の方法。
２４０．
少なくとも一つの反応度パラメータを検知するステップが、出力レベルを検知するステップを含んでいることを特徴とする項２３１に記載の方法。
２４１．
高速スペクトル中性子吸収物質を有する少なくとも一つの反応度制御棒を調整するステップであって、高速スペクトル中性子吸収物質の少なくとも一部は、所望の反応度パラメータに対応して、核分裂性同位体に転換可能な核分裂燃料物質を含む、ステップが、
高速スペクトル中性子吸収物質を有する少なくとも一つの反応度制御棒を、２つの方向のうち少なくとも一つの方向に移動させるステップであって、高速スペクトル中性子吸収物質の少なくとも一部は、所望の反応度パラメータに対応して、核分裂性同位体に転換可能な核分裂燃料物質を含む、ステップを含んでいることを特徴とする項２２０に記載の方法。
２４２．
上記方向が、核分裂進行波原子炉における軸方向を含んでいることを特徴とする項２４１に記載の方法。
２４３．
上記方向が、核分裂進行波原子炉における半径方向を含んでいることを特徴とする項２４１に記載の方法。
２４４．
上記方向が、核分裂進行波原子炉における側面方向を含んでいることを特徴とする項２４１に記載の方法。
２４５．
少なくとも一つの反応度パラメータを検知するステップが、
反応度制御棒の位置の変化に関連して、反応度の差を検知するステップを含んでいることを特徴とする項２３１に記載の方法。
２４６．
少なくとも一つの反応度パラメータを検知するように構成されたセンサを校正するステップをさらに含んでいることを特徴とする項２３１に記載の方法。
２４７．
高速中性子スペクトルを有する核分裂原子炉において反応度を制御するシステムであって、
高速中性子スペクトルを有する核分裂原子炉の選択された部分の内部で所望の反応度パラメータを決定する手段と、
高速スペクトル中性子吸収物質を有する少なくとも一つの反応度制御棒を調整する手段であって、高速スペクトル中性子吸収物質の少なくとも一部は、所望の反応度パラメータに対応して、核分裂性同位体に転換可能な核分裂燃料物質を含む、手段とを備えたことを特徴とするシステム。
２４８．
上記高速スペクトル中性子が、核分裂進行波の一部であることを特徴とする項２４７に記載のシステム。
２４９．
所望の反応度パラメータを決定する手段が、
核分裂性同位体に転換可能な核分裂燃料物質の少なくとも一つの所望の反応度パラメータを決定する手段を含んでいることを特徴とする項２４７に記載のシステム。
２５０．
所望の反応度パラメータを決定する手段が、
少なくとも一つの反応度制御棒の少なくとも一つの所望の反応度パラメータを決定する手段を含んでいることを特徴とする項２４７に記載のシステム。
２５１．
所望の反応度パラメータを決定する手段が、
核分裂原子炉の少なくとも一つの所望の反応度パラメータを決定する手段を含んでいることを特徴とする項２４７に記載のシステム。
２５２．
少なくとも一つの決定された反応度パラメータを決定する手段をさらに含んでいることを特徴とする項２４７に記載のシステム。
２５３．
所望の反応度パラメータと、少なくとも一つの決定された反応度パラメータとの差を決定する手段をさらに含んでいることを特徴とする項２５２に記載のシステム。
２５４．
調整手段が、
高速スペクトル中性子吸収物質を有する少なくとも一つの反応度制御棒を調整する手段であって、高速スペクトル中性子吸収物質の少なくとも一部は、所望の反応度パラメータと少なくとも一つの決定された反応度パラメータとの差に対応して、核分裂性同位体に転換可能な核分裂燃料物質を含む、手段を含んでいることを特徴とする項２５３に記載のシステム。
２５５．
少なくとも一つの決定された反応度パラメータを決定する手段が、
少なくとも一つの反応度パラメータを予測する手段を含んでいることを特徴とする項２５２に記載のシステム。
２５６．
少なくとも一つの決定された反応度パラメータを決定する手段が、
少なくとも一つの反応度パラメータをモデリング手段を含んでいることを特徴とする項２５２に記載のシステム。
２５７．
少なくとも一つの決定された反応度パラメータを決定する手段が、
少なくとも一つの所定の反応度パラメータを選択する手段を含んでいることを特徴とする項２５２に記載のシステム。
２５８．
少なくとも一つの決定された反応度パラメータを決定する手段が、
少なくとも一つの反応度パラメータを検知する手段を含んでいることを特徴とする項２５２に記載のシステム。
２５９．
検知手段が、
少なくとも一つの反応度パラメータの時間履歴を検知する手段を含んでいることを特徴とする項２５８に記載のシステム。
２６０．
検知手段が、少なくとも一つの放射性崩壊事象を検知する手段を含んでいることを特徴とする項２５８に記載のシステム。
２６１．
検知手段が、少なくとも一つの分裂検出器を含んでいることを特徴とする項２５８に記載のシステム。
２６２．
検知手段が、中性子束監視装置を含んでいることを特徴とする項２５８に記載のシステム。
２６３．
検知手段が、中性子フルエンスセンサを含んでいることを特徴とする項２５８に記載のシステム。
２６４．
検知手段が、分裂生成物検出器を含んでいることを特徴とする項２５８に記載のシステム。
２６５．
検知手段が、温度センサを含んでいることを特徴とする項２５８に記載のシステム。
２６６．
検知手段が、圧力センサを含んでいることを特徴とする項２５８に記載のシステム。
２６７．
検知手段が、出力レベルセンサを含んでいることを特徴とする項２５８に記載のシステム。
２６８．
調整手段が、
高速スペクトル中性子吸収物質を有する少なくとも一つの反応度制御棒を、２つの方向のうち少なくとも一つの方向に移動させる手段であって、高速スペクトル中性子吸収物質の少なくとも一部は、所望の反応度パラメータに対応して、核分裂性同位体に転換可能な核分裂燃料物質を含む、手段を含んでいることを特徴とする項２５８に記載のシステム。
２６９．
上記方向が、核分裂原子炉における軸方向を含んでいることを特徴とする項２６８に記載のシステム。
２７０．
上記方向が、核分裂原子炉における半径方向を含んでいることを特徴とする項２６８に記載のシステム。
２７１．
上記方向が、核分裂原子炉における側面方向を含んでいることを特徴とする項２６８に記載のシステム。
２７２．
少なくとも一つの反応度パラメータを検知する手段が、
反応度制御棒の位置の変化に関連して、反応度の差を検知する手段を含んでいることを特徴とする項２５８に記載のシステム。
２７３．
検知手段を校正する手段をさらに含んでいることを特徴とする項２５８に記載のシステム。
２７４．
核分裂原子炉における制御可能可動棒の少なくとも一つの反応度パラメータを決定するステップであって、制御可能可動棒は、核分裂性同位体に転換可能な核分裂燃料物質を含む、ステップと、
反応度制御棒と核分裂燃料棒とから選ばれた制御可能可動棒の適用を決定するステップとを有することを特徴とする方法。
２７５．
反応度制御棒と核分裂燃料棒とから選ばれた制御可能可動棒の適用は、
制御可能可動棒における少なくとも一つの決定された反応度パラメータに対応して決定されることを特徴とする項２７４に記載の方法。
２７６．
決定された反応度パラメータと対象の反応度パラメータとを比較するステップをさらに有することを特徴とする項２７４に記載の方法。
２７７．
反応度制御棒と核分裂燃料棒とから選ばれた制御可能可動棒の適用は、
決定された反応度パラメータと対象の反応度パラメータとの比較に対応して決定されることを特徴とする項２７６に記載の方法。
２７８．
少なくとも一つの反応度パラメータが、中性子吸収係数を含んでいることを特徴とする項２７４に記載の方法。
２７９．
決定された中性子吸収係数と対象の中性子吸収係数とを比較するステップをさらに有することを特徴とする項２７８に記載の方法。
２８０．
反応度制御棒と核分裂燃料棒とから選ばれた制御可能可動棒の適用は、
決定された中性子吸収係数と対象の中性子吸収係数との比較に対応して決定されることを特徴とする項２７９に記載の方法。
２８１．
選ばれた制御可能可動棒の適用は、
決定された中性子吸収係数が少なくとも対象の中性子吸収係数であるときには、反応度制御棒を含んでいることを特徴とする項２７９に記載の方法。
２８２．
選ばれた制御可能可動棒の適用は、
決定された中性子吸収係数が対象の中性子吸収係数より小さいときには、核分裂燃料棒を含んでいることを特徴とする項２７９に記載の方法。
２８３．
少なくとも一つの反応度パラメータが、中性子生成係数を含んでいることを特徴とする項２７４に記載の方法。
２８４．
決定された中性子生成係数と対象の中性子生成係数とを比較するステップをさらに有することを特徴とする項２８３に記載の方法。
２８５．
反応度制御棒と核分裂燃料棒とから選ばれた制御可能可動棒の適用は、
決定された中性子生成係数と対象の中性子生成係数との比較に対応して決定されることを特徴とする項２８４に記載の方法。
２８６．
選ばれた制御可能可動棒の適用は、
決定された中性子生成係数が少なくとも対象の中性子生成係数であるときには、核分裂燃料棒を含んでいることを特徴とする項２８４に記載の方法。
２８７．
選ばれた制御可能可動棒の適用は、
決定された中性子生成係数が対象の中性子生成係数より小さいときには、反応度制御棒を含んでいることを特徴とする項２８４に記載の方法。
２８８．
核分裂原子炉における制御可能可動棒の少なくとも一つの反応度パラメータを決定するステップは、
制御可能可動棒の中性子曝露履歴に基づくことを特徴とする項２７４に記載の方法。
２８９．
核分裂原子炉における制御可能可動棒の少なくとも一つの反応度パラメータを決定するステップは、
制御可能可動棒の核分裂性同位体に転換可能な核分裂燃料物質の特性に基づくことを特徴とする項２７４に記載の方法。
２９０．
核分裂原子炉における制御可能可動棒の少なくとも一つの反応度パラメータを決定するステップは、
制御可能可動棒の核分裂性核分裂燃料物質の特性に基づくことを特徴とする項２７４に記載の方法。
２９１．
核分裂原子炉における制御可能可動棒の少なくとも一つの反応度パラメータを決定するステップは、
制御可能可動棒の中性子吸収毒の特性に基づくことを特徴とする項２７４に記載の方法。
２９２．
核分裂原子炉における制御可能可動棒の少なくとも一つの反応度パラメータを決定するステップは、
制御可能可動棒の分裂生成物の特性に基づくことを特徴とする項２７４に記載の方法。
２９３．
核分裂原子炉における制御可能可動棒の少なくとも一つの反応度パラメータを決定するステップが、
核分裂原子炉における制御可能可動棒の少なくとも一つの反応度パラメータを監視するステップを含んでいることを特徴とする項２７４に記載の方法。
２９４．
核分裂原子炉における制御可能可動棒の少なくとも一つの反応度パラメータを決定するステップが、
核分裂原子炉における制御可能可動棒の少なくとも一つの反応度パラメータを予測するステップを含んでいることを特徴とする項２７４に記載の方法。
２９５．
核分裂原子炉における制御可能可動棒の少なくとも一つの反応度パラメータを決定するステップが、
核分裂原子炉における制御可能可動棒の少なくとも一つの反応度パラメータを計算するステップを含んでいることを特徴とする項２９４に記載の方法。
２９６．
核分裂原子炉における制御可能可動棒の少なくとも一つの反応度パラメータを決定するように構成された装置であって、制御可能可動棒は、核分裂性同位体に転換可能な核分裂燃料物質を含む、装置と、
反応度制御棒と核分裂燃料棒とから選ばれた制御可能可動棒の適用を決定するように構成された第１の電気回路とを備えたことを特徴とするシステム。
２９７．
上記第１の電気回路が、上記装置に対応していることを特徴とする項２９６に記載のシステム。
２９８．
決定された反応度パラメータと対象の反応度パラメータとを比較するコンパレータをさらに有することを特徴とする項２９６に記載のシステム。
２９９．
上記第１の電気回路が、上記コンパレータに対応していることを特徴とする項２９８に記載のシステム。
３００．
少なくとも一つの反応度パラメータが、中性子吸収係数を含んでいることを特徴とする項２９９に記載のシステム。
３０１．
上記コンパレータがさらに、決定された中性子吸収係数と対象の中性子吸収係数とを比較するように構成されていることを特徴とする項３００に記載のシステム。
３０２．
上記第１の電気回路が、上記コンパレータによる、決定された中性子吸収係数と対象の中性子吸収係数との比較に対応していることを特徴とする項３０１に記載のシステム。
３０３．
選ばれた制御可能可動棒の適用は、
決定された中性子吸収係数が少なくとも対象の中性子吸収係数であるときには、反応度制御棒を含んでいることを特徴とする項３０１に記載のシステム。
３０４．
選ばれた制御可能可動棒の適用は、
決定された中性子吸収係数が対象の中性子吸収係数より小さいときには、核分裂燃料棒を含んでいることを特徴とする項３０１に記載のシステム。
３０５．
少なくとも一つの反応度パラメータが、中性子生成係数を含んでいることを特徴とする項２９９に記載のシステム。
３０６．
上記コンパレータはさらに、決定された中性子生成係数と対象の中性子生成係数とを比較するように構成されていることを特徴とする項３０５に記載のシステム。
３０７．
上記第１の電気回路が、上記コンパレータによる、決定された中性子生成係数と対象の中性子生成係数との比較に対応していることを特徴とする項３０６に記載のシステム。
３０８．
選ばれた制御可能可動棒の適用は、
決定された中性子生成係数が少なくとも対象の中性子生成係数であるときには、核分裂燃料棒を含んでいることを特徴とする項３０６に記載のシステム。
３０９．
選ばれた制御可能可動棒の適用は、
決定された中性子生成係数が対象の中性子生成係数より小さいときには、反応度制御棒を含んでいることを特徴とする項３０６に記載のシステム。
３１０．
上記装置は、
制御可能可動棒の中性子曝露履歴に基づいて、核分裂原子炉における制御可能可動棒の少なくとも一つの反応度パラメータを決定するように構成された第２の電気回路を含んでいることを特徴とする項２９６に記載のシステム。
３１１．
上記装置は、
制御可能可動棒の核分裂性同位体に転換可能な核分裂燃料物質の特性に基づいて、核分裂原子炉における制御可能可動棒の少なくとも一つの反応度パラメータを決定するように構成された第３の電気回路を含んでいることを特徴とする項２９６に記載のシステム。
３１２．
上記装置は、
制御可能可動棒の核分裂性核分裂燃料物質の特性に基づいて、核分裂原子炉における制御可能可動棒の少なくとも一つの反応度パラメータを決定するように構成された第４の電気回路を含んでいることを特徴とする項２９６に記載のシステム。
３１３．
上記装置は、
制御可能可動棒の中性子吸収毒の特性に基づいて、核分裂原子炉における制御可能可動棒の少なくとも一つの反応度パラメータを決定するように構成された第５の電気回路を含んでいることを特徴とする項２９６に記載のシステム。
３１４．
上記装置は、
制御可能可動棒の分裂生成物の特性に基づいて、核分裂原子炉における制御可能可動棒の少なくとも一つの反応度パラメータを決定するように構成された第６の電気回路を含んでいることを特徴とする項２９６に記載のシステム。
３１５．
上記装置は、
核分裂原子炉における制御可能可動棒の少なくとも一つの反応度パラメータを監視するように構成された少なくとも一つの監視装置を含んでいることを特徴とする項２９６に記載のシステム。
３１６．
上記装置は、
核分裂原子炉における制御可能可動棒の少なくとも一つの反応度パラメータを予測するように構成された第７の電気回路を含んでいることを特徴とする項２９６に記載のシステム。
３１７．
上記第７の電気回路はさらに、核分裂原子炉における制御可能可動棒の少なくとも一つの反応度パラメータを計算するように構成されていることを特徴とする項３１６に記載のシステム。
３１８．
核分裂原子炉における制御可能可動棒の少なくとも一つの反応度パラメータを決定するように構成された、第１のコンピュータ読み取り可能媒体ソフトウェアプログラムコードであって、制御可能可動棒は、核分裂性同位体に転換可能な核分裂燃料物質を含む、コンピュータ読み取り可能媒体ソフトウェアプログラムコードと、
反応度制御棒と核分裂燃料棒とから選ばれた制御可能可動棒の適用を決定する第２のコンピュータ読み取り可能媒体ソフトウェアプログラムコードとを有することを特徴とするコンピュータソフトウェアプログラム製品。
３１９．
上記第２のコンピュータ読み取り可能媒体ソフトウェアプログラムコードが、上記第１のコンピュータ読み取り可能媒体ソフトウェアプログラムコードに対応して、反応度制御棒と核分裂燃料棒とから選ばれた制御可能可動棒の適用を決定することを特徴とする項３１８に記載のコンピュータソフトウェアプログラム製品。
３２０．
決定された反応度パラメータと対象の反応度パラメータとを比較するように構成された第３のコンピュータ読み取り可能媒体ソフトウェアプログラムコードをさらに有することを特徴とする項３１８に記載のコンピュータソフトウェアプログラム製品。
３２１．
上記第２のコンピュータ読み取り可能媒体ソフトウェアプログラムコードは、上記第３のコンピュータ読み取り可能媒体ソフトウェアプログラムコードによる、決定された反応度パラメータと対象の反応度パラメータとの比較に対応していることを特徴とする項３２０に記載のコンピュータソフトウェアプログラム製品。
３２２．
少なくとも一つの反応度パラメータが、中性子吸収係数を含んでいることを特徴とする項３２１に記載のコンピュータソフトウェアプログラム製品。
３２３．
上記第３のコンピュータ読み取り可能媒体ソフトウェアプログラムコードはさらに、決定された中性子吸収係数と対象の中性子吸収係数とを比較するように構成されていることを特徴とする項３２２に記載のコンピュータソフトウェアプログラム製品。
３２４．
上記第２のコンピュータ読み取り可能媒体ソフトウェアプログラムコードは、上記第３のコンピュータ読み取り可能媒体ソフトウェアプログラムコードによる、決定された中性子吸収係数と対象の中性子吸収係数との比較に対応していることを特徴とする項３２３に記載のコンピュータソフトウェアプログラム製品。
３２５．
選ばれた制御可能可動棒の適用は、
決定された中性子吸収係数が少なくとも対象の中性子吸収係数であるときには、反応度制御棒を含んでいることを特徴とする項３２３に記載のコンピュータソフトウェアプログラム製品。
３２６．
選ばれた制御可能可動棒の適用は、
決定された中性子吸収係数が対象の中性子吸収係数より小さいときには、核分裂燃料棒を含んでいることを特徴とする項３２３に記載のコンピュータソフトウェアプログラム製品。
３２７．
少なくとも一つの反応度パラメータが、中性子生成係数を含んでいることを特徴とする項３２１に記載のコンピュータソフトウェアプログラム製品。
３２８．
上記第３のコンピュータ読み取り可能媒体ソフトウェアプログラムコードがさらに、決定された中性子生成係数と対象の中性子生成係数とを比較するように構成されていることを特徴とする項３２７に記載のコンピュータソフトウェアプログラム製品。
３２９．
上記第２のコンピュータ読み取り可能媒体ソフトウェアプログラムコードは、上記第３のコンピュータ読み取り可能媒体ソフトウェアプログラムコードによる、決定された中性子生成係数と対象の中性子生成係数との比較に対応していることを特徴とする項３２８に記載のコンピュータソフトウェアプログラム製品。
３３０．
選ばれた制御可能可動棒の適用は、
決定された中性子生成係数が少なくとも対象の中性子生成係数であるときには、核分裂燃料棒を含んでいることを特徴とする項３２８に記載のコンピュータソフトウェアプログラム製品。
３３１．
選ばれた制御可能可動棒の適用は、
決定された中性子生成係数が対象の中性子生成係数より小さいときには、反応度制御棒を含んでいることを特徴とする項３２８に記載のコンピュータソフトウェアプログラム製品。
３３２．
上記第１のコンピュータ読み取り可能媒体ソフトウェアプログラムコードは、
制御可能可動棒の中性子曝露履歴に基づいて、核分裂原子炉における制御可能可動棒の少なくとも一つの反応度パラメータを決定するように構成された第４のコンピュータ読み取り可能媒体ソフトウェアプログラムコードを含んでいることを特徴とする項３１８に記載のコンピュータソフトウェアプログラム製品。
３３３．
上記第１のコンピュータ読み取り可能媒体ソフトウェアプログラムコードは、
制御可能可動棒の核分裂性同位体に転換可能な核分裂燃料物質の特性に基づいて、核分裂原子炉における制御可能可動棒の少なくとも一つの反応度パラメータを決定するように構成された第５のコンピュータ読み取り可能媒体ソフトウェアプログラムコードを含んでいることを特徴とする項３１８に記載のコンピュータソフトウェアプログラム製品。
３３４．
上記第１のコンピュータ読み取り可能媒体ソフトウェアプログラムコードは、
制御可能可動棒の核分裂性核分裂燃料物質の特性に基づいて、核分裂原子炉における制御可能可動棒の少なくとも一つの反応度パラメータを決定するように構成された第６のコンピュータ読み取り可能媒体ソフトウェアプログラムコードを含んでいることを特徴とする項３１８に記載のコンピュータソフトウェアプログラム製品。
３３５．
上記第１のコンピュータ読み取り可能媒体ソフトウェアプログラムコードは、
制御可能可動棒の中性子吸収毒の特性に基づいて、核分裂原子炉における制御可能可動棒の少なくとも一つの反応度パラメータを決定するように構成された第７のコンピュータ読み取り可能媒体ソフトウェアプログラムコードを含んでいることを特徴とする項３１８に記載のコンピュータソフトウェアプログラム製品。
３３６．
上記第１のコンピュータ読み取り可能媒体ソフトウェアプログラムコードは、
制御可能可動棒の分裂生成物の特性に基づいて、核分裂原子炉における制御可能可動棒の少なくとも一つの反応度パラメータを決定するように構成された第８のコンピュータ読み取り可能媒体ソフトウェアプログラムコードを含んでいることを特徴とする項３１８に記載のコンピュータソフトウェアプログラム製品。
３３７．
上記第１のコンピュータ読み取り可能媒体ソフトウェアプログラムコードは、
核分裂原子炉における制御可能可動棒の少なくとも一つの反応度パラメータを予測するように構成された第９のコンピュータ読み取り可能媒体ソフトウェアプログラムコードを含んでいることを特徴とする項３１８に記載のコンピュータソフトウェアプログラム製品。
３３８．
上記第９のコンピュータ読み取り可能媒体ソフトウェアプログラムコードはさらに、核分裂原子炉における制御可能可動棒の少なくとも一つの反応度パラメータを計算するように構成されていることを特徴とする項３３７に記載のコンピュータソフトウェアプログラム製品。
３３９．
核分裂進行波原子炉を稼働する方法であって、
第１の値を有する反応度制御装置を核分裂進行波原子炉の原子炉コアの第１の位置へ挿入するステップと、
反応度制御装置の値を修正するステップと、
反応度制御装置が第１の値とは異なる第２の値を有するように、反応度制御装置を核分裂進行波原子炉の原子炉コアの第１の位置から第２の位置へ移動させるステップとを有することを特徴とする方法。
３４０．
反応度制御装置の値を修正するステップが、
反応度制御装置によって中性子を吸収するステップを含んでいることを特徴とする項３３９に記載の方法。
３４１．
反応度制御装置によって中性子を吸収するステップが、
反応度制御装置の核分裂性同位体に転換可能な核分裂燃料物質によって中性子を吸収するステップを含んでいることを特徴とする項３４０に記載の方法。
３４２．
第２の値が第１の値より大きいことを特徴とする項３４０に記載の方法。
３４３．
反応度制御装置の値を修正するステップが、
反応度制御棒の自己遮蔽された可燃性の毒の吸収効果を修正するステップを含んでいることを特徴とする項３３９に記載の方法。
３４４．
反応度制御棒の自己遮蔽された可燃性の毒の吸収効果を修正するステップが、
自己遮蔽された可燃性の毒の自己遮蔽効果を修正するステップを含んでいることを特徴とする項３４３に記載の方法。
３４５．
自己遮蔽された可燃性の毒の自己遮蔽効果を修正するステップが、
自己遮蔽された可燃性の毒の中性子束への曝露を修正するステップを含んでいることを特徴とする項３４４に記載の方法。
３４６．
自己遮蔽された可燃性の毒の中性子束への曝露を修正するステップが、
中性子エネルギーを修正するステップを含んでいることを特徴とする項３４５に記載の方法。
３４７．
第２の値が第１の値より小さいことを特徴とする項３４３に記載の方法。
３４８．
第２の値が第１の値より大きいことを特徴とする項３４３に記載の方法。
【０１８４】
種々の態様や実施形態がここに示されたが、他の態様や実施形態は当業者には明らかである。ここで述べられる種々の態様および実施形態は、説明の目的のためのものであり、添付の請求項により示される本当の範囲および精神を限定することを意図しない。
【図面の簡単な説明】
【０１８５】
【図１Ａ】核分裂原子炉のための説明のための反応度制御組立品の部分的概略形状を示す図である。
【図１Ｂ】核分裂原子炉のための説明のための反応度制御組立品の部分的概略形状を示す図である。
【図１Ｂ−１】核分裂原子炉のための説明のための反応度制御組立品の部分的概略形状を示す図である。
【図１Ｃ】核分裂原子炉のための説明のための反応度制御組立品の部分的概略形状を示す図である。
【図１Ｃ−１】核分裂原子炉のための説明のための反応度制御組立品の部分的概略形状を示す図である。
【図１Ｄ】核分裂原子炉のための説明のための反応度制御組立品の部分的概略形状を示す図である。
【図１Ｅ】核分裂原子炉のための説明のための反応度制御組立品の部分的概略形状を示す図である。
【図１Ｆ】核分裂原子炉のための説明のための反応度制御組立品の部分的概略形状を示す図である。
【図１Ｇ】核分裂原子炉のための説明のための反応度制御組立品の部分的概略形状を示す図である。
【図１Ｈ】核分裂原子炉のための説明のための反応度制御組立品の部分的概略形状を示す図である。
【図１Ｈ−１】核分裂原子炉のための説明のための反応度制御組立品の部分的概略形状を示す図である。
【図１Ｉ】核分裂原子炉のための説明のための反応度制御組立品の部分的概略形状を示す図である。
【図１Ｉ−１】核分裂原子炉のための説明のための反応度制御組立品の部分的概略形状を示す図である。
【図１Ｊ】核分裂原子炉のための説明のための反応度制御組立品の部分的概略形状を示す図である。
【図１Ｋ】核分裂原子炉のための説明のための反応度制御組立品の部分的概略形状を示す図である。
【図１Ｌ】核分裂原子炉のための説明のための反応度制御組立品の部分的概略形状を示す図である。
【図１Ｍ】核分裂原子炉のための説明のための反応度制御組立品の部分的概略形状を示す図である。
【図１Ｎ】核分裂原子炉のための説明のための反応度制御組立品の部分的概略形状を示す図である。
【図１Ｏ】核分裂原子炉のための説明のための反応度制御組立品の部分的概略形状を示す図である。
【図１Ｐ】核分裂原子炉のための説明のための反応度制御組立品の部分的概略形状を示す図である。
【図１Ｑ】核分裂原子炉のための説明のための反応度制御組立品の部分的概略形状を示す図である。
【図１Ｒ】核分裂原子炉のための説明のための反応度制御組立品の部分的概略形状を示す図である。
【図１Ｓ】核分裂原子炉のための説明のための反応度制御組立品の部分的概略形状を示す図である。
【図１Ｔ】核分裂原子炉のための説明のための反応度制御組立品の部分的概略形状を示す図である。
【図１Ｕ】核分裂原子炉のための説明のための反応度制御組立品の部分的概略形状を示す図である。
【図２Ａ】高速中性子スペクトルを有する核分裂原子炉のための説明のための反応度制御システムの部分的概略形状を示す図である。
【図２Ｂ】高速中性子スペクトルを有する核分裂原子炉のための説明のための反応度制御システムの部分的概略形状を示す図である。
【図２Ｂ−１】高速中性子スペクトルを有する核分裂原子炉のための説明のための反応度制御システムの部分的概略形状を示す図である。
【図２Ｃ】高速中性子スペクトルを有する核分裂原子炉のための説明のための反応度制御システムの部分的概略形状を示す図である。
【図２Ｃ−１】高速中性子スペクトルを有する核分裂原子炉のための説明のための反応度制御システムの部分的概略形状を示す図である。
【図２Ｄ】高速中性子スペクトルを有する核分裂原子炉のための説明のための反応度制御システムの部分的概略形状を示す図である。
【図２Ｅ】高速中性子スペクトルを有する核分裂原子炉のための説明のための反応度制御システムの部分的概略形状を示す図である。
【図２Ｆ】高速中性子スペクトルを有する核分裂原子炉のための説明のための反応度制御システムの部分的概略形状を示す図である。
【図２Ｇ】高速中性子スペクトルを有する核分裂原子炉のための説明のための反応度制御システムの部分的概略形状を示す図である。
【図２Ｈ】高速中性子スペクトルを有する核分裂原子炉のための説明のための反応度制御システムの部分的概略形状を示す図である。
【図２Ｈ−１】高速中性子スペクトルを有する核分裂原子炉のための説明のための反応度制御システムの部分的概略形状を示す図である。
【図２Ｉ】高速中性子スペクトルを有する核分裂原子炉のための説明のための反応度制御システムの部分的概略形状を示す図である。
【図２Ｉ−１】高速中性子スペクトルを有する核分裂原子炉のための説明のための反応度制御システムの部分的概略形状を示す図である。
【図２Ｊ】高速中性子スペクトルを有する核分裂原子炉のための説明のための反応度制御システムの部分的概略形状を示す図である。
【図２Ｋ】高速中性子スペクトルを有する核分裂原子炉のための説明のための反応度制御システムの部分的概略形状を示す図である。
【図２Ｌ】高速中性子スペクトルを有する核分裂原子炉のための説明のための反応度制御システムの部分的概略形状を示す図である。
【図２Ｍ】高速中性子スペクトルを有する核分裂原子炉のための説明のための反応度制御システムの部分的概略形状を示す図である。
【図２Ｎ】高速中性子スペクトルを有する核分裂原子炉のための説明のための反応度制御システムの部分的概略形状を示す図である。
【図２Ｏ】高速中性子スペクトルを有する核分裂原子炉のための説明のための反応度制御システムの部分的概略形状を示す図である。
【図２Ｐ】高速中性子スペクトルを有する核分裂原子炉のための説明のための反応度制御システムの部分的概略形状を示す図である。
【図２Ｑ】高速中性子スペクトルを有する核分裂原子炉のための説明のための反応度制御システムの部分的概略形状を示す図である。
【図２Ｒ】高速中性子スペクトルを有する核分裂原子炉のための説明のための反応度制御システムの部分的概略形状を示す図である。
【図２Ｓ】高速中性子スペクトルを有する核分裂原子炉のための説明のための反応度制御システムの部分的概略形状を示す図である。
【図２Ｓ−１】高速中性子スペクトルを有する核分裂原子炉のための説明のための反応度制御システムの部分的概略形状を示す図である。
【図２Ｔ】高速中性子スペクトルを有する核分裂原子炉のための説明のための反応度制御システムの部分的概略形状を示す図である。
【図２Ｔ−１】高速中性子スペクトルを有する核分裂原子炉のための説明のための反応度制御システムの部分的概略形状を示す図である。
【図２Ｕ】高速中性子スペクトルを有する核分裂原子炉のための説明のための反応度制御システムの部分的概略形状を示す図である。
【図２Ｖ】高速中性子スペクトルを有する核分裂原子炉のための説明のための反応度制御システムの部分的概略形状を示す図である。
【図２Ｗ】高速中性子スペクトルを有する核分裂原子炉のための説明のための反応度制御システムの部分的概略形状を示す図である。
【図２Ｘ】高速中性子スペクトルを有する核分裂原子炉のための説明のための反応度制御システムの部分的概略形状を示す図である。
【図２Ｙ】高速中性子スペクトルを有する核分裂原子炉のための説明のための反応度制御システムの部分的概略形状を示す図である。
【図２Ｙ−１】高速中性子スペクトルを有する核分裂原子炉のための説明のための反応度制御システムの部分的概略形状を示す図である。
【図２Ｚ】高速中性子スペクトルを有する核分裂原子炉のための説明のための反応度制御システムの部分的概略形状を示す図である。
【図２Ｚ−１】高速中性子スペクトルを有する核分裂原子炉のための説明のための反応度制御システムの部分的概略形状を示す図である。
【図２ＡＡ】高速中性子スペクトルを有する核分裂原子炉のための説明のための反応度制御システムの部分的概略形状を示す図である。
【図２ＡＢ】高速中性子スペクトルを有する核分裂原子炉のための説明のための反応度制御システムの部分的概略形状を示す図である。
【図２ＡＣ】高速中性子スペクトルを有する核分裂原子炉のための説明のための反応度制御システムの部分的概略形状を示す図である。
【図２ＡＤ】高速中性子スペクトルを有する核分裂原子炉のための説明のための反応度制御システムの部分的概略形状を示す図である。
【図２ＡＥ】高速中性子スペクトルを有する核分裂原子炉のための説明のための反応度制御システムの部分的概略形状を示す図である。
【図２ＡＦ】高速中性子スペクトルを有する核分裂原子炉のための説明のための反応度制御システムの部分的概略形状を示す図である。
【図２ＡＧ】高速中性子スペクトルを有する核分裂原子炉のための説明のための反応度制御システムの部分的概略形状を示す図である。
【図２ＡＨ】高速中性子スペクトルを有する核分裂原子炉のための説明のための反応度制御システムの部分的概略形状を示す図である。
【図２ＡＩ】高速中性子スペクトルを有する核分裂原子炉のための説明のための反応度制御システムの部分的概略形状を示す図である。
【図２ＡＪ】高速中性子スペクトルを有する核分裂原子炉のための説明のための反応度制御システムの部分的概略形状を示す図である。
【図２ＡＫ】高速中性子スペクトルを有する核分裂原子炉のための説明のための反応度制御システムの部分的概略形状を示す図である。
【図２ＡＬ】高速中性子スペクトルを有する核分裂原子炉のための説明のための反応度制御システムの部分的概略形状を示す図である。
【図２ＡＭ】高速中性子スペクトルを有する核分裂原子炉のための説明のための反応度制御システムの部分的概略形状を示す図である。
【図２ＡＮ】高速中性子スペクトルを有する核分裂原子炉のための説明のための反応度制御システムの部分的概略形状を示す図である。
【図２ＡＯ】高速中性子スペクトルを有する核分裂原子炉のための説明のための反応度制御システムの部分的概略形状を示す図である。
【図２ＡＰ】高速中性子スペクトルを有する核分裂原子炉のための説明のための反応度制御システムの部分的概略形状を示す図である。
【図３】高速中性子スペクトルを有する説明のための核分裂進行波原子炉の部分的概略形状を示す図である。
【図４Ａ】高速中性子スペクトルを有する核分裂原子炉における反応度を制御する説明のための方法のフローチャートである。
【図４Ｂ】図４Ａの方法の説明のための詳細のフローチャートである。
【図４Ｃ】図４Ａの方法の説明のための詳細のフローチャートである。
【図４Ｄ】図４Ａの方法の説明のための詳細のフローチャートである。
【図４Ｅ】図４Ａの方法の説明のための詳細のフローチャートである。
【図４Ｆ】図４Ａの方法の説明のための詳細のフローチャートである。
【図４Ｇ】図４Ａの方法の説明のための詳細のフローチャートである。
【図４Ｈ】図４Ａの方法の説明のための詳細のフローチャートである。
【図４Ｉ】図４Ａの方法の説明のための詳細のフローチャートである。
【図４Ｊ】図４Ａの方法の説明のための詳細のフローチャートである。
【図４Ｋ】図４Ａの方法の説明のための詳細のフローチャートである。
【図４Ｌ】図４Ａの方法の説明のための詳細のフローチャートである。
【図４Ｍ】図４Ａの方法の説明のための詳細のフローチャートである。
【図４Ｎ】図４Ａの方法の説明のための詳細のフローチャートである。
【図４Ｏ】図４Ａの方法の説明のための詳細のフローチャートである。
【図４Ｐ】図４Ａの方法の説明のための詳細のフローチャートである。
【図４Ｑ】図４Ａの方法の説明のための詳細のフローチャートである。
【図４Ｒ】図４Ａの方法の説明のための詳細のフローチャートである。
【図４Ｓ】図４Ａの方法の説明のための詳細のフローチャートである。
【図４Ｔ】図４Ａの方法の説明のための詳細のフローチャートである。
【図４Ｕ】図４Ａの方法の説明のための詳細のフローチャートである。
【図４Ｖ】図４Ａの方法の説明のための詳細のフローチャートである。
【図４Ｗ】図４Ａの方法の説明のための詳細のフローチャートである。
【図５Ａ】高速中性子スペクトルを有する核分裂進行波原子炉を稼働する説明のための方法のフローチャートである。
【図５Ｂ】図５Ａの方法の説明のための詳細のフローチャートである。
【図５Ｃ】図５Ａの方法の説明のための詳細のフローチャートである。
【図５Ｄ】図５Ａの方法の説明のための詳細のフローチャートである。
【図５Ｅ】図５Ａの方法の説明のための詳細のフローチャートである。
【図５Ｆ】図５Ａの方法の説明のための詳細のフローチャートである。
【図５Ｇ】図５Ａの方法の説明のための詳細のフローチャートである。
【図５Ｈ】図５Ａの方法の説明のための詳細のフローチャートである。
【図５Ｉ】図５Ａの方法の説明のための詳細のフローチャートである。
【図５Ｊ】図５Ａの方法の説明のための詳細のフローチャートである。
【図５Ｋ】図５Ａの方法の説明のための詳細のフローチャートである。
【図５Ｌ】図５Ａの方法の説明のための詳細のフローチャートである。
【図５Ｍ】図５Ａの方法の説明のための詳細のフローチャートである。
【図５Ｎ】図５Ａの方法の説明のための詳細のフローチャートである。
【図５Ｏ】図５Ａの方法の説明のための詳細のフローチャートである。
【図５Ｐ】図５Ａの方法の説明のための詳細のフローチャートである。
【図５Ｑ】図５Ａの方法の説明のための詳細のフローチャートである。
【図５Ｒ】図５Ａの方法の説明のための詳細のフローチャートである。
【図５Ｓ】図５Ａの方法の説明のための詳細のフローチャートである。
【図５Ｔ】図５Ａの方法の説明のための詳細のフローチャートである。
【図５Ｕ】図５Ａの方法の説明のための詳細のフローチャートである。
【図５Ｖ】図５Ａの方法の説明のための詳細のフローチャートである。
【図５Ｗ】図５Ａの方法の説明のための詳細のフローチャートである。
【図５Ｘ】図５Ａの方法の説明のための詳細のフローチャートである。
【図６Ａ】高速中性子スペクトルを有する核分裂原子炉における反応度を制御する説明のためのシステムのブロックダイヤグラムである。
【図６Ｂ】図６Ａのシステムの説明のための詳細のブロックダイヤグラムである。
【図６Ｃ】図６Ａのシステムの説明のための詳細のブロックダイヤグラムである。
【図６Ｄ】図６Ａのシステムの説明のための詳細のブロックダイヤグラムである。
【図６Ｅ】図６Ａのシステムの説明のための詳細のブロックダイヤグラムである。
【図６Ｆ】図６Ａのシステムの説明のための詳細のブロックダイヤグラムである。
【図６Ｇ】図６Ａのシステムの説明のための詳細のブロックダイヤグラムである。
【図６Ｈ】図６Ａのシステムの説明のための詳細のブロックダイヤグラムである。
【図６Ｉ】図６Ａのシステムの説明のための詳細のブロックダイヤグラムである。
【図６Ｊ】図６Ａのシステムの説明のための詳細のブロックダイヤグラムである。
【図６Ｋ】図６Ａのシステムの説明のための詳細のブロックダイヤグラムである。
【図６Ｌ】図６Ａのシステムの説明のための詳細のブロックダイヤグラムである。
【図６Ｍ】図６Ａのシステムの説明のための詳細のブロックダイヤグラムである。
【図６Ｎ】図６Ａのシステムの説明のための詳細のブロックダイヤグラムである。
【図６Ｏ】図６Ａのシステムの説明のための詳細のブロックダイヤグラムである。
【図６Ｐ】図６Ａのシステムの説明のための詳細のブロックダイヤグラムである。
【図７Ａ】制御可能可動棒の適用を決定する説明のための方法のフローチャートである。
【図７Ｂ】図７Ａの方法の説明のための詳細のフローチャートである。
【図７Ｃ】図７Ａの方法の説明のための詳細のフローチャートである。
【図７Ｄ】図７Ａの方法の説明のための詳細のフローチャートである。
【図７Ｅ】図７Ａの方法の説明のための詳細のフローチャートである。
【図７Ｆ】図７Ａの方法の説明のための詳細のフローチャートである。
【図７Ｇ】図７Ａの方法の説明のための詳細のフローチャートである。
【図８Ａ】制御可能可動棒の適用を決定する説明のためのシステムのブロックダイヤグラムである。
【図８Ｂ】図８Ａのシステムの説明のための詳細のブロックダイヤグラムである。
【図８Ｃ】図８Ａのシステムの説明のための詳細のブロックダイヤグラムである。
【図８Ｄ】図８Ａのシステムの説明のための詳細のブロックダイヤグラムである。
【図８Ｅ】図８Ａのシステムの説明のための詳細のブロックダイヤグラムである。
【図８Ｆ】図８Ａのシステムの説明のための詳細のブロックダイヤグラムである。
【図８Ｇ】図８Ａのシステムの説明のための詳細のブロックダイヤグラムである。
【図８Ｈ】図８Ａのシステムの説明のための詳細のブロックダイヤグラムである。
【図８Ｉ】図８Ａのシステムの説明のための詳細のブロックダイヤグラムである。
【図９Ａ】核分裂進行波原子炉を稼働する説明のための方法のフローチャートである。
【図９Ｂ】図９Ａの方法の説明のための詳細のフローチャートである。
【図９Ｃ】図９Ａの方法の説明のための詳細のフローチャートである。
【図９Ｄ】図９Ａの方法の説明のための詳細のフローチャートである。
【図９Ｅ】図９Ａの方法の説明のための詳細のフローチャートである。
【図９Ｆ】図９Ａの方法の説明のための詳細のフローチャートである。
【図９Ｇ】図９Ａの方法の説明のための詳細のフローチャートである。
【図１Ａ】
0006026886.tif 000002
【図１Ｂ】
0006026886.tif 000003
【図１Ｂ−１】
0006026886.tif 000004
【図１Ｃ】
0006026886.tif 000005
【図１Ｃ−１】
0006026886.tif 000006
【図１Ｄ】
0006026886.tif 000007
【図１Ｅ】
0006026886.tif 000008
【図１Ｆ】
0006026886.tif 000009
【図１Ｇ】
0006026886.tif 000010
【図１Ｈ】
0006026886.tif 000011
【図１Ｈ−１】
0006026886.tif 000012
【図１Ｉ】
0006026886.tif 000013
【図１Ｉ−１】
0006026886.tif 000014
【図１Ｊ】
0006026886.tif 000015
【図１Ｋ】
0006026886.tif 000016
【図１Ｌ】
0006026886.tif 000017
【図１Ｍ】
0006026886.tif 000018
【図１Ｎ】
0006026886.tif 000019
【図１Ｏ】
0006026886.tif 000020
【図１Ｐ】
0006026886.tif 000021
【図１Ｑ】
0006026886.tif 000022
【図１Ｒ】
0006026886.tif 000023
【図１Ｓ】
0006026886.tif 000024
【図１Ｔ】
0006026886.tif 000025
【図１Ｕ】
0006026886.tif 000026
【図２Ａ】
0006026886.tif 000027
【図２ＡＡ】
0006026886.tif 000028
【図２ＡＢ】
0006026886.tif 000029
【図２ＡＣ】
0006026886.tif 000030
【図２ＡＤ】
0006026886.tif 000031
【図２ＡＥ】
0006026886.tif 000032
【図２ＡＦ】
0006026886.tif 000033
【図２ＡＧ】
0006026886.tif 000034
【図２ＡＨ】
0006026886.tif 000035
【図２ＡＩ】
0006026886.tif 000036
【図２ＡＪ】
0006026886.tif 000037
【図２ＡＫ】
0006026886.tif 000038
【図２ＡＬ】
0006026886.tif 000039
【図２ＡＭ】
0006026886.tif 000040
【図２ＡＮ】
0006026886.tif 000041
【図２ＡＯ】
0006026886.tif 000042
【図２ＡＰ】
0006026886.tif 000043
【図２Ｂ】
0006026886.tif 000044
【図２Ｂ−１】
0006026886.tif 000045
【図２Ｃ】
0006026886.tif 000046
【図２Ｃ−１】
0006026886.tif 000047
【図２Ｄ】
0006026886.tif 000048
【図２Ｅ】
0006026886.tif 000049
【図２Ｆ】
0006026886.tif 000050
【図２Ｇ】
0006026886.tif 000051
【図２Ｈ】
0006026886.tif 000052
【図２Ｈ−１】
0006026886.tif 000053
【図２Ｉ】
0006026886.tif 000054
【図２Ｉ−１】
0006026886.tif 000055
【図２Ｊ】
0006026886.tif 000056
【図２Ｋ】
0006026886.tif 000057
【図２Ｌ】
0006026886.tif 000058
【図２Ｍ】
0006026886.tif 000059
【図２Ｎ】
0006026886.tif 000060
【図２Ｏ】
0006026886.tif 000061
【図２Ｐ】
0006026886.tif 000062
【図２Ｑ】
0006026886.tif 000063
【図２Ｒ】
0006026886.tif 000064
【図２Ｓ】
0006026886.tif 000065
【図２Ｓ−１】
0006026886.tif 000066
【図２Ｔ】
0006026886.tif 000067
【図２Ｔ−１】
0006026886.tif 000068
【図２Ｕ】
0006026886.tif 000069
【図２Ｖ】
0006026886.tif 000070
【図２Ｗ】
0006026886.tif 000071
【図２Ｘ】
0006026886.tif 000072
【図２Ｙ】
0006026886.tif 000073
【図２Ｙ−１】
0006026886.tif 000074
【図２Ｚ】
0006026886.tif 000075
【図２Ｚ−１】
0006026886.tif 000076
【図３】
0006026886.tif 000077
【図４Ａ】
0006026886.tif 000078
【図４Ｂ】
0006026886.tif 000079
【図４Ｃ】
0006026886.tif 000080
【図４Ｄ】
0006026886.tif 000081
【図４Ｅ】
0006026886.tif 000082
【図４Ｆ】
0006026886.tif 000083
【図４Ｇ】
0006026886.tif 000084
【図４Ｈ】
0006026886.tif 000085
【図４Ｉ】
0006026886.tif 000086
【図４Ｊ】
0006026886.tif 000087
【図４Ｋ】
0006026886.tif 000088
【図４Ｌ】
0006026886.tif 000089
【図４Ｍ】
0006026886.tif 000090
【図４Ｎ】
0006026886.tif 000091
【図４Ｏ】
0006026886.tif 000092
【図４Ｐ】
0006026886.tif 000093
【図４Ｑ】
0006026886.tif 000094
【図４Ｒ】
0006026886.tif 000095
【図４Ｓ】
0006026886.tif 000096
【図４Ｔ】
0006026886.tif 000097
【図４Ｕ】
0006026886.tif 000098
【図４Ｖ】
0006026886.tif 000099
【図４Ｗ】
0006026886.tif 000100
【図５Ａ】
0006026886.tif 000101
【図５Ｂ】
0006026886.tif 000102
【図５Ｃ】
0006026886.tif 000103
【図５Ｄ】
0006026886.tif 000104
【図５Ｅ】
0006026886.tif 000105
【図５Ｆ】
0006026886.tif 000106
【図５Ｇ】
0006026886.tif 000107
【図５Ｈ】
0006026886.tif 000108
【図５Ｉ】
0006026886.tif 000109
【図５Ｊ】
0006026886.tif 000110
【図５Ｋ】
0006026886.tif 000111
【図５Ｌ】
0006026886.tif 000112
【図５Ｍ】
0006026886.tif 000113
【図５Ｎ】
0006026886.tif 000114
【図５Ｏ】
0006026886.tif 000115
【図５Ｐ】
0006026886.tif 000116
【図５Ｑ】
0006026886.tif 000117
【図５Ｒ】
0006026886.tif 000118
【図５Ｓ】
0006026886.tif 000119
【図５Ｔ】
0006026886.tif 000120
【図５Ｕ】
0006026886.tif 000121
【図５Ｖ】
0006026886.tif 000122
【図５Ｗ】
0006026886.tif 000123
【図５Ｘ】
0006026886.tif 000124
【図６Ａ】
0006026886.tif 000125
【図６Ｂ】
0006026886.tif 000126
【図６Ｃ】
0006026886.tif 000127
【図６Ｄ】
0006026886.tif 000128
【図６Ｅ】
0006026886.tif 000129
【図６Ｆ】
0006026886.tif 000130
【図６Ｇ】
0006026886.tif 000131
【図６Ｈ】
0006026886.tif 000132
【図６Ｉ】
0006026886.tif 000133
【図６Ｊ】
0006026886.tif 000134
【図６Ｋ】
0006026886.tif 000135
【図６Ｌ】
0006026886.tif 000136
【図６Ｍ】
0006026886.tif 000137
【図６Ｎ】
0006026886.tif 000138
【図６Ｏ】
0006026886.tif 000139
【図６Ｐ】
0006026886.tif 000140
【図７Ａ】
0006026886.tif 000141
【図７Ｂ】
0006026886.tif 000142
【図７Ｃ】
0006026886.tif 000143
【図７Ｄ】
0006026886.tif 000144
【図７Ｅ】
0006026886.tif 000145
【図７Ｆ】
0006026886.tif 000146
【図７Ｇ】
0006026886.tif 000147
【図８Ａ】
0006026886.tif 000148
【図８Ｂ】
0006026886.tif 000149
【図８Ｃ】
0006026886.tif 000150
【図８Ｄ】
0006026886.tif 000151
【図８Ｅ】
0006026886.tif 000152
【図８Ｆ】
0006026886.tif 000153
【図８Ｇ】
0006026886.tif 000154
【図８Ｈ】
0006026886.tif 000155
【図８Ｉ】
0006026886.tif 000156
【図９Ａ】
0006026886.tif 000157
【図９Ｂ】
0006026886.tif 000158
【図９Ｃ】
0006026886.tif 000159
【図９Ｄ】
0006026886.tif 000160
【図９Ｅ】
0006026886.tif 000161
【図９Ｆ】
0006026886.tif 000162
【図９Ｇ】
0006026886.tif 000163